(57)【要約】  アップリンク情報送信方法が提供される。本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、ユーザ機器とネットワーク側デバイスとの間のランダムアクセスコードのインタラクションが減少する。このように、アップリンクデータ送信又はダウンリンクデータのアップリンクＨＡＲＱフィードバック送信における長遅延及び低効率という従来技術の欠点が、克服される。
2018523415.tif 000002
【特許請求の範囲】
【請求項１】
ユーザ機器であって、
スケジューリング情報及びタイミングアドバンス情報を決定するように構成される決定モジュールであって、前記スケジューリング情報は、アップリンク情報を送信するよう前記ユーザ機器に命令するために用いられ、前記タイミングアドバンス情報は、前記ユーザ機器が前記アップリンク情報を送信する場合に用いられるタイミングアドバンスを調整するために用いられる、決定モジュールと、
前記タイミングアドバンス情報に従って、前記タイミングアドバンスを調整するように構成される調整モジュールと、
調整されたタイミングアドバンスを用いることによって、前記スケジューリング情報に従って、前記アップリンク情報を送信するように構成される送信モジュールと、
を備えるユーザ機器。
【請求項２】
決定モジュールがスケジューリング情報及びタイミングアドバンス情報を決定することは、具体的には、
前記決定モジュールが、第１の伝送時間間隔ＴＴＩで、前記スケジューリング情報及び前記タイミングアドバンス情報を決定すること
である、請求項１に記載のユーザ機器。
【請求項３】
送信モジュールが、調整されたタイミングアドバンスを用いることによって、前記スケジューリング情報に従って、前記アップリンク情報を送信することは、具体的には、
前記送信モジュールが、第２のＴＴＩで、前記調整されたタイミングアドバンスを用いることによって、前記スケジューリング情報に従って、前記アップリンク情報を送信すること
であり、
前記第２のＴＴＩ及び前記第１のＴＴＩは、Ｎ個のＴＴＩによって分離され、Ｎは、０より大きい又はこれに等しい、
請求項２に記載のユーザ機器。
【請求項４】
前記決定モジュールは、前記タイミングアドバンスを決定するようにさらに構成される、請求項１から３のいずれか１項に記載のユーザ機器。
【請求項５】
前記ユーザ機器は、メディアアクセス制御ＭＡＣ制御要素ＣＥ又は物理層制御シグナリングを受信するように構成される受信モジュールをさらに備え、
決定モジュールがタイミングアドバンス情報を決定することは、具体的には、
前記決定モジュールが、前記ＭＡＣ  ＣＥから前記タイミングアドバンス情報を取得すること、又は、
前記ユーザ機器が、前記物理層制御シグナリングから前記タイミングアドバンス情報を取得すること
である、
請求項１から４のいずれか１項に記載のユーザ機器。
【請求項６】
前記ユーザ機器は、物理層制御シグナリングを受信するように構成される前記受信モジュールをさらに備え、
決定モジュールがスケジューリング情報を決定することは、具体的には、
前記決定モジュールが、前記物理層制御シグナリングから前記スケジューリング情報を取得すること
である、
請求項１から５のいずれか１項に記載のユーザ機器。
【請求項７】
前記アップリンク情報は、アップリンクデータ及び／又はアップリンクハイブリッド自動再送要求ＨＡＲＱフィードバック情報を含む、請求項１から６のいずれか１項に記載のユーザ機器。
【請求項８】
前記アップリンク情報は、前記アップリンクＨＡＲＱフィードバック情報を含み、
前記決定モジュールは、前記アップリンクＨＡＲＱフィードバック情報が送信される場合に利用可能なフィードバックリソースを決定するようにさらに構成され、
送信モジュールが、調整されたタイミングアドバンスを用いることによって、前記スケジューリング情報に従って、前記アップリンク情報を送信することは、具体的には、
前記送信モジュールが、前記調整されたタイミングアドバンスを用いることによって、前記スケジューリング情報に従って、前記フィードバックリソースにおいて、前記アップリンク情報を送信すること
である、
請求項１から７のいずれか１項に記載のユーザ機器。
【請求項９】
前記決定モジュールが、前記アップリンクＨＡＲＱフィードバック情報が送信される場合に利用可能なフィードバックリソースを決定することは、具体的には、
前記決定モジュールが、リソース構成情報を決定し、前記リソース構成情報に対応するリソースを前記フィードバックリソースとして用いること
である、
請求項８に記載のユーザ機器。
【請求項１０】
前記リソース構成情報は、時間ドメイン情報、周波数ドメイン情報、又はコードドメイン情報の少なくとも１つを含む、請求項９に記載のユーザ機器。
【請求項１１】
前記ユーザ機器は、タイミングアドバンス調整指示を受信するように構成される前記受信モジュールをさらに備え、前記タイミングアドバンス調整指示は、前記ユーザ機器が、前記タイミングアドバンス情報に従って、前記タイミングアドバンスを調整可能であることを示すために用いられる、請求項１から１０のいずれか１項に記載のユーザ機器。
【請求項１２】
前記決定モジュールは、前記ユーザ機器が非同期状態にあると決定するようにさらに構成される、請求項１から１１のいずれか１項に記載のユーザ機器。
【請求項１３】
スケジューリング情報及びタイミングアドバンス情報を送信するように構成される送信モジュールであって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、送信モジュールと、
前記アップリンク情報を受信するように構成される受信モジュールであって、前記アップリンクデータは、前記スケジューリング情報及び前記タイミングアドバンス情報に従って送信される、受信モジュールと、
を備えるネットワーク側デバイス。
【請求項１４】
送信モジュールがスケジューリング情報及びタイミングアドバンス情報を送信することは、具体的には、
前記送信モジュールが、前記第１の伝送時間間隔ＴＴＩで、前記スケジューリング情報及び前記タイミングアドバンス情報を送信すること
である、請求項１３に記載のネットワーク側デバイス。
【請求項１５】
受信モジュールが前記アップリンク情報を受信することは、具体的には、
前記受信モジュールが、第２のＴＴＩでアップリンク情報を受信すること
であり、
前記第２のＴＴＩ及び前記第１のＴＴＩは、Ｎ個のＴＴＩによって分離され、Ｎは、０より大きい又はこれに等しい、
請求項１４に記載のネットワーク側デバイス。
【請求項１６】
前記送信モジュールは、前記タイミングアドバンスを送信するようにさらに構成される、請求項１３から１５のいずれか１項に記載のネットワーク側デバイス。
【請求項１７】
送信モジュールがタイミングアドバンス情報を送信することは、具体的には、
前記送信モジュールが、メディアアクセス制御ＭＡＣ制御要素ＣＥを送信することであって、前記ＭＡＣ  ＣＥが、前記タイミングアドバンス情報を保持する、送信すること、又は、
前記送信モジュールが、物理層制御シグナリングを送信することであって、前記物理層制御シグナリングが、前記タイミングアドバンス情報を保持する、送信すること
である、
請求項１３から１６のいずれか１項に記載のネットワーク側デバイス。
【請求項１８】
送信モジュールがスケジューリング情報を送信することは、具体的には、
前記送信モジュールが、物理層制御シグナリングを送信することであって、前記物理層制御シグナリングが、前記スケジューリング情報を保持する、送信すること
である、
請求項１３から１７のいずれか１項に記載のネットワーク側デバイス。
【請求項１９】
前記アップリンク情報は、アップリンクデータ及び／又はアップリンクハイブリッド自動再送要求ＨＡＲＱフィードバック情報を含む、請求項１３から１８のいずれか１項に記載のネットワーク側デバイス。
【請求項２０】
前記アップリンク情報は、前記アップリンクＨＡＲＱフィードバック情報を含み、
前記送信モジュールは、リソース構成情報を送信するようにさらに構成され、前記リソース構成情報に対応するリソースは、前記フィードバックリソースであり、前記フィードバックリソースは、前記アップリンクＨＡＲＱフィードバック情報が送信される場合に利用可能なリソースである、
請求項１３から１９のいずれか１項に記載のネットワーク側デバイス。
【請求項２１】
前記リソース構成情報は、時間ドメイン情報、周波数ドメイン情報、又はコードドメイン情報の少なくとも１つを含む、請求項２０に記載のネットワーク側デバイス。
【請求項２２】
前記送信モジュールは、アップリンクのタイミングアドバンス調整指示を送信するようにさらに構成され、前記タイミングアドバンス調整指示は、前記ユーザ機器が、前記タイミングアドバンス情報に従って、前記タイミングアドバンスを調整可能であることを示すために用いられる、請求項１３から２１のいずれか１項に記載のネットワーク側デバイス。
【請求項２３】
ユーザ機器であって、
スケジューリング情報を受信するように構成される受信モジュールであって、前記スケジューリング情報は、アップリンクリソース情報を保持し、前記アップリンクリソース情報は、アップリンク情報が送信される場合に利用可能なリソースを示すために用いられ、前記スケジューリング情報は、前記アップリンク情報を送信するよう前記ユーザ機器に命令するために用いられる、受信モジュールと、
前記ユーザ機器が非同期状態にあると決定するように構成される決定モジュールと、
前記決定モジュールが、前記ユーザ機器が非同期状態にあると決定した場合に、前記アップリンクリソースを用いることによって、ランダムアクセスコードを送信するように構成される送信モジュールと、
を備え、
前記受信モジュールは、ランダムアクセス応答を受信するようにさらに構成され、前記ランダムアクセス応答は、前記ランダムアクセスコードに従って送信される、
ユーザ機器。
【請求項２４】
送信モジュールが、前記アップリンクリソースを用いることによってランダムアクセスコードを送信することは、具体的には、
前記送信モジュールが、少なくとも１つのターゲット物理リソースブロックを用いることによって、前記ランダムアクセスコードを送信すること
であり、
前記ターゲット物理リソースブロックは、前記リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
前記ターゲット物理リソースブロックは、前記リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
前記ターゲット物理リソースブロックは、予め設定されている、
請求項２３に記載のユーザ機器。
【請求項２５】
前記決定モジュールは、ランダムアクセスリソース情報を決定するようにさらに構成され、前記ランダムアクセスリソース情報は、少なくとも１つのランダムアクセスコードを含む、請求項２３又は２４に記載のユーザ機器。
【請求項２６】
前記少なくとも１つのランダムアクセスコードは、同じグループに属し、
送信モジュールが、前記アップリンクリソースを用いることによってランダムアクセスコードを送信することは、具体的には、
前記送信モジュールが、前記少なくとも１つのランダムアクセスコードのうちの１つを選択し、前記アップリンクリソースを用いることによって、前記選択されたランダムアクセスコードを送信すること
である、
請求項２５に記載のユーザ機器。
【請求項２７】
前記少なくとも１つのランダムアクセスコードは、少なくとも１つの専用ランダムアクセスコードを含み、
送信モジュールが、前記アップリンクリソースを用いることによってランダムアクセスコードを送信することは、具体的には、
前記送信モジュールが、前記少なくとも１つの専用ランダムアクセスコードのうちの１つを選択し、前記アップリンクリソースを用いることによって前記選択された専用ランダムアクセスコードを送信すること
である、
請求項２５又は２６に記載のユーザ機器。
【請求項２８】
前記ランダムアクセスリソース情報は、ランダムアクセスチャネルリソース情報を含み、
前記決定モジュールが、前記ユーザ機器が非同期状態にあると決定した場合に、前記送信モジュールは、ランダムアクセスチャネルリソースを用いることによって、ランダムアクセスコードを送信するようにさらに構成され、前記ランダムアクセスチャネルリソースは、前記ランダムアクセスチャネルリソース情報によって示されるチャネルリソースである、
請求項２３から２７のいずれか１項に記載のユーザ機器。
【請求項２９】
前記送信モジュールが、ランダムアクセスチャネルリソースを用いることによってランダムアクセスコードを送信することは、具体的には、
前記送信モジュールが、前記アップリンクリソースが位置するＴＴＩのランダムアクセスチャネルリソースを用いることによって、前記ランダムアクセスコードを送信すること、及び／又は、
前記送信モジュールが、前記アップリンクリソースを用いることによって前記ランダムアクセスコードを送信すること、及び／又は、
前記送信モジュールが、前記アップリンクリソースが位置するＴＴＩの後のランダムアクセスチャネルリソースを用いることによって、前記ランダムアクセスコードを送信すること
である、
請求項２８に記載のユーザ機器。
【請求項３０】
前記ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である、請求項２８又は２９に記載のユーザ機器。
【請求項３１】
前記送信モジュールは、前記ランダムアクセス応答に従って、前記アップリンク情報を送信するようにさらに構成される、請求項２３から３０のいずれか１項に記載のユーザ機器。
【請求項３２】
ランダムアクセスネットワーク側デバイスであって、
スケジューリング情報を送信するように構成される送信モジュールであって、前記スケジューリング情報は、アップリンクリソース情報を保持し、前記アップリンクリソース情報は、アップリンク情報が送信される場合に利用可能なリソースを示すために用いられ、前記スケジューリング情報は、前記アップリンク情報を送信するよう前記ユーザ機器に命令するために用いられる、送信モジュールと、
ランダムアクセスコードを受信するように構成される受信モジュールであって、前記ランダムアクセスコードは、前記アップリンクリソースに従って送信される、受信モジュールと、
を備え、
前記送信モジュールは、前記ランダムアクセスコードに従って、ランダムアクセス応答を送信するようにさらに構成される、
ネットワーク側デバイス。
【請求項３３】
前記送信モジュールは、ランダムアクセスリソース情報を送信するようにさらに構成され、前記ランダムアクセスリソース情報は、少なくとも１つのランダムアクセスコードを含む、請求項３２に記載のネットワーク側デバイス。
【請求項３４】
前記少なくとも１つのランダムアクセスコードは、同じグループに属し、
受信モジュールがランダムアクセスコードを受信することは、具体的には、
前記受信モジュールが、前記少なくとも１つのランダムアクセスコードのうちの１つを受信すること
である、
請求項３３に記載のネットワーク側デバイス。
【請求項３５】
前記少なくとも１つのランダムアクセスコードは、少なくとも１つの専用ランダムアクセスコードを含み、
受信モジュールがランダムアクセスコードを受信することは、具体的には、
前記受信モジュールが、前記少なくとも１つの専用ランダムアクセスコードのうちの１つを受信すること
である、
請求項３３又は３４に記載のネットワーク側デバイス。
【請求項３６】
前記ランダムアクセスリソース情報は、ランダムアクセスチャネルリソース情報を含む、請求項３２から３５のいずれか１項に記載のネットワーク側デバイス。
【請求項３７】
前記ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である、請求項３６に記載のネットワーク側デバイス。
【請求項３８】
前記受信モジュールは、前記アップリンク情報を受信するようにさらに構成される、請求項３２から３７のいずれか１項に記載のネットワーク側デバイス。
【請求項３９】
アップリンク情報送信方法であって、
ユーザ機器によって、スケジューリング情報及びタイミングアドバンス情報を決定する段階であって、前記スケジューリング情報は、アップリンク情報を送信するよう前記ユーザ機器に命令するために用いられ、前記タイミングアドバンス情報は、前記ユーザ機器が前記アップリンク情報を送信する場合に用いられるタイミングアドバンスを調整するために用いられる、段階と、
前記ユーザ機器によって、前記タイミングアドバンス情報に従って、前記タイミングアドバンスを調整する段階と、
前記ユーザ機器によって、調整されたタイミングアドバンスを用いることによって、前記スケジューリング情報に従って、前記アップリンク情報を送信する段階と、
を備える方法。
【請求項４０】
ユーザ機器によって、スケジューリング情報及びタイミングアドバンス情報を決定する前記段階は、
前記ユーザ機器によって、第１の伝送時間間隔ＴＴＩで、前記スケジューリング情報及び前記タイミングアドバンス情報を決定する段階
を含む、
請求項３９に記載の方法。
【請求項４１】
前記ユーザ機器によって、調整されたタイミングアドバンスを用いることによって、前記スケジューリング情報に従って、前記アップリンク情報を送信する前記段階は、
前記ユーザ機器によって、第２のＴＴＩで、前記調整されたタイミングアドバンスを用いることによって、前記スケジューリング情報に従って、前記アップリンク情報を送信する段階であって、前記第２のＴＴＩ及び前記第１のＴＴＩは、Ｎ個のＴＴＩによって分離され、Ｎは、０より大きい又はこれに等しい、段階
を含む、
請求項４０に記載の方法。
【請求項４２】
前記ユーザ機器によって、前記タイミングアドバンス情報に従って、前記タイミングアドバンスを調整する前記段階の前に、前記方法は、
前記ユーザ機器によって、前記タイミングアドバンスを決定する段階
をさらに備える、
請求項３９から４１のいずれか１項に記載の方法。
【請求項４３】
前記ユーザ機器によって、タイミングアドバンス情報を決定する前記段階は、
前記ユーザ機器によって、メディアアクセス制御ＭＡＣ制御要素ＣＥを受信し、前記ＭＡＣ  ＣＥから前記タイミングアドバンス情報を取得する段階、又は、
前記ユーザ機器によって、物理層制御シグナリングを受信し、前記物理層制御シグナリングから前記タイミングアドバンス情報を取得する段階
を含む、
請求項３９から４２のいずれか１項に記載の方法。
【請求項４４】
ユーザ機器によって、スケジューリング情報を決定する前記段階は、
前記ユーザ機器によって、物理層制御シグナリングを受信し、前記物理層制御シグナリングから前記スケジューリング情報を取得する段階
を含む、
請求項３９から４３のいずれか１項に記載の方法。
【請求項４５】
前記アップリンク情報は、アップリンクデータ及び／又はアップリンクハイブリッド自動再送要求ＨＡＲＱフィードバック情報を含む、請求項３９から４４のいずれか１項に記載の方法。
【請求項４６】
前記アップリンク情報は、前記アップリンクＨＡＲＱフィードバック情報を含み、
前記ユーザ機器によって、前記アップリンク情報を送信する前記段階の前に、前記方法は、
前記ユーザ機器によって、前記アップリンクＨＡＲＱフィードバック情報が送信される場合に利用可能なフィードバックリソースを決定する段階
をさらに備え、
前記ユーザ機器によって、調整されたタイミングアドバンスを用いることによって、前記スケジューリング情報に従って、前記アップリンク情報を送信する前記段階は、
前記ユーザ機器によって、前記調整されたタイミングアドバンスを用いることによって、前記スケジューリング情報に従って、前記フィードバックリソースにおいて、前記アップリンク情報を送信する段階
を含む、
請求項３９から４５のいずれか１項に記載の方法。
【請求項４７】
前記ユーザ機器によって、前記アップリンクＨＡＲＱフィードバック情報が送信される場合に利用可能なフィードバックリソースを決定する前記段階は、
前記ユーザ機器によって、リソース構成情報を決定し、前記リソース構成情報に対応するリソースを前記フィードバックリソースとして用いる段階
を含む、
請求項４６に記載の方法。
【請求項４８】
前記リソース構成情報は、時間ドメイン情報、周波数ドメイン情報、又はコードドメイン情報の少なくとも１つを含む、請求項４７に記載の方法。
【請求項４９】
前記ユーザ機器によって、調整されたタイミングアドバンスを用いることによって、前記スケジューリング情報に従って、前記アップリンク情報を送信する前記段階の前に、前記方法は、
前記ユーザ機器によって、タイミングアドバンス調整指示を受信する段階であって、前記タイミングアドバンス調整指示は、前記ユーザ機器が、前記タイミングアドバンス情報に従って、前記タイミングアドバンスを調整可能であることを示すために用いられる、段階
をさらに備える、
請求項３９から４８のいずれか１項に記載の方法。
【請求項５０】
前記ユーザ機器によって、前記タイミングアドバンスを決定する前記段階の前に、前記方法は、
前記ユーザ機器によって、前記ユーザ機器が非同期状態にあると決定する段階
をさらに備える、
請求項３９から４９のいずれか１項に記載の方法。
【請求項５１】
アップリンク情報送信方法であって、
ネットワーク側デバイスによって、スケジューリング情報及びタイミングアドバンス情報を送信する段階であって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、段階と、
前記ネットワーク側デバイスによって、前記アップリンク情報を受信する段階であって、前記アップリンクデータは、前記スケジューリング情報及び前記タイミングアドバンス情報に従って送信される、段階と、
を備える方法。
【請求項５２】
ネットワーク側デバイスによって、スケジューリング情報及びタイミングアドバンス情報を送信する前記段階は、
前記ネットワーク側デバイスによって、前記第１の伝送時間間隔ＴＴＩで、前記スケジューリング情報及び前記タイミングアドバンス情報を送信する段階
を含む、
請求項５１に記載の方法。
【請求項５３】
前記ネットワーク側デバイスによって、前記アップリンク情報を受信する前記段階は、
前記ネットワーク側デバイスによって、第２のＴＴＩで、前記アップリンク情報を受信する段階
を含み、
前記第２のＴＴＩ及び前記第１のＴＴＩは、Ｎ個のＴＴＩによって分離され、Ｎは、０より大きい又はこれに等しい、
請求項５２に記載の方法。
【請求項５４】
前記ネットワーク側デバイスによって、前記アップリンク情報を受信する前記段階の前に、前記方法は、
前記ネットワーク側デバイスによって、前記タイミングアドバンスを送信する段階
をさらに備える、
請求項５１から３３のいずれか１項に記載の方法。
【請求項５５】
ネットワーク側デバイスによって、タイミングアドバンス情報を送信する前記段階は、
前記ネットワーク側デバイスによって、メディアアクセス制御ＭＡＣ制御要素ＣＥを送信する段階であって、前記ＭＡＣ  ＣＥは、前記タイミングアドバンス情報を保持する、段階、又は、
前記ネットワーク側デバイスによって、物理層制御シグナリングを送信する段階であって、前記物理層制御シグナリングは、前記タイミングアドバンス情報を保持する、段階
を含む、請求項５１から５４のいずれか１項に記載の方法。
【請求項５６】
ネットワーク側デバイスによって、スケジューリング情報を送信する前記段階は、
前記ネットワーク側デバイスによって、物理層制御シグナリングを送信する段階であって、前記物理層制御シグナリングは、前記スケジューリング情報を保持する、段階
を含む、
請求項５１から５５のいずれか１項に記載の方法。
【請求項５７】
前記アップリンク情報は、アップリンクデータ及び／又はアップリンクハイブリッド自動再送要求ＨＡＲＱフィードバック情報を含む、請求項５１から５６のいずれか１項に記載の方法。
【請求項５８】
前記アップリンク情報は、前記アップリンクＨＡＲＱフィードバック情報を含み、
前記ネットワーク側デバイスによって、前記アップリンク情報を受信する前記段階の前に、前記方法は、
前記ネットワーク側デバイスによって、リソース構成情報を送信する段階であって、前記リソース構成情報に対応するリソースは、前記フィードバックリソースであり、前記フィードバックリソースは、前記アップリンクＨＡＲＱフィードバック情報が送信される場合に利用可能なリソースである、段階
をさらに備える、
請求項５１から５７のいずれか１項に記載の方法。
【請求項５９】
前記リソース構成情報は、時間ドメイン情報、周波数ドメイン情報、又はコードドメイン情報の少なくとも１つを含む、請求項５８に記載の方法。
【請求項６０】
前記ネットワーク側デバイスによって、前記アップリンク情報を受信する前記段階の前に、前記方法は、
前記ネットワーク側デバイスによって、アップリンクのタイミングアドバンス調整指示を送信する段階であって、前記タイミングアドバンス調整指示は、前記ユーザ機器が、前記タイミングアドバンス情報に従って、前記タイミングアドバンスを調整可能であることを示すために用いられる、段階
をさらに備える、
請求項５１から５９のいずれか１項に記載の方法。
【請求項６１】
ランダムアクセス方法であって、
ユーザ機器によって、スケジューリング情報を受信する段階であって、前記スケジューリング情報は、アップリンクリソース情報を保持し、前記アップリンクリソース情報は、アップリンク情報が送信される場合に利用可能なリソースを示すために用いられ、前記スケジューリング情報は、前記アップリンク情報を送信するよう前記ユーザ機器に命令するために用いられる、段階と、
前記ユーザ機器が非同期状態にあると決定した場合に、前記ユーザ機器によって、前記アップリンクリソースを用いることによって、ランダムアクセスコードを送信する段階と、
前記ユーザ機器によって、ランダムアクセス応答を受信する段階であって、前記ランダムアクセス応答は、前記ランダムアクセスコードに従って送信される、段階と、
を備える、方法。
【請求項６２】
前記ユーザ機器によって、前記アップリンクリソースを用いることによって、ランダムアクセスコードを送信する前記段階は、
前記ユーザ機器によって、少なくとも１つのターゲット物理リソースブロックを用いることによって、前記ランダムアクセスコードを送信する段階
を含み、
前記ターゲット物理リソースブロックは、前記リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
前記ターゲット物理リソースブロックは、前記リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
前記ターゲット物理リソースブロックは、予め設定されている、
請求項６１に記載の方法。
【請求項６３】
前記ユーザ機器によって、前記アップリンクリソースを用いることによって、ランダムアクセスコードを送信する前記段階の前に、前記方法は、
前記ユーザ機器によって、ランダムアクセスリソース情報を決定する段階であって、前記ランダムアクセスリソース情報は、少なくとも１つのランダムアクセスコードを含む、段階
をさらに備える、
請求項６１又は６２に記載の方法。
【請求項６４】
前記少なくとも１つのランダムアクセスコードは、同じグループに属し、
前記ユーザ機器によって、前記アップリンクリソースを用いることによって、ランダムアクセスコードを送信する前記段階は、
前記ユーザ機器によって、前記少なくとも１つのランダムアクセスコードのうちの１つを選択し、前記アップリンクリソースを用いることによって、前記選択されたランダムアクセスコードを送信する段階
を含む、
請求項６３に記載の方法。
【請求項６５】
前記少なくとも１つのランダムアクセスコードは、少なくとも１つの専用ランダムアクセスコードを含み、
前記ユーザ機器によって、前記アップリンクリソースを用いることによって、ランダムアクセスコードを送信する前記段階は、
前記ユーザ機器によって、前記少なくとも１つの専用ランダムアクセスコードのうちの１つを選択し、前記アップリンクリソースを用いることによって、前記選択された専用ランダムアクセスコードを送信する段階
を含む、
請求項６３又は６４に記載の方法。
【請求項６６】
前記ランダムアクセスリソース情報は、ランダムアクセスチャネルリソース情報を含み、
前記方法は、
前記ユーザ機器が非同期状態にあると決定した場合に、前記ユーザ機器によって、ランダムアクセスチャネルリソースを用いることによって、ランダムアクセスコードを送信する段階であって、前記ランダムアクセスチャネルリソースは、前記ランダムアクセスチャネルリソース情報によって示されるチャネルリソースである、段階
をさらに備える、
請求項６３から６５のいずれか１項に記載の方法。
【請求項６７】
前記ユーザ機器によって、ランダムアクセスチャネルリソースを用いることによって、ランダムアクセスコードを送信する前記段階は、
前記ユーザ機器によって、前記アップリンクリソースが位置するＴＴＩのランダムアクセスチャネルリソースを用いることによって、前記ランダムアクセスコードを送信する段階、及び／又は、
前記ユーザ機器によって、前記アップリンクリソースを用いることによって、前記ランダムアクセスコードを送信する段階、及び／又は、
前記ユーザ機器によって、前記アップリンクリソースが位置するＴＴＩの後のランダムアクセスチャネルリソースを用いることによって、前記ランダムアクセスコードを送信する段階
を含む、
請求項６６に記載の方法。
【請求項６８】
前記ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である、請求項６６又は６７に記載の方法。
【請求項６９】
前記ユーザ機器によって、ランダムアクセス応答を受信する前記段階の後で、前記方法は、
前記ユーザ機器によって、前記ランダムアクセス応答に従って、前記アップリンク情報を送信する段階
をさらに備える、
請求項６３から６８のいずれか１項に記載の方法。
【請求項７０】
ランダムアクセス方法であって、
ネットワーク側デバイスによって、スケジューリング情報を送信する段階であって、前記スケジューリング情報は、アップリンクリソース情報を保持し、前記アップリンクリソース情報は、アップリンク情報が送信される場合に利用可能なリソースを示すために用いられ、前記スケジューリング情報は、前記アップリンク情報を送信するよう前記ユーザ機器に命令するために用いられる、段階と、
前記ネットワーク側デバイスによって、ランダムアクセスコードを受信する段階であって、前記ランダムアクセスコードは、前記アップリンクリソースに従って送信される、段階と、
前記ネットワーク側デバイスによって、前記ランダムアクセスコードに従って、ランダムアクセス応答を送信する段階と、
を備える方法。
【請求項７１】
前記ネットワーク側デバイスによって、ランダムアクセスコードを受信する前記段階の前に、前記方法は、
前記ネットワーク側デバイスによって、ランダムアクセスリソース情報を送信する段階であって、前記ランダムアクセスリソース情報は、少なくとも１つのランダムアクセスコードを含む、段階
をさらに備える、
請求項７０に記載の方法。
【請求項７２】
前記少なくとも１つのランダムアクセスコードは、同じグループに属し、
前記ネットワーク側デバイスによって、ランダムアクセスコードを受信する前記段階は、
前記ネットワーク側デバイスによって、前記少なくとも１つのランダムアクセスコードのうちの１つを受信する段階
を含む、
請求項７１に記載の方法。
【請求項７３】
前記少なくとも１つのランダムアクセスコードは、少なくとも１つの専用ランダムアクセスコードを含み、
前記ネットワーク側デバイスによって、ランダムアクセスコードを受信する前記段階は、
前記ネットワーク側デバイスによって、前記少なくとも１つの専用ランダムアクセスコードのうちの１つを受信する段階
を含む、
請求項７１又は７２に記載の方法。
【請求項７４】
前記ランダムアクセスリソース情報は、ランダムアクセスチャネルリソース情報を含む、請求項７０から７３のいずれか１項に記載の方法。
【請求項７５】
前記ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である、請求項７４に記載の方法。
【請求項７６】
前記ネットワーク側デバイスによって、前記ランダムアクセスコードに従って、ランダムアクセス応答を送信する前記段階の後で、前記方法は、
前記ネットワーク側デバイスによって、前記アップリンク情報を受信する段階
をさらに備える、
請求項７０から７５のいずれか１項に記載の方法。
【発明の詳細な説明】
【技術分野】
【０００１】
本発明は、通信技術分野に関し、詳細には、アップリンク情報送信方法及び装置に関する。
【背景技術】
【０００２】
従来技術では、ＵＥ（Ｕｓｅｒ  Ｅｑｕｉｐｍｅｎｔ、ユーザ機器）がＲＲＣ（Ｒａｄｉｏ  Ｒｅｓｏｕｒｃｅ  Ｃｏｎｔｒｏｌ、無線リソース制御）接続状態にある場合、ＵＥがアップリンク非同期となった後で、ＵＥは、割り当てられたアップリンクリソース、例えば、ＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）リソース、ＳＲＳ（Ｓｏｕｎｄｉｎｇ  Ｒｅｆｅｒｅｎｃｅ  Ｓｉｇｎａｌ、サウンディング参照信号）リソース、又は半静的ＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）リソースを解放する。ＵＥがアップリンク非同期となった後、ＵＥは、ランダムアクセスコードを除き、あらゆる他の情報を、ネットワーク側に送信しない。例えば、ＵＥは、アップリンクデータを送信しない。他の例では、ＵＥが、ネットワーク側によって送信されたダウンリンクデータを受信した場合であっても、ＵＥは、ダウンリンクデータのアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバックを実行しない。
【０００３】
ＵＥがアップリンク非同期となった後で、ＵＥが、アップリンクデータを送信すること又はアップリンクＨＡＲＱフィードバックを実行することを必要とする場合、ＵＥは、最初に、ランダムアクセスプロセスを実行し、アップリンク同期を実装することを必要とする。そこで、アップリンク同期を実装した後で、ＵＥは、アップリンクデータを送信又はアップリンクＨＡＲＱフィードバックを実行する。
【０００４】
例えば、アップリンクデータがＵＥに到達した場合、ＵＥはアップリンク非同期であり、アップリンク送信を実行できないので、ＵＥは、ランダムアクセスを実行する。ランダムアクセスの完了後、ＵＥは、アップリンク同期を実装し、次に、アップリンクデータを送信することができる。同様に、ダウンリンクデータがネットワーク側に到達した後、ＵＥはアップリンク非同期であり、アップリンク送信を実行できない、すなわち、ダウンリンクデータに対するフィードバックを実行できないので、ネットワーク側は、ランダムアクセスを実行するようＵＥをトリガする。ランダムアクセスの完了後、ＵＥは、アップリンク同期を実装する。ネットワーク側デバイスは、ダウンリンクデータをＵＥに送信し、ＵＥは、受信されたダウンリンクデータに対してアップリンクＨＡＲＱフィードバックを実行する。
【０００５】
しかしながら、現在のところ、ＵＥがアップリンク同期を実行するプロセスは比較的複雑なので、アップリンクデータが送信される場合、又はダウンリンクデータのアップリンクＨＡＲＱフィードバックが送信される場合、遅延は比較的長く、効率は比較的低い。
【発明の概要】
【０００６】
本発明の実施形態は、アップリンク情報送信方法及び装置を提供することにより、アップリンクデータ送信又はダウンリンクデータのアップリンクＨＡＲＱフィードバック送信における長遅延及び低効率という、従来技術の欠点を克服する。
【０００７】
第１の態様によれば、ユーザ機器が提供される。ユーザ機器は、
スケジューリング情報及びタイミングアドバンス情報を決定するように構成される決定モジュールであって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、決定モジュールと、
タイミングアドバンス情報に従って、タイミングアドバンスを調整するように構成される調整モジュールと、
調整されたタイミングアドバンスを用いることによって、スケジューリング情報に従って、アップリンク情報を送信するように構成される送信モジュールと、
を含む。
【０００８】
第１の態様に関連して、第１の可能な実装において、決定モジュールがスケジューリング情報及びタイミングアドバンス情報を決定することは、具体的には、
決定モジュールが、第１の伝送時間間隔ＴＴＩで、スケジューリング情報及びタイミングアドバンス情報を決定すること
である。
【０００９】
第１の態様の第１の可能な実装に関連して、第２の可能な実装において、送信モジュールが、調整されたタイミングアドバンスを用いることによって、スケジューリング情報に従って、アップリンク情報を送信することは、具体的には、
送信モジュールが、第２のＴＴＩで、調整されたタイミングアドバンスを用いることによって、スケジューリング情報に従って、アップリンク情報を送信すること
であり、
第２のＴＴＩ及び第１のＴＴＩは、Ｎ個のＴＴＩによって分離され、Ｎは、０より大きい又はこれに等しい。
【００１０】
第１の態様、及び第１の態様の第１から第２の可能な実装に関連して、第３の可能な実装において、決定モジュールは、タイミングアドバンスを決定するようにさらに構成される。
【００１１】
第１の態様、及び第１の態様の第１から第３の可能な実装に関連して、第４の可能な実装において、ユーザ機器は、メディアアクセス制御ＭＡＣ制御要素ＣＥ又は物理層制御シグナリングを受信するように構成される受信モジュールをさらに含み、
決定モジュールがタイミングアドバンス情報を決定することは、具体的には、
決定モジュールが、ＭＡＣ  ＣＥからタイミングアドバンス情報を取得すること、又は、
ユーザ機器が、物理層制御シグナリングからタイミングアドバンス情報を取得すること
である。
【００１２】
第１の態様、及び第１の態様の第１から第４の可能な実装に関連して、第５の可能な実装において、ユーザ機器は、物理層制御シグナリングを受信するように構成される受信モジュールをさらに含み、
決定モジュールがスケジューリング情報を決定することは、具体的には、
決定モジュールが、物理層制御シグナリングからスケジューリング情報を取得すること
である。
【００１３】
第１の態様、及び第１の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００１４】
第１の態様、及び第１の態様の第１から第６の可能な実装に関連して、第７の可能な実装において、アップリンク情報は、アップリンクＨＡＲＱフィードバック情報を含み、
決定モジュールは、アップリンクＨＡＲＱフィードバック情報が送信される場合に利用可能なフィードバックリソースを決定するようにさらに構成され、
送信モジュールが、調整されたタイミングアドバンスを用いることによって、スケジューリング情報に従って、アップリンク情報を送信することは、具体的には、
送信モジュールが、調整されたタイミングアドバンスを用いることによって、スケジューリング情報に従って、フィードバックリソースにおいて、アップリンク情報を送信すること
である。
【００１５】
第１の態様の第７の可能な実装に関連して、第８の可能な実装において、決定モジュールが、アップリンクＨＡＲＱフィードバック情報が送信される場合に利用可能なフィードバックリソースを決定することは、具体的には、
決定モジュールが、リソース構成情報を決定し、リソース構成情報に対応するリソースをフィードバックリソースとして用いること
である。
【００１６】
第１の態様の第８の可能な実装に関連して、第９の可能な実装において、リソース構成情報は、時間ドメイン情報、周波数ドメイン情報、又はコードドメイン情報の少なくとも１つを含む。
【００１７】
第１の態様、及び第１の態様の第１から第９の可能な実装に関連して、第１０の可能な実装において、ユーザ機器は、タイミングアドバンス調整指示を受信するように構成される受信モジュールをさらに含み、タイミングアドバンス調整指示は、ユーザ機器が、タイミングアドバンス情報に従って、タイミングアドバンスを調整可能であることを示すために用いられる。
【００１８】
第１の態様、及び第１の態様の第１から第１０の可能な実装に関連して、第１１の可能な実装において、決定モジュールは、ユーザ機器が非同期状態にあると決定するようにさらに構成される。
【００１９】
第２の態様によれば、ネットワーク側デバイスが提供される。ネットワーク側デバイスは、
スケジューリング情報及びタイミングアドバンス情報を送信するように構成される送信モジュールであって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、送信モジュールと、
アップリンク情報を受信するように構成される受信モジュールであって、アップリンクデータは、スケジューリング情報及びタイミングアドバンス情報に従って送信される、受信モジュールと、
を含む。
【００２０】
第２の態様に関連して、第１の可能な実装において、送信モジュールがスケジューリング情報及びタイミングアドバンス情報を送信することは、具体的には、
送信モジュールが、第１の伝送時間間隔ＴＴＩで、スケジューリング情報及びタイミングアドバンス情報を送信すること
である。
【００２１】
第２の態様の第１の可能な実装に関連して、第２の可能な実装において、受信モジュールがアップリンク情報を受信することは、具体的には、
受信モジュールが、第２のＴＴＩでアップリンク情報を受信すること
であり、
第２のＴＴＩ及び第１のＴＴＩは、Ｎ個のＴＴＩによって分離され、Ｎは、０より大きい又はこれに等しい。
【００２２】
第２の態様、及び第２の態様の第１から第２の可能な実装に関連して、第３の可能な実装において、送信モジュールは、タイミングアドバンスを送信するようにさらに構成される。
【００２３】
第２の態様、及び第２の態様の第１から第３の可能な実装に関連して、第４の可能な実装において、送信モジュールがタイミングアドバンス情報を送信することは、具体的には、
送信モジュールが、メディアアクセス制御ＭＡＣ制御要素ＣＥを送信することであって、ＭＡＣ  ＣＥが、タイミングアドバンス情報を保持する、送信すること、又は、
送信モジュールが、物理層制御シグナリングを送信することであって、物理層制御シグナリングが、タイミングアドバンス情報を保持する、送信すること
である。
【００２４】
第２の態様、及び第２の態様の第１から第４の可能な実装に関連して、第５の可能な実装において、送信モジュールがスケジューリング情報を送信することは、具体的には、
送信モジュールが、物理層制御シグナリングを送信することであって、物理層制御シグナリングは、スケジューリング情報を保持する、送信すること
である。
【００２５】
第２の態様、及び第２の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００２６】
第２の態様、及び第２の態様の第１から第６の可能な実装に関連して、第７の可能な実装において、アップリンク情報は、アップリンクＨＡＲＱフィードバック情報を含み、
送信モジュールは、リソース構成情報を送信するようにさらに構成され、リソース構成情報に対応するリソースは、フィードバックリソースであり、フィードバックリソースは、アップリンクＨＡＲＱフィードバック情報が送信される場合に利用可能なリソースである。
【００２７】
第２の態様の第７の可能な実装に関連して、第８の可能な実装において、リソース構成情報は、時間ドメイン情報、周波数ドメイン情報、又はコードドメイン情報の少なくとも１つを含む。
【００２８】
第２の態様、及び第２の態様の第１から第８の可能な実装に関連して、第９の可能な実装において、送信モジュールは、アップリンクのタイミングアドバンス調整指示を送信するようにさらに構成され、タイミングアドバンス調整指示は、ユーザ機器が、タイミングアドバンス情報に従って、タイミングアドバンスを調整可能であることを示すために用いられる。
【００２９】
第３の態様によれば、ユーザ機器が提供される。ユーザ機器は、
スケジューリング情報を受信するように構成される受信モジュールであって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、受信モジュールと、
ユーザ機器が非同期状態にあると決定するように構成される決定モジュールと、
決定モジュールが、ユーザ機器が非同期状態にあると決定した場合に、アップリンクリソースを用いることによって、ランダムアクセスコードを送信するように構成される送信モジュールと、
を含み、
受信モジュールは、ランダムアクセス応答を受信するようにさらに構成され、ランダムアクセス応答は、ランダムアクセスコードに従って送信される。
【００３０】
第３の態様に関連して、第１の可能な実装において、送信モジュールが、アップリンクリソースを用いることによってランダムアクセスコードを送信することは、具体的には、
送信モジュールが、少なくとも１つのターゲット物理リソースブロックを用いることによってランダムアクセスコードを送信すること
であり、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている。
【００３１】
第３の態様、及び第３の態様の第１の可能な実装に関連して、第２の可能な実装において、決定モジュールは、ランダムアクセスリソース情報を決定するようにさらに構成され、ランダムアクセスリソース情報は、少なくとも１つのランダムアクセスコードを含む。
【００３２】
第３の態様の第２の可能な実装に関連して、第３の可能な実装において、少なくとも１つのランダムアクセスコードは、同じグループに属し、
送信モジュールが、アップリンクリソースを用いることによってランダムアクセスコードを送信することは、具体的には、
送信モジュールが、少なくとも１つのランダムアクセスコードのうちの１つを選択し、アップリンクリソースを用いることによって、選択されたランダムアクセスコードを送信すること
である。
【００３３】
第３の態様の第２又は第３の可能な実装に関連して、第４の可能な実装において、少なくとも１つのランダムアクセスコードは、少なくとも１つの専用ランダムアクセスコードを含み、
送信モジュールが、アップリンクリソースを用いることによってランダムアクセスコードを送信することは、具体的には、
送信モジュールが、少なくとも１つの専用ランダムアクセスコードのうちの１つを選択し、アップリンクリソースを用いることによって選択された専用ランダムアクセスコードを送信すること
である。
【００３４】
第３の態様、及び第３の態様の第１から第４の可能な実装に関連して、第５の可能な実装において、ランダムアクセスリソース情報は、ランダムアクセスチャネルリソース情報を含み、
決定モジュールが、ユーザ機器が非同期状態にあると決定した場合に、送信モジュールは、ランダムアクセスチャネルリソースを用いることによって、ランダムアクセスコードを送信するようにさらに構成され、ランダムアクセスチャネルリソースは、ランダムアクセスチャネルリソース情報によって示されるチャネルリソースである。
【００３５】
第３の態様の第５の可能な実装に関連して、第６の可能な実装において、送信モジュールが、ランダムアクセスチャネルリソースを用いることによってランダムアクセスコードを送信することは、具体的には、
送信モジュールが、アップリンクリソースが位置するＴＴＩのランダムアクセスチャネルリソースを用いることによって、ランダムアクセスコードを送信すること、及び／又は、
送信モジュールが、アップリンクリソースを用いることによってランダムアクセスコードを送信すること、及び／又は、
送信モジュールが、アップリンクリソースが位置するＴＴＩの後のランダムアクセスチャネルリソースを用いることによって、ランダムアクセスコードを送信すること
である。
【００３６】
第３の態様の第５又は第６の可能な実装態様に関連して、第７の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００３７】
第３の態様、及び第３の態様の第１から第７の可能な実装に関連して、第８の可能な実装において、送信モジュールは、ランダムアクセス応答に従って、アップリンク情報を送信するようにさらに構成される。
【００３８】
第４の態様によれば、ネットワーク側デバイスが提供される。ネットワーク側デバイスは、
スケジューリング情報を送信するように構成される送信モジュールであって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、送信モジュールと、
ランダムアクセスコードを受信するように構成される受信モジュールであって、ランダムアクセスコードは、アップリンクリソースに従って送信される、受信モジュールと、
を含み、
送信モジュールは、ランダムアクセスコードに従って、ランダムアクセス応答を送信するようにさらに構成される。
【００３９】
第４の態様に関連して、第１の可能な実装において、送信モジュールは、ランダムアクセスリソース情報を送信するようにさらに構成され、ランダムアクセスリソース情報は、少なくとも１つのランダムアクセスコードを含む。
【００４０】
第４の態様の第１の可能な実装に関連して、第２の可能な実装において、少なくとも１つのランダムアクセスコードは、同じグループに属し、
受信モジュールがランダムアクセスコードを受信することは、具体的には、
受信モジュールが、少なくとも１つのランダムアクセスコードのうちの１つを受信すること
である。
【００４１】
第４の態様の第１又は第２の可能な実装態様に関連して、第３の可能な実装において、少なくとも１つのランダムアクセスコードは、少なくとも１つの専用ランダムアクセスコードを含み、
受信モジュールがランダムアクセスコードを受信することは、具体的には、
受信モジュールが、少なくとも１つの専用ランダムアクセスコードのうちの１つを受信すること
である。
【００４２】
第４の態様、及び第４の態様の第１から第３の可能な実装に関連して、第４の可能な実装において、ランダムアクセスリソース情報は、ランダムアクセスチャネルリソース情報を含む。
【００４３】
第４の態様の第４の可能な実装に関連して、第５の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００４４】
第４の態様、及び第４の態様の第１から第５の可能な実装に関連して、第６の可能な実装において、受信モジュールは、アップリンク情報を受信するようにさらに構成される。
【００４５】
第５の態様によれば、アップリンク情報送信方法が提供される。アップリンク情報送信方法は、
ユーザ機器によって、スケジューリング情報及びタイミングアドバンス情報を決定する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ユーザ機器によって、タイミングアドバンス情報に従って、タイミングアドバンスを調整する段階と、
ユーザ機器によって、調整されたタイミングアドバンスを用いることによって、スケジューリング情報に従って、アップリンク情報を送信する段階と、
を含む。
【００４６】
第５の態様に関連して、第１の可能な実装において、ユーザ機器によって、スケジューリング情報及びタイミングアドバンス情報を決定する段階は、
ユーザ機器によって、第１の伝送時間間隔ＴＴＩで、スケジューリング情報及びタイミングアドバンス情報を決定する段階
を含む。
【００４７】
第５の態様の第１の可能な実装に関連して、第２の可能な実装において、ユーザ機器によって、調整されたタイミングアドバンスを用いることによって、スケジューリング情報に従って、アップリンク情報を送信する段階は、
ユーザ機器によって、第２のＴＴＩで、調整されたタイミングアドバンスを用いることによって、スケジューリング情報に従って、アップリンク情報を送信する段階であって、第２のＴＴＩ及び第１のＴＴＩは、Ｎ個のＴＴＩによって分離され、Ｎは、０より大きい又はこれに等しい、段階
を含む。
【００４８】
第５の態様、及び第５の態様の第１から第２の可能な実装に関連して、第３の可能な実装において、ユーザ機器によって、タイミングアドバンス情報に従って、タイミングアドバンスを調整する段階の前に、方法は、
ユーザ機器によって、タイミングアドバンスを決定する段階
をさらに含む。
【００４９】
第５の態様、又は第５の態様の第１から第３の可能な実装に関連して、第４の可能な実装において、ユーザ機器によって、タイミングアドバンス情報を決定する段階は、
ユーザ機器によって、メディアアクセス制御ＭＡＣ制御要素ＣＥを受信し、ＭＡＣ  ＣＥからタイミングアドバンス情報を取得する段階、又は、
ユーザ機器によって、物理層制御シグナリングを受信し、物理層制御シグナリングからタイミングアドバンス情報を取得する段階
を含む。
【００５０】
第５の態様、及び第５の態様の第１から第４の可能な実装に関連して、第５の可能な実装において、ユーザ機器によって、スケジューリング情報を決定する段階は、
ユーザ機器によって、物理層制御シグナリングを受信し、物理層制御シグナリングからスケジューリング情報を取得する段階
を含む。
【００５１】
第５の態様、及び第５の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００５２】
第５の態様、及び第５の態様の第１から第６の可能な実装に関連して、第７の可能な実装において、アップリンク情報は、アップリンクＨＡＲＱフィードバック情報を含み、
ユーザ機器によって、アップリンク情報を送信する段階の前に、方法は、
ユーザ機器によって、アップリンクＨＡＲＱフィードバック情報が送信される場合に利用可能なフィードバックリソースを決定する段階
をさらに含み、
ユーザ機器によって、調整されたタイミングアドバンスを用いることによって、スケジューリング情報に従って、アップリンク情報を送信する段階は、
ユーザ機器によって、調整されたタイミングアドバンスを用いることによって、スケジューリング情報に従って、フィードバックリソースにおいて、アップリンク情報を送信する段階
を含む。
【００５３】
第５の態様の第７の可能な実装に関連して、第８の可能な実装において、ユーザ機器によって、アップリンクＨＡＲＱフィードバック情報が送信される場合に利用可能なフィードバックリソースを決定する段階は、
ユーザ機器によって、リソース構成情報を決定し、リソース構成情報に対応するリソースをフィードバックリソースとして用いる段階
を含む。
【００５４】
第５の態様の第８の可能な実装に関連して、第９の可能な実装において、リソース構成情報は、時間ドメイン情報、周波数ドメイン情報、又はコードドメイン情報の少なくとも１つを含む。
【００５５】
第５の態様、及び第５の態様の第１から第９の可能な実装に関連して、第１０の可能な実装において、ユーザ機器によって、調整されたタイミングアドバンスを用いることによって、スケジューリング情報に従って、アップリンク情報を送信する段階の前に、方法は、
ユーザ機器によって、タイミングアドバンス調整指示を受信する段階であって、タイミングアドバンス調整指示は、ユーザ機器が、タイミングアドバンス情報に従って、タイミングアドバンスを調整可能であることを示すために用いられる、段階
をさらに含む。
【００５６】
第５の態様、及び第５の態様の第１から第１０の可能な実装に関連して、第１１の可能な実装において、ユーザ機器によって、タイミングアドバンスを決定する段階の前に、方法は、
ユーザ機器によって、ユーザ機器が非同期状態にあると決定する段階
をさらに含む。
【００５７】
第６の態様によれば、アップリンク情報送信方法が提供される。アップリンク情報送信方法は、
ネットワーク側デバイスによって、スケジューリング情報及びタイミングアドバンス情報を送信する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ネットワーク側デバイスによって、アップリンク情報を受信する段階であって、アップリンクデータは、スケジューリング情報及びタイミングアドバンス情報に従って送信される、段階と、
を含む。
【００５８】
第６の態様に関連して、第１の可能な実装において、ネットワーク側デバイスによって、スケジューリング情報及びタイミングアドバンス情報を送信する段階は、
ネットワーク側デバイスによって、第１の伝送時間間隔ＴＴＩで、スケジューリング情報及びタイミングアドバンス情報を送信する段階
を含む。
【００５９】
第６の態様の第１の可能な実装に関連して、第２の可能な実装において、ネットワーク側デバイスによって、アップリンク情報を受信する段階は、
ネットワーク側デバイスによって、第２のＴＴＩで、アップリンク情報を受信する段階
を含み、
第２のＴＴＩ及び第１のＴＴＩは、Ｎ個のＴＴＩによって分離され、Ｎは、０より大きい又はこれに等しい。
【００６０】
第６の態様、及び第６の態様の第１から第２の可能な実装に関連して、第３の可能な実装において、ネットワーク側デバイスによって、アップリンク情報を受信する段階の前に、方法は、
ネットワーク側デバイスによって、タイミングアドバンスを送信する段階
をさらに含む。
【００６１】
第６の態様、及び第６の態様の第１から第３の可能な実装に関連して、第４の可能な実装において、ネットワーク側デバイスによって、タイミングアドバンス情報を送信する段階は、
ネットワーク側デバイスによって、メディアアクセス制御ＭＡＣ制御要素ＣＥを送信する段階であって、ＭＡＣ  ＣＥは、タイミングアドバンス情報を保持する、段階、又は、
ネットワーク側デバイスによって、物理層制御シグナリングを送信する段階であって、物理層制御シグナリングは、タイミングアドバンス情報を保持する、段階
を含む。
【００６２】
第６の態様、及び第６の態様の第１から第４の可能な実装に関連して、第５の可能な実装において、ネットワーク側デバイスによって、スケジューリング情報を送信する段階は、
ネットワーク側デバイスによって、物理層制御シグナリングを送信する段階であって、物理層制御シグナリングは、スケジューリング情報を保持する、段階
を含む。
【００６３】
第６の態様、及び第６の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００６４】
第６の態様、及び第６の態様の第１から第６の可能な実装に関連して、第７の可能な実装において、アップリンク情報は、アップリンクＨＡＲＱフィードバック情報を含み、
ネットワーク側デバイスによって、アップリンク情報を受信する段階の前に、方法は、
ネットワーク側デバイスによって、リソース構成情報を送信する段階であって、リソース構成情報に対応するリソースは、フィードバックリソースであり、フィードバックリソースは、アップリンクＨＡＲＱフィードバック情報が送信される場合に利用可能なリソースである、段階
をさらに含む。
【００６５】
第６の態様の第７の可能な実装に関連して、第８の可能な実装において、リソース構成情報は、時間ドメイン情報、周波数ドメイン情報、又はコードドメイン情報の少なくとも１つを含む。
【００６６】
第６の態様、及び第６の態様の第１から第８の可能な実装に関連して、第９の可能な実装において、ネットワーク側デバイスによって、アップリンク情報を受信する段階の前に、方法は、
ネットワーク側デバイスによって、アップリンクのタイミングアドバンス調整指示を送信する段階であって、タイミングアドバンス調整指示は、ユーザ機器が、タイミングアドバンス情報に従って、タイミングアドバンスを調整可能であることを示すために用いられる、段階
をさらに含む。
【００６７】
第７の態様によれば、ランダムアクセス方法が提供される。ランダムアクセス方法は、
ユーザ機器によって、スケジューリング情報を受信する段階であって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、段階と、
ユーザ機器が非同期状態にあると決定した場合に、ユーザ機器によって、アップリンクリソースを用いることによって、ランダムアクセスコードを送信する段階と、
ユーザ機器によって、ランダムアクセス応答を受信する段階であって、ランダムアクセス応答は、ランダムアクセスコードに従って送信される、段階と、
を含む。
【００６８】
第７の態様に関連して、第１の可能な実装において、ユーザ機器によって、アップリンクリソースを用いることによって、ランダムアクセスコードを送信する段階は、
ユーザ機器によって、少なくとも１つのターゲット物理リソースブロックを用いることによって、ランダムアクセスコードを送信する段階
を含み、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている。
【００６９】
第７の態様、及び第７の態様の第１の可能な実装に関連して、第２の可能な実装において、ユーザ機器によって、アップリンクリソースを用いることによって、ランダムアクセスコードを送信する段階の前に、方法は、
ユーザ機器によって、ランダムアクセスリソース情報を決定する段階であって、ランダムアクセスリソース情報は、少なくとも１つのランダムアクセスコードを含む、段階
をさらに含む。
【００７０】
第７の態様の第２の可能な実装に関連して、第３の可能な実装において、少なくとも１つのランダムアクセスコードは、同じグループに属し、
ユーザ機器によって、アップリンクリソースを用いることによって、ランダムアクセスコードを送信する段階は、
ユーザ機器によって、少なくとも１つのランダムアクセスコードのうちの１つを選択し、アップリンクリソースを用いることによって、選択されたランダムアクセスコードを送信する段階
を含む。
【００７１】
第７の態様の第２又は第３の可能な実装に関連して、第４の可能な実装において、少なくとも１つのランダムアクセスコードは、少なくとも１つの専用ランダムアクセスコードを含み、
ユーザ機器によって、アップリンクリソースを用いることによって、ランダムアクセスコードを送信する段階は、
ユーザ機器によって、少なくとも１つの専用ランダムアクセスコードのうちの１つを選択し、アップリンクリソースを用いることによって、選択された専用ランダムアクセスコードを送信する段階
を含む。
【００７２】
第７の態様、及び第７の態様の第１から第４の可能な実装に関連して、第５の可能な実装において、ランダムアクセスリソース情報は、ランダムアクセスチャネルリソース情報を含み、
方法は、
ユーザ機器が非同期状態にあると決定した場合に、ユーザ機器によって、ランダムアクセスチャネルリソースを用いることによって、ランダムアクセスコードを送信する段階であって、ランダムアクセスチャネルリソースは、ランダムアクセスチャネルリソース情報によって示されるチャネルリソースである、段階
をさらに含む。
【００７３】
第７の態様の第５の可能な実装に関連して、第６の可能な実装において、ユーザ機器によって、ランダムアクセスチャネルリソースを用いることによって、ランダムアクセスコードを送信する段階は、
ユーザ機器によって、アップリンクリソースが位置するＴＴＩのランダムアクセスチャネルリソースを用いることによって、ランダムアクセスコードを送信する段階、及び／又は、
ユーザ機器によって、アップリンクリソースを用いることによって、ランダムアクセスコードを送信する段階、及び／又は、
ユーザ機器によって、アップリンクリソースが位置するＴＴＩの後のランダムアクセスチャネルリソースを用いることによって、ランダムアクセスコードを送信する段階
を含む。
【００７４】
第７の態様の第５又は第６の可能な実装態様に関連して、第７の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００７５】
第７の態様、及び第７の態様の第１から第７の可能な実装に関連して、第８の可能な実装において、ユーザ機器によって、ランダムアクセス応答を受信する段階の後で、方法は、
ユーザ機器によって、ランダムアクセス応答に従って、アップリンク情報を送信する段階
をさらに含む。
【００７６】
第８の態様によれば、ランダムアクセス方法が提供される。ランダムアクセス方法は、
ネットワーク側デバイスによって、スケジューリング情報を送信する段階であって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、段階と、
ネットワーク側デバイスによって、ランダムアクセスコードを受信する段階であって、ランダムアクセスコードは、アップリンクリソースに従って送信される、段階と、
ネットワーク側デバイスによって、ランダムアクセスコードに従って、ランダムアクセス応答を送信する段階と、
を含む。
【００７７】
第８の態様に関連して、第１の可能な実装において、ネットワーク側デバイスによって、ランダムアクセスコードを受信する段階の前に、方法は、
ネットワーク側デバイスによって、ランダムアクセスリソース情報を送信する段階であって、ランダムアクセスリソース情報は、少なくとも１つのランダムアクセスコードを含む、段階
をさらに含む。
【００７８】
第８の態様の第１の可能な実装に関連して、第２の可能な実装において、少なくとも１つのランダムアクセスコードは、同じグループに属し、
ネットワーク側デバイスによって、ランダムアクセスコードを受信する段階は、
ネットワーク側デバイスによって、少なくとも１つのランダムアクセスコードのうちの１つを受信する段階
を含む。
【００７９】
第８の態様の第１又は第２の可能な実装態様に関連して、第３の可能な実装において、少なくとも１つのランダムアクセスコードは、少なくとも１つの専用ランダムアクセスコードを含み、
ネットワーク側デバイスによって、ランダムアクセスコードを受信する段階は、
ネットワーク側デバイスによって、少なくとも１つの専用ランダムアクセスコードのうちの１つを受信する段階
を含む。
【００８０】
第８の態様、及び第８の態様の第１から第３の可能な実装に関連して、第４の可能な実装において、ランダムアクセスリソース情報は、ランダムアクセスチャネルリソース情報を含む。
【００８１】
第８の態様の第４の可能な実装に関連して、第５の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００８２】
第８の態様、及び第８の態様の第１から第５の可能な実装に関連して、第６の可能な実装において、ネットワーク側デバイスによって、ランダムアクセスコードに従って、ランダムアクセス応答を送信する段階の後で、方法は、
ネットワーク側デバイスによって、アップリンク情報を受信する段階
をさらに含む。
【００８３】
本発明の実施形態は、アップリンク情報送信方法を提供し、方法は、
ユーザ機器によって、スケジューリング情報及びタイミングアドバンス情報を決定する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ユーザ機器によって、タイミングアドバンス情報に従って、タイミングアドバンスを調整する段階と、
ユーザ機器によって、調整されたタイミングアドバンスを用いることによって、スケジューリング情報に従って、アップリンク情報を送信する段階と、
を含む。従来技術では、ユーザ機器がアップリンク非同期である場合、ユーザ機器は、ランダムアクセスプロセスを用いることによってのみ、アップリンク同期を実装することができる。ランダムアクセスプロセスを実行する場合に、ユーザ機器は、ランダムアクセスコードをネットワーク側デバイスに送信し、次に、ネットワーク側デバイスが、タイミングアドバンス情報をユーザ機器に戻す必要がある。しかしながら、本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、次に、ユーザ機器は、タイミングアドバンス情報に従って、アップリンク同期を実装することができる。このように、アップリンクデータの送信又はダウンリンクデータのアップリンクＨＡＲＱフィードバックの送信における長遅延及び低効率という従来技術の欠点が、克服される。
【図面の簡単な説明】
【００８４】
【図１Ａ】本発明の実施形態に係るユーザ機器の模式図である。
【００８５】
【図１Ｂ】本発明の実施形態に係るユーザ機器の他の模式図である。
【００８６】
【図２Ａ】本発明の実施形態に係るネットワーク側デバイスの模式図である。
【００８７】
【図２Ｂ】本発明の実施形態に係るネットワーク側デバイスの他の模式図である。
【００８８】
【図３Ａ】本発明の実施形態に係るユーザ機器の他の模式図である。
【００８９】
【図３Ｂ】本発明の実施形態に係るユーザ機器の他の模式図である。
【００９０】
【図４Ａ】本発明の実施形態に係るネットワーク側デバイスの他の模式図である。
【００９１】
【図４Ｂ】本発明の実施形態に係るネットワーク側デバイスの他の模式図である。
【００９２】
【図５Ａ】本発明の実施形態に係るアップリンク情報送信の模式的フローチャートである。
【００９３】
【図５Ｂ】本発明の実施形態に係る、タイミングアドバンスが調整されることを必要としない模式図である。
【００９４】
【図５Ｃ】本発明の実施形態に係る、タイミングアドバンスが前に調整されることを必要とする模式図である。
【００９５】
【図５Ｄ】本発明の実施形態に係る、タイミングアドバンスが後ろに調整されることを必要とする模式図である。
【００９６】
【図６】本発明の実施形態に係るアップリンク情報送信の他の模式的フローチャートである。
【００９７】
【図７Ａ】本発明の実施形態に係るランダムアクセスの模式的フローチャートである。
【００９８】
【図７Ｂ】本発明の実施形態に係るのランダムアクセスチャネルリソースの模式図である。
【００９９】
【図８】本発明の実施形態に係るランダムアクセスの他の模式的フローチャートである。
【０１００】
【図９】本発明の実施形態に係るアップリンク情報送信の模式的フローチャートである。
【０１０１】
【図１０】本発明の実施形態に係るアップリンク情報送信の実施形態である。
【０１０２】
【図１１】本発明の実施形態に係るアップリンク情報送信の他の実施形態である。
【発明を実施するための形態】
【０１０３】
本発明の目的、技術的解決手段、及び利点をより明確にするために、以下、本発明を、さらに添付図面を参照して詳細に説明する。説明される実施形態は、本発明の実施形態の全てではなく、その一部に過ぎないことは明らかである。当業者によって、創造的努力なく、本発明の実施形態に基づいて取得される全ての他の実施形態は、本発明の保護範囲に属するものとする。
【０１０４】
以下、本発明の好適な実装が、添付図面を参照して詳細に説明される。本明細書において説明される好適な実施形態は、本発明を例示及び説明するために用いられるに過ぎず、本発明を限定することを意図するものではないことを理解されたい。さらに、本願の実施形態及び実施形態における特徴は、これらが互いに競合しない場合、相互に組み合わせられてよい。
【０１０５】
図１Ａを参照すると、ユーザ機器が提供される。ユーザ機器は、決定モジュール１０、調整モジュール１１、及び送信モジュール１２を含む。
【０１０６】
決定モジュール１０は、スケジューリング情報及びタイミングアドバンス情報を決定するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１０７】
調整モジュール１１は、タイミングアドバンス情報に従って、タイミングアドバンスを調整するように構成される。
【０１０８】
送信モジュール１２は、調整されたタイミングアドバンスを用いることによって、スケジューリング情報に従って、アップリンク情報を送信するように構成される。
【０１０９】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１１０】
任意選択的に、決定モジュール１０がスケジューリング情報及びタイミングアドバンス情報を決定することは、具体的には、
決定モジュール１０が、第１のＴＴＩ（Ｔｒａｎｓｍｉｓｓｉｏｎ  Ｔｉｍｅ  Ｉｎｔｅｒｖａｌ、伝送時間間隔）で、スケジューリング情報及びタイミングアドバンス情報を決定すること
である。
【０１１１】
任意選択的に、送信モジュール１２が、調整されたタイミングアドバンスを用いることによって、スケジューリング情報に従って、アップリンク情報を送信することは、具体的には、
送信モジュール１２が、第２のＴＴＩで、調整されたタイミングアドバンスを用いることによって、スケジューリング情報に従って、アップリンク情報を送信すること
である。
【０１１２】
第２のＴＴＩ及び第１のＴＴＩは、Ｎ個のＴＴＩによって分離され、Ｎは、０より大きい又はこれに等しい。
【０１１３】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたスケジューリング情報を、正確に受信してよい。
【０１１４】
タイミングアドバンス情報は、タイミングアドバンスを調整するために用いられるので、決定モジュール１０は、タイミングアドバンスを決定するようにさらに構成される。
【０１１５】
この場合、決定されたタイミングアドバンス情報が意味を持つ。タイミングアドバンスが決定されない場合、タイミングアドバンス情報を決定することは無意味である。
【０１１６】
さらに、ユーザ機器は、ＭＡＣ（Ｍｅｄｉａ  Ａｃｃｅｓｓ  Ｃｏｎｔｒｏｌ、メディアアクセス制御）ＣＥ（Ｃｏｎｔｒｏｌ  Ｅｌｅｍｅｎｔ、制御要素）又は物理層制御シグナリングを受信するように構成される受信モジュール１３をさらに含む。
【０１１７】
この場合、決定モジュール１０がタイミングアドバンス情報を決定することは、具体的には、
決定モジュール１０が、ＭＡＣ  ＣＥからタイミングアドバンス情報を取得すること、又は、
ユーザ機器が、物理層制御シグナリングからタイミングアドバンス情報を取得すること
である。
【０１１８】
ＭＡＣ  ＣＥは、リソースの無駄を回避するために６ビットの調整値を含むので、好ましくは、ＭＡＣ  ＣＥは、タイミングアドバンス情報を保持してよい。
【０１１９】
ユーザ機器は、物理層制御シグナリングを受信するように構成される受信モジュール１３をさらに含む。
【０１２０】
決定モジュール１０がスケジューリング情報を決定することは、具体的には、
決定モジュール１０が、物理層制御シグナリングからスケジューリング情報を取得すること
である。
【０１２１】
任意選択的に、アップリンク情報は、アップリンクデータ及び／又はアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバック情報を含む。
【０１２２】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１２３】
アップリンク情報は、アップリンクＨＡＲＱフィードバック情報を含む。
【０１２４】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、決定モジュール１０は、アップリンクＨＡＲＱフィードバック情報が送信される場合に利用可能なフィードバックリソースを決定するようにさらに構成される。
【０１２５】
送信モジュール１２が、調整されたタイミングアドバンスを用いることによって、スケジューリング情報に従って、アップリンク情報を送信することは、具体的には、
送信モジュール１２が、調整されたタイミングアドバンスを用いることによって、スケジューリング情報に従って、フィードバックリソースにおいて、アップリンク情報を送信すること
である。
【０１２６】
この場合、ユーザ機器は、フィードバックリソースを予め定めることができるので、異なるユーザ機器が同じフィードバックリソースを占有しないことにより、リソース競合を回避する。
【０１２７】
任意選択的に、決定モジュール１０が、アップリンクＨＡＲＱフィードバック情報が送信される場合に利用可能なフィードバックリソースを決定することは、具体的には、
決定モジュール１０が、リソース構成情報を決定し、リソース構成情報に対応するリソースをフィードバックリソースとして用いること
である。
【０１２８】
任意選択的に、リソース構成情報は、時間ドメイン情報、周波数ドメイン情報、又はコードドメイン情報の少なくとも１つを含む。
【０１２９】
ユーザ機器が、本解決手段を用いることによって、又はランダムアクセスプロセスを用いることによって、アップリンク同期の実装を柔軟に選択することができるように、ユーザ機器は、タイミングアドバンス調整指示を受信するように構成される受信モジュール１３をさらに含む。タイミングアドバンス調整指示は、ユーザ機器が、タイミングアドバンス情報に従って、タイミングアドバンスを調整可能であることを示すために用いられる。
【０１３０】
すなわち、本解決手段に従って、アップリンク同期を実装する機能は、受信モジュール１３がタイミングアドバンス調整指示を受信した後でのみ、有効化される。受信モジュール１３がタイミングアドバンス調整指示を受信しない場合、アップリンク同期は、ランダムアクセスプロセスを用いることによってのみ実装可能となる。
【０１３１】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、決定モジュール１０は、ユーザ機器が非同期状態にあると決定するようにさらに構成される。
【０１３２】
図１Ｂを参照すると、本発明の実施形態は、ユーザ機器を提供する。ユーザ機器は、プロセッサ１００及び送信機１１０を含む。
【０１３３】
プロセッサ１００は、スケジューリング情報及びタイミングアドバンス情報を決定するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１３４】
プロセッサ１００は、タイミングアドバンス情報に従って、タイミングアドバンスを調整するようにさらに構成される。
【０１３５】
送信機１１０は、調整されたタイミングアドバンスを用いることによって、スケジューリング情報に従って、アップリンク情報を送信するように構成される。
【０１３６】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１３７】
任意選択的に、プロセッサ１００がスケジューリング情報及びタイミングアドバンス情報を決定することは、具体的には、
プロセッサ１００が、第１のＴＴＩ（Ｔｒａｎｓｍｉｓｓｉｏｎ  Ｔｉｍｅ  Ｉｎｔｅｒｖａｌ、伝送時間間隔）で、スケジューリング情報及びタイミングアドバンス情報を決定すること
である。
【０１３８】
任意選択的に、送信機１１０が、調整されたタイミングアドバンスを用いることによって、スケジューリング情報に従って、アップリンク情報を送信することは、具体的には、
送信機１１０が、第２のＴＴＩで、調整されたタイミングアドバンスを用いることによって、スケジューリング情報に従って、アップリンク情報を送信すること
である。
【０１３９】
第２のＴＴＩ及び第１のＴＴＩは、Ｎ個のＴＴＩによって分離され、Ｎは、０より大きい又はこれに等しい。
【０１４０】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたスケジューリング情報を、正確に受信してよい。
【０１４１】
タイミングアドバンス情報は、タイミングアドバンスを調整するために用いられるので、プロセッサ１００は、タイミングアドバンスを決定するようにさらに構成される。
【０１４２】
この場合、決定されたタイミングアドバンス情報が意味を持つ。タイミングアドバンスが決定されない場合、タイミングアドバンス情報を決定することは無意味である。
【０１４３】
さらに、ユーザ機器は、ＭＡＣ（Ｍｅｄｉａ  Ａｃｃｅｓｓ  Ｃｏｎｔｒｏｌ、メディアアクセス制御）ＣＥ（Ｃｏｎｔｒｏｌ  Ｅｌｅｍｅｎｔ、制御要素）又は物理層制御シグナリングを受信するように構成される受信機１２０をさらに含む。
【０１４４】
この場合、プロセッサ１００がタイミングアドバンス情報を決定することは、具体的には、
プロセッサ１００が、ＭＡＣ  ＣＥからタイミングアドバンス情報を取得すること、又は、
ユーザ機器が、物理層制御シグナリングからタイミングアドバンス情報を取得すること
である。
【０１４５】
ＭＡＣ  ＣＥは、リソースの無駄を回避するために６ビットの調整値を含むので、好ましくは、ＭＡＣ  ＣＥは、タイミングアドバンス情報を保持してよい。
【０１４６】
ユーザ機器は、物理層制御シグナリングを受信するように構成される受信機１２０をさらに含む。
【０１４７】
プロセッサ１００がスケジューリング情報を決定することは、具体的には、
プロセッサ１００が、物理層制御シグナリングからスケジューリング情報を取得すること
である。
【０１４８】
任意選択的に、アップリンク情報は、アップリンクデータ及び／又はアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバック情報を含む。
【０１４９】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１５０】
アップリンク情報は、アップリンクＨＡＲＱフィードバック情報を含む。
【０１５１】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、プロセッサ１００は、アップリンクＨＡＲＱフィードバック情報が送信される場合に利用可能なフィードバックリソースを決定するようにさらに構成される。
【０１５２】
送信機１１０が、調整されたタイミングアドバンスを用いることによって、スケジューリング情報に従って、アップリンク情報を送信することは、具体的には、
送信機１１０が、調整されたタイミングアドバンスを用いることによって、スケジューリング情報に従って、フィードバックリソースにおいて、アップリンク情報を送信すること
である。
【０１５３】
この場合、ユーザ機器は、フィードバックリソースを予め定めることができるので、異なるユーザ機器が同じフィードバックリソースを占有しないことにより、リソース競合を回避する。
【０１５４】
任意選択的に、プロセッサ１００が、アップリンクＨＡＲＱフィードバック情報が送信される場合に利用可能なフィードバックリソースを決定することは、具体的には、
プロセッサ１００が、リソース構成情報を決定し、リソース構成情報に対応するリソースをフィードバックリソースとして用いること
である。
【０１５５】
任意選択的に、リソース構成情報は、時間ドメイン情報、周波数ドメイン情報、又はコードドメイン情報の少なくとも１つを含む。
【０１５６】
ユーザ機器が、本解決手段を用いることによって、又はランダムアクセスプロセスを用いることによって、アップリンク同期の実装を柔軟に選択することができるように、ユーザ機器は、タイミングアドバンス調整指示を受信するように構成される受信機１２０をさらに含む。タイミングアドバンス調整指示は、ユーザ機器が、タイミングアドバンス情報に従って、タイミングアドバンスを調整可能であることを示すために用いられる。
【０１５７】
すなわち、本解決手段に従って、アップリンク同期を実装する機能は、受信機１２０がタイミングアドバンス調整指示を受信した後でのみ、有効化される。受信機１２０がタイミングアドバンス調整指示を受信しない場合、アップリンク同期は、ランダムアクセスプロセスを用いることによってのみ実装可能となる。
【０１５８】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、プロセッサ１００は、ユーザ機器が非同期状態にあると決定するようにさらに構成される。
【０１５９】
図２Ａを参照すると、ネットワーク側デバイスが提供される。ネットワーク側デバイスは、送信モジュール２０及び受信モジュール２１を含む。
【０１６０】
送信モジュール２０は、スケジューリング情報及びタイミングアドバンス情報を送信するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１６１】
受信モジュール２１は、アップリンク情報を受信するように構成される。アップリンクデータは、スケジューリング情報及びタイミングアドバンス情報に従って送信される。
【０１６２】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１６３】
任意選択的に、送信モジュール２０がスケジューリング情報及びタイミングアドバンス情報を送信することは、具体的には、
送信モジュール２０が、第１の伝送時間間隔ＴＴＩで、スケジューリング情報及びタイミングアドバンス情報を送信すること
である。
【０１６４】
任意選択的に、受信モジュール２１がアップリンク情報を受信することは、具体的には、
受信モジュール２１が、第２のＴＴＩで、アップリンク情報を受信すること
である。
【０１６５】
第２のＴＴＩ及び第１のＴＴＩは、Ｎ個のＴＴＩによって分離され、Ｎは、０より大きい又はこれに等しい。
【０１６６】
スケジューリングコマンドに従って、アップリンク情報を送信する場合に、ユーザ機器は、第２のＴＴＩで、調整されたタイミングアドバンスを用いることによって、アップリンク情報を送信してよく、ユーザ機器は、ネットワーク側デバイスと同期される。勿論、第２のＴＴＩ及び第１のＴＴＩは、任意の数のＴＴＩによって分離されてよい。この場合、ネットワーク側デバイスは、ユーザ機器によって送信されたアップリンク情報を、正確に受信してよい。従って、ネットワーク側デバイスによって、アップリンク情報を受信する精度が、向上する。
【０１６７】
タイミングアドバンス情報は、タイミングアドバンスを調整するために用いられるので、送信モジュール２０は、タイミングアドバンスを送信するようにさらに構成される。
【０１６８】
ユーザ機器によって決定されたタイミングアドバンス情報は、この場合、意味を持つ。タイミングアドバンスが決定されない場合、タイミングアドバンス情報を決定することは無意味である。
【０１６９】
さらに、送信モジュール２０がタイミングアドバンス情報を送信することは、具体的には、
送信モジュール２０が、ＭＡＣ  ＣＥを送信することであって、ＭＡＣ  ＣＥが、タイミングアドバンス情報を保持する、送信すること、又は、
送信モジュール２０が、物理層制御シグナリングを送信することであって、物理層制御シグナリングが、タイミングアドバンス情報を保持する、送信すること
である。
【０１７０】
ＭＡＣ  ＣＥは、リソースの無駄を回避するために６ビットの調整値を含むので、好ましくは、ＭＡＣ  ＣＥは、タイミングアドバンス情報を保持してよい。
【０１７１】
任意選択的に、送信モジュール２０がスケジューリング情報を送信することは、具体的には、
送信モジュール２０が、物理層制御シグナリングを送信することであって、物理層制御シグナリングが、スケジューリング情報を保持する、送信すること
である。
【０１７２】
任意選択的に、アップリンク情報は、アップリンクデータ及び／又はアップリンクＨＡＲＱフィードバック情報を含む。
【０１７３】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１７４】
アップリンク情報は、アップリンクＨＡＲＱフィードバック情報を含む。アップリンク情報は、アップリンクＨＡＲＱフィードバック情報を含む。
【０１７５】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、送信モジュール２０は、リソース構成情報を送信するようにさらに構成される。リソース構成情報に対応するリソースは、フィードバックリソースであり、フィードバックリソースは、アップリンクＨＡＲＱフィードバック情報が送信される場合に利用可能なリソースである。
【０１７６】
この場合、ユーザ機器は、フィードバックリソースを予め定めることができるので、異なるユーザ機器が同じフィードバックリソースを占有しないことにより、リソース競合を回避する。
【０１７７】
任意選択的に、リソース構成情報は、時間ドメイン情報、周波数ドメイン情報、又はコードドメイン情報の少なくとも１つを含む。
【０１７８】
ユーザ機器が、本解決手段を用いることによって、又は従来技術を用いることによって、アップリンク同期の実装を柔軟に選択することができるように、送信モジュール２０は、アップリンクのタイミングアドバンス調整指示を送信するようにさらに構成される。タイミングアドバンス調整指示は、ユーザ機器が、タイミングアドバンス情報に従って、タイミングアドバンスを調整可能であることを示すために用いられる。
【０１７９】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となる。
【０１８０】
図２Ｂを参照すると、本発明の実施形態は、ユーザ機器を提供する。ユーザ機器は、送信機２００及び受信機２１０を含む。
【０１８１】
送信機２００は、スケジューリング情報及びタイミングアドバンス情報を送信するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１８２】
受信機２１０は、アップリンク情報を受信するように構成される。アップリンクデータは、スケジューリング情報及びタイミングアドバンス情報に従って送信される。
【０１８３】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１８４】
任意選択的に、送信機２００がスケジューリング情報及びタイミングアドバンス情報を送信することは、具体的には、
送信機２００が、第１の伝送時間間隔ＴＴＩで、スケジューリング情報及びタイミングアドバンス情報を送信すること
である。
【０１８５】
任意選択的に、受信機２１０がアップリンク情報を受信することは、具体的には、
受信機２１０が、第２のＴＴＩで、アップリンク情報を受信すること
である。
【０１８６】
第２のＴＴＩ及び第１のＴＴＩは、Ｎ個のＴＴＩによって分離され、Ｎは、０より大きい又はこれに等しい。
【０１８７】
スケジューリングコマンドに従って、アップリンク情報を送信する場合に、ユーザ機器は、第２のＴＴＩで、調整されたタイミングアドバンスを用いることによって、アップリンク情報を送信してよく、ユーザ機器は、ネットワーク側デバイスと同期される。勿論、第２のＴＴＩ及び第１のＴＴＩは、任意の数のＴＴＩによって分離されてよい。この場合、ネットワーク側デバイスは、ユーザ機器によって送信されたアップリンク情報を、正確に受信してよい。従って、ネットワーク側デバイスによって、アップリンク情報を受信する精度が、向上する。
【０１８８】
タイミングアドバンス情報は、タイミングアドバンスを調整するために用いられるので、送信機２００は、タイミングアドバンスを送信するようにさらに構成される。
【０１８９】
ユーザ機器によって決定されたタイミングアドバンス情報は、この場合、意味を持つ。タイミングアドバンスが決定されない場合、タイミングアドバンス情報を決定することは無意味である。
【０１９０】
さらに、送信機２００がタイミングアドバンス情報を送信することは、具体的には、
送信機２００が、ＭＡＣ  ＣＥを送信することであって、ＭＡＣ  ＣＥが、タイミングアドバンス情報を保持する、送信すること、又は、
送信機２００が、物理層制御シグナリングを送信することであって、物理層制御シグナリングが、タイミングアドバンス情報を保持する、送信すること
である。
【０１９１】
ＭＡＣ  ＣＥは、リソースの無駄を回避するために６ビットの調整値を含むので、好ましくは、ＭＡＣ  ＣＥは、タイミングアドバンス情報を保持してよい。
【０１９２】
任意選択的に、送信機２００がスケジューリング情報を送信することは、具体的には、
送信機２００が、物理層制御シグナリングを送信することであって、物理層制御シグナリングが、スケジューリング情報を保持する、送信すること
である。
【０１９３】
任意選択的に、アップリンク情報は、アップリンクデータ及び／又はアップリンクＨＡＲＱフィードバック情報を含む。
【０１９４】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１９５】
アップリンク情報は、アップリンクＨＡＲＱフィードバック情報を含む。アップリンク情報は、アップリンクＨＡＲＱフィードバック情報を含む。
【０１９６】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、送信機２００は、リソース構成情報を送信するようにさらに構成される。リソース構成情報に対応するリソースは、フィードバックリソースであり、フィードバックリソースは、アップリンクＨＡＲＱフィードバック情報が送信される場合に利用可能なリソースである。
【０１９７】
この場合、ユーザ機器は、フィードバックリソースを予め定めることができるので、異なるユーザ機器が同じフィードバックリソースを占有しないことにより、リソース競合を回避する。
【０１９８】
任意選択的に、リソース構成情報は、時間ドメイン情報、周波数ドメイン情報、又はコードドメイン情報の少なくとも１つを含む。
【０１９９】
ユーザ機器が、本解決手段を用いることによって、又は従来技術を用いることによって、アップリンク同期の実装を柔軟に選択することができるように、送信機２００は、アップリンクのタイミングアドバンス調整指示を送信するようにさらに構成される。タイミングアドバンス調整指示は、ユーザ機器が、タイミングアドバンス情報に従って、タイミングアドバンスを調整可能であることを示すために用いられる。
【０２００】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となる。
【０２０１】
図３Ａを参照すると、ユーザ機器が提供される。ユーザ機器は、受信モジュール３０、決定モジュール３１、及び送信モジュール３２を含む。
【０２０２】
受信モジュール３０は、スケジューリング情報を受信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２０３】
決定モジュール３１は、ユーザ機器が非同期状態にあると決定するように構成される。
【０２０４】
送信モジュール３２は、ユーザ機器が非同期状態にあると決定モジュール３１が決定した場合に、アップリンクリソースを用いることによって、ランダムアクセスコードを送信するように構成される。
【０２０５】
受信モジュール３０は、ランダムアクセス応答を受信するようにさらに構成される。ランダムアクセス応答は、ランダムアクセスコードに従って送信される。
【０２０６】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０２０７】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２０８】
任意選択的に、送信モジュール３２が、アップリンクリソースを用いることによって、ランダムアクセスコードを送信することは、具体的には、
送信モジュール３２が、少なくとも１つのターゲット物理リソースブロックを用いることによって、ランダムアクセスコードを送信すること
である。
【０２０９】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０２１０】
任意選択的に、決定モジュール３１は、ランダムアクセスリソース情報を決定するようにさらに構成される。ランダムアクセスリソース情報は、少なくとも１つのランダムアクセスコードを含む。
【０２１１】
任意選択的に、少なくとも１つのランダムアクセスコードは、同じグループに属する。
【０２１２】
ユーザ機器がランダムアクセスコードを送信する場合に生じる競合を減少させるために、送信モジュール３２が、アップリンクリソースを用いることによって、ランダムアクセスコードを送信することは、具体的には、
送信モジュール３２が、少なくとも１つのランダムアクセスコードのうちの１つを選択し、アップリンクリソースを用いることによって、選択されたランダムアクセスコードを送信すること
である。
【０２１３】
任意選択的に、少なくとも１つのランダムアクセスコードは、少なくとも１つの専用ランダムアクセスコードを含む。
【０２１４】
ユーザ機器がランダムアクセスコードを送信する場合に生じる競合を減少させるために、送信モジュール３２が、アップリンクリソースを用いることによって、ランダムアクセスコードを送信することは、具体的には、
送信モジュール３２が、少なくとも１つの専用ランダムアクセスコードのうちの１つを選択し、アップリンクリソースを用いることによって、選択された専用ランダムアクセスコードを送信すること
である。
【０２１５】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２１６】
決定モジュール３１が、ユーザ機器が非同期状態にあると決定した場合に、送信モジュール３２は、ランダムアクセスチャネルリソースを用いることによって、ランダムアクセスコードを送信するようにさらに構成される。ランダムアクセスチャネルリソースは、ランダムアクセスチャネルリソース情報によって示されるチャネルリソースである。
【０２１７】
このように、アップリンクデータの送信又はダウンリンクデータのアップリンクＨＡＲＱフィードバックの送信における長遅延及び低効率という従来技術の欠点が、克服される。さらに、既存のランダムアクセスチャネルリソースが再利用可能であり、ランダムアクセスチャネルリソースがアップリンクリソースに導入されることを必要としないことにより、複雑性を減少させる。
【０２１８】
さらに、ランダムアクセス競合を減少させるために、任意選択的に、送信モジュール３２が、ランダムアクセスチャネルリソースを用いることによって、ランダムアクセスコードを送信することは、具体的には、
送信モジュール３２が、アップリンクリソースが位置するＴＴＩのランダムアクセスチャネルリソースを用いることによって、ランダムアクセスコードを送信すること、及び／又は、
送信モジュール３２が、アップリンクリソースを用いることによって、ランダムアクセスコードを送信すること、及び／又は、
送信モジュール３２が、アップリンクリソースが位置するＴＴＩの後のランダムアクセスチャネルリソースを用いることによって、ランダムアクセスコードを送信すること
である。
【０２１９】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２２０】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、送信モジュール３２は、ランダムアクセス応答に従って、アップリンク情報を送信するようにさらに構成される。
【０２２１】
このように、アップリンク情報がランダムアクセス応答に従って送信される場合、ネットワーク側デバイスは、アップリンク情報を正確に受信することができる。
【０２２２】
図３Ｂを参照すると、本発明の実施形態は、ユーザ機器を提供する。ユーザ機器は、受信機３００、プロセッサ３１０、及び送信機３２０を含む。
【０２２３】
受信機３００は、スケジューリング情報を受信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２２４】
プロセッサ３１０は、ユーザ機器が非同期状態にあると決定するように構成される。
【０２２５】
送信機３２０は、ユーザ機器が非同期状態にあるとプロセッサ３１０が決定した場合に、アップリンクリソースを用いることによって、ランダムアクセスコードを送信するように構成される。
【０２２６】
受信機３００は、ランダムアクセス応答を受信するようにさらに構成される。ランダムアクセス応答は、ランダムアクセスコードに従って送信される。
【０２２７】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０２２８】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２２９】
任意選択的に、送信機３２０が、アップリンクリソースを用いることによって、ランダムアクセスコードを送信することは、具体的には、
送信機３２０が、少なくとも１つのターゲット物理リソースブロックを用いることによって、ランダムアクセスコードを送信すること
である。
【０２３０】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０２３１】
任意選択的に、プロセッサ３１０は、ランダムアクセスリソース情報を決定するようにさらに構成される。ランダムアクセスリソース情報は、少なくとも１つのランダムアクセスコードを含む。
【０２３２】
任意選択的に、少なくとも１つのランダムアクセスコードは、同じグループに属する。
【０２３３】
ユーザ機器がランダムアクセスコードを送信する場合に生じる競合を減少させるために、送信機３２０が、アップリンクリソースを用いることによって、ランダムアクセスコードを送信することは、具体的には、
送信機３２０が、少なくとも１つのランダムアクセスコードのうちの１つを選択し、アップリンクリソースを用いることによって、選択されたランダムアクセスコードを送信すること
である。
【０２３４】
任意選択的に、少なくとも１つのランダムアクセスコードは、少なくとも１つの専用ランダムアクセスコードを含む。
【０２３５】
ユーザ機器がランダムアクセスコードを送信する場合に生じる競合を減少させるために、送信機３２０が、アップリンクリソースを用いることによって、ランダムアクセスコードを送信することは、具体的には、
送信機３２０が、少なくとも１つの専用ランダムアクセスコードのうちの１つを選択し、アップリンクリソースを用いることによって、選択された専用ランダムアクセスコードを送信すること
である。
【０２３６】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２３７】
プロセッサ３１０が、ユーザ機器が非同期状態にあると決定した場合に、送信機３２０は、ランダムアクセスチャネルリソースを用いることによって、ランダムアクセスコードを送信するようにさらに構成される。ランダムアクセスチャネルリソースは、ランダムアクセスチャネルリソース情報によって示されるチャネルリソースである。
【０２３８】
このように、アップリンクデータの送信又はダウンリンクデータのアップリンクＨＡＲＱフィードバックの送信における長遅延及び低効率という従来技術の欠点が、克服される。さらに、既存のランダムアクセスチャネルリソースが再利用可能であり、ランダムアクセスチャネルリソースがアップリンクリソースに導入されることを必要としないことにより、複雑性を減少させる。
【０２３９】
さらに、ランダムアクセス競合を減少させるために、任意選択的に、送信機３２０が、ランダムアクセスチャネルリソースを用いることによって、ランダムアクセスコードを送信することは、具体的には、
送信機３２０が、アップリンクリソースが位置するＴＴＩのランダムアクセスチャネルリソースを用いることによって、ランダムアクセスコードを送信すること、及び／又は、
送信機３２０が、アップリンクリソースを用いることによって、ランダムアクセスコードを送信すること、及び／又は、
送信機３２０が、アップリンクリソースが位置するＴＴＩの後のランダムアクセスチャネルリソースを用いることによって、ランダムアクセスコードを送信すること
である。
【０２４０】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２４１】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、送信機３２０は、ランダムアクセス応答に従って、アップリンク情報を送信するようにさらに構成される。
【０２４２】
このように、アップリンク情報がランダムアクセス応答に従って送信される場合、ネットワーク側デバイスは、アップリンク情報を正確に受信することができる。
【０２４３】
図４Ａを参照すると、ネットワーク側デバイスが提供される。ネットワーク側デバイスは、送信モジュール４０及び受信モジュール４１を含む。
【０２４４】
送信モジュール４０は、スケジューリング情報を送信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２４５】
受信モジュール４１は、ランダムアクセスコードを受信するように構成される。ランダムアクセスコードは、アップリンクリソースに従って送信される。
【０２４６】
送信モジュール４０は、ランダムアクセスコードに従って、ランダムアクセス応答を送信するようにさらに構成される。
【０２４７】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０２４８】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２４９】
送信モジュール４０は、ランダムアクセスリソース情報を送信するようにさらに構成される。ランダムアクセスリソース情報は、少なくとも１つのランダムアクセスコードを含む。
【０２５０】
任意選択的に、少なくとも１つのランダムアクセスコードは、同じグループに属する。
【０２５１】
受信モジュール４１がランダムアクセスコードを受信することは、具体的には、
ランダムアクセス競合を減少させるために、受信モジュール４１が、少なくとも１つのランダムアクセスコードのうちの１つを受信すること
である。
【０２５２】
任意選択的に、少なくとも１つのランダムアクセスコードは、少なくとも１つの専用ランダムアクセスコードを含む。
【０２５３】
受信モジュール４１がランダムアクセスコードを受信することは、具体的には、
ランダムアクセス競合を減少させるために、受信モジュール４１が、少なくとも１つの専用ランダムアクセスコードのうちの１つを受信すること
である。
【０２５４】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２５５】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２５６】
受信モジュール４１は、アップリンク情報を受信するようにさらに構成される。
【０２５７】
図４Ｂを参照すると、本発明の実施形態は、ユーザ機器を提供する。ユーザ機器は、送信機４００及び受信機４１０を含む。
【０２５８】
送信機４００は、スケジューリング情報を送信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２５９】
受信機４１０は、ランダムアクセスコードを受信するように構成される。ランダムアクセスコードは、アップリンクリソースに従って送信される。
【０２６０】
送信機４００は、ランダムアクセスコードに従って、ランダムアクセス応答を送信するようにさらに構成される。
【０２６１】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０２６２】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２６３】
送信機４００は、ランダムアクセスリソース情報を送信するようにさらに構成される。ランダムアクセスリソース情報は、少なくとも１つのランダムアクセスコードを含む。
【０２６４】
任意選択的に、少なくとも１つのランダムアクセスコードは、同じグループに属する。
【０２６５】
受信機４１０がランダムアクセスコードを受信することは、具体的には、
ランダムアクセス競合を減少させるために、受信機４１０が、少なくとも１つのランダムアクセスコードのうちの１つを受信すること
である。
【０２６６】
任意選択的に、少なくとも１つのランダムアクセスコードは、少なくとも１つの専用ランダムアクセスコードを含む。
【０２６７】
受信機４１０がランダムアクセスコードを受信することは、具体的には、
ランダムアクセス競合を減少させるために、受信機４１０が、少なくとも１つの専用ランダムアクセスコードのうちの１つを受信すること
である。
【０２６８】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２６９】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２７０】
受信機４１０は、アップリンク情報を受信するようにさらに構成される。
【０２７１】
前述の解決手段に基づいて、本発明の実施形態は、アップリンク情報送信システムをさらに提供する。システムは、図１Ａ又は図１Ｂに示されるユーザ機器及び図２Ａ又は図２Ｂに示されるネットワーク側デバイスを含む。
【０２７２】
前述の解決手段に基づいて、本発明の実施形態は、他のアップリンク情報送信システムをさらに提供する。システムは、図３Ａ又は図３Ｂに示されるユーザ機器及び図４Ａ又は図４Ｂに示されるネットワーク側デバイスを含む。
【０２７３】
前述の解決手段に基づいて、図５Ａを参照すると、本発明の実施形態において、アップリンクデータ送信手順は、以下の通りである。
【０２７４】
段階５００：ユーザ機器は、スケジューリング情報及びタイミングアドバンス情報を決定する。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０２７５】
段階５１０：ユーザ機器は、タイミングアドバンス情報に従って、タイミングアドバンスを調整する。
【０２７６】
段階５２０：ユーザ機器は、調整されたタイミングアドバンスを用いることによって、スケジューリング情報に従って、アップリンク情報を送信する。
【０２７７】
本発明の本実施形態において、タイミングアドバンスは、アップリンク情報がネットワーク側デバイスに到達する時刻を調整するために用いられる。調整の目的は、ネットワーク側の受信タイミング要件を満たすことである。
【０２７８】
本発明の本実施形態において、タイミングアドバンス情報によって示される値は、正であってよい。この場合、タイミングアドバンスは、前に調整されることを必要とする。あるいは、タイミングアドバンス情報によって示される値は、負であってよい。この場合、タイミングアドバンスは、後ろに調整されることを必要とする。しかしながら、調整されたタイミングアドバンスは、タイミングアドバンス情報によって示される値の正負に関係なく、なお正である。すなわち、タイミングアドバンス情報に従って、タイミングアドバンスをどのように調整するかに関係なく、ユーザ機器によって送信されたアップリンク情報は、ネットワーク側デバイスに正確に到達することを必要とすることにより、ネットワーク側デバイスは、アップリンク情報を正確に受信することができる。
【０２７９】
図５Ｂは、タイミングアドバンスが調整されることを必要としない模式図を示す。図５Ｃは、タイミングアドバンスが前に調整されることを必要とする模式図を示す。図５Ｄは、タイミングアドバンスが後ろに調整されることを必要とする模式図を示す。図５Ｃは、タイミングアドバンス情報によって示される値が正である状況を示し、図５Ｄは、タイミングアドバンス情報によって示される値が負である状況を示す。
【０２８０】
本発明の本実施形態において、任意選択的に、ユーザ機器は、以下の方式、すなわち、
ユーザ機器が、第１のＴＴＩで、スケジューリング情報及びタイミングアドバンス情報を決定する
という方式で、スケジューリング情報及びタイミングアドバンス情報を決定してよい。
【０２８１】
ユーザ機器は、１つのメッセージを用いることによって、又は２つのメッセージを用いることによって、スケジューリング情報及びタイミングアドバンス情報を決定してよい。すなわち、スケジューリング情報及びタイミングアドバンス情報は、同じメッセージに保持されてよく、又は異なるメッセージに保持されてよい。このことは、具体的には、本明細書に限定されない。
【０２８２】
本発明の本実施形態において、任意選択的に、ユーザ機器は、以下の方式、すなわち、
ユーザ機器が、第２のＴＴＩで、調整されたタイミングアドバンスを用いることによって、スケジューリング情報に従って、アップリンク情報を送信する
という方式で、調整されたタイミングアドバンスを用いることによって、スケジューリング情報に従って、アップリンク情報を送信してよい。
【０２８３】
第２のＴＴＩ及び第１のＴＴＩは、Ｎ個のＴＴＩによって分離され、Ｎは、０より大きい又はこれに等しい。
【０２８４】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたスケジューリング情報を、正確に受信してよい。
【０２８５】
タイミングアドバンス情報は、タイミングアドバンスを調整するために用いられるので、ユーザ機器が、タイミングアドバンス情報に従って、タイミングアドバンスを調整する前に、方法は、
ユーザ機器によって、タイミングアドバンスを決定する段階
をさらに含む。
【０２８６】
この場合、決定されたタイミングアドバンス情報が意味を持つ。タイミングアドバンスが決定されない場合、タイミングアドバンス情報を決定することは無意味である。
【０２８７】
本発明の本実施形態において、任意選択的に、ユーザ機器は、以下の方式、すなわち、
ユーザ機器が、ＭＡＣ  ＣＥを受信し、ＭＡＣ  ＣＥからタイミングアドバンス情報を取得する、又は、
ユーザ機器が、物理層制御シグナリングを受信し、物理層制御シグナリングからタイミングアドバンス情報を取得する
という方式で、タイミングアドバンス情報を決定してよい。
【０２８８】
ＭＡＣ  ＣＥは、リソースの無駄を回避するために６ビットの調整値を含むので、好ましくは、ＭＡＣ  ＣＥは、タイミングアドバンス情報を保持してよい。
【０２８９】
タイミングアドバンス情報がＭＡＣ  ＣＥに保持されている場合、ユーザ機器は、ＭＡＣ  ＣＥが受信されるＴＴＩの後の第６のＴＴＩで、タイミングアドバンス情報の利用、又はタイミングアドバンス情報に従って調整されたタイミングアドバンスの利用を開始する。具体的には、例えば、ＭＡＣ  ＣＥが受信されるＴＴＩがＮと付番された場合、ユーザ機器は、Ｎ＋６と付番されたＴＴＩで、タイミングアドバンス情報の利用、又はタイミングアドバンス情報に従って調整されたタイミングアドバンスの利用を開始してよい。従って、任意選択的に、Ｎは６である。
【０２９０】
あるいは、タイミングアドバンス情報が物理層制御シグナリングに保持されている場合、ユーザ機器は、通常、タイミングアドバンス情報が決定されるＴＴＩの後の第４のＴＴＩで、タイミングアドバンス情報の利用、又はタイミングアドバンス情報に従って調整されたタイミングアドバンスの利用を開始する。具体的には、例えば、タイミングアドバンス情報が決定されるＴＴＩがＮと付番された場合、ユーザ機器は、Ｎ＋４と付番されたＴＴＩで、タイミングアドバンス情報の利用、又はタイミングアドバンス情報に従って調整されたタイミングアドバンスの利用を開始してよい。従って、任意選択的に、Ｎは６である。
【０２９１】
勿論、ユーザ機器は、他のＴＴＩで、タイミングアドバンス情報の利用、又はタイミングアドバンス情報に従って調整されたタイミングアドバンスの利用を開始してよい。このことは、本発明において限定されるものではない。
【０２９２】
本発明の本実施形態において、任意選択的に、ユーザ機器は、以下の方式、すなわち、
ユーザ機器が、物理層制御シグナリングを受信し、物理層制御シグナリングからスケジューリング情報を取得する
という方式で、スケジューリング情報を決定してよい。
【０２９３】
本発明の本実施形態において、任意選択的に、スケジューリング情報は、通常、ユーザアイデンティティＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｔｙ、セル無線ネットワークテンポラリアイデンティティ）によってマスクされ、物理リソース、変調及び符号化スキーム、又はユーザ機器に割り当てられた新たなデータインジケータのような情報を含む内容を保持する。
【０２９４】
任意選択的に、スケジューリング情報は、アップリンクデータを送信するようユーザ機器に命令するために用いられるアップリンク許可であってよく、又は、ダウンリンクデータを受信するようユーザ機器に命令するために用いられるダウンリンク割り当てであってよい。
【０２９５】
本発明の本実施形態において、任意選択的に、アップリンク情報は、アップリンクデータ及び／又はアップリンクＨＡＲＱフィードバック情報を含む。
【０２９６】
本発明の本実施形態において、任意選択的に、アップリンク情報は、アップリンクＨＡＲＱフィードバック情報を含む。
【０２９７】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、ユーザ機器がアップリンク情報を送信する前に、方法は、以下のオペレーション、すなわち、
ユーザ機器によって、アップリンクＨＡＲＱフィードバック情報が送信される場合に利用可能なフィードバックリソースを決定する段階
をさらに含む。
【０２９８】
この場合、任意選択的に、ユーザ機器は、以下の方式、すなわち、
ユーザ機器が、調整されたタイミングアドバンスを用いることによって、スケジューリング情報に従って、フィードバックリソースにおいて、アップリンク情報を送信する
という方式で、調整されたタイミングアドバンスを用いることによって、スケジューリング情報に従って、アップリンク情報を送信してよい。
【０２９９】
この場合、ユーザ機器は、フィードバックリソースを予め定めることができるので、異なるユーザ機器が同じフィードバックリソースを占有しないことにより、リソース競合を回避する。
【０３００】
本発明の本実施形態において、任意選択的に、ユーザ機器は、以下の方式、すなわち、
ユーザ機器が、リソース構成情報を決定し、リソース構成情報に対応するリソースをフィードバックリソースとして用いる
という方式で、アップリンクＨＡＲＱフィードバック情報が送信される場合に利用可能なフィードバックリソースを決定してよい。
【０３０１】
本発明の本実施形態において、任意選択的に、リソース構成情報は、時間ドメイン情報、周波数ドメイン情報、又はコードドメイン情報の少なくとも１つを含む。
【０３０２】
ユーザ機器が、本解決手段を用いることによって、又はランダムアクセスプロセスを用いることによって、アップリンク同期の実装を柔軟に選択することができるように、ユーザ機器が調整されたタイミングアドバンスを用いることによって、スケジューリング情報に従って、アップリンク情報を送信する前に、方法は、以下のオペレーション、すなわち、
ユーザ機器によって、タイミングアドバンス調整指示を受信する段階であって、タイミングアドバンス調整指示は、ユーザ機器が、タイミングアドバンス情報に従って、タイミングアドバンスを調整可能であることを示すために用いられる、段階
をさらに含む。
【０３０３】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となり、タイミングアドバンスは、ランダムアクセスプロセスにおいて取得された調整値に従ってのみ、調整可能となる。
【０３０４】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、ユーザ機器がタイミングアドバンスを決定する段階の前に、方法は、以下のオペレーション、すなわち、
ユーザ機器によって、ユーザ機器が非同期状態にあると決定する段階
をさらに含む。
【０３０５】
タイミングアドバンス情報を決定する場合、ユーザ機器は、アライメントタイマを有効化してよい。この場合、ユーザ機器は、以下の方式、すなわち、
アライメントタイマが満了しないと決定した場合に、ユーザ機器が、ユーザ機器が非同期状態にあると決定する
という方式で、ユーザ機器が非同期状態にあると決定してよい。
【０３０６】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０３０７】
前述の解決手段に基づいて、図６を参照すると、本発明の実施形態において、他のアップリンクデータ送信手順は、以下の通りである。
【０３０８】
段階６００：ネットワーク側デバイスは、スケジューリング情報及びタイミングアドバンス情報を送信する。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０３０９】
段階６１０：ネットワーク側デバイスは、アップリンク情報を受信する。アップリンクデータは、スケジューリング情報及びタイミングアドバンス情報に従って送信される。
【０３１０】
本発明の本実施形態において、タイミングアドバンスは、アップリンク情報がネットワーク側デバイスに到達する時刻を調整するために用いられる。調整の目的は、ネットワーク側の受信タイミング要件を満たすことである。
【０３１１】
本発明の本実施形態において、タイミングアドバンス情報によって示される値は、正であってよい。この場合、タイミングアドバンスは、前に調整されることを必要とする。あるいは、タイミングアドバンス情報によって示される値は、負であってよい。この場合、タイミングアドバンスは、後ろに調整されることを必要とする。しかしながら、調整されたタイミングアドバンスは、タイミングアドバンス情報によって示される値の正負に関係なく、なお正である。すなわち、タイミングアドバンス情報に従って、タイミングアドバンスをどのように調整するかに関係なく、ユーザ機器によって送信されたアップリンク情報は、ネットワーク側デバイスに正確に到達することを必要とすることにより、ネットワーク側デバイスは、アップリンク情報を正確に受信することができる。
【０３１２】
図５Ｂは、タイミングアドバンスが調整されることを必要としない模式図を示す。図５Ｃは、タイミングアドバンスが前に調整されることを必要とする模式図を示す。図５Ｄは、タイミングアドバンスが後ろに調整されることを必要とする模式図を示す。図５Ｃは、タイミングアドバンス情報によって示される値が正である状況を示し、図５Ｄは、タイミングアドバンス情報によって示される値が負である状況を示す。
【０３１３】
本発明の本実施形態において、任意選択的に、ネットワーク側デバイスは、以下の方式、すなわち、
ネットワーク側デバイスが、第１の伝送時間間隔ＴＴＩで、スケジューリング情報及びタイミングアドバンス情報を送信する
という方式で、スケジューリング情報及びタイミングアドバンス情報を送信してよい。
【０３１４】
ネットワーク側デバイスは、１つのメッセージを用いることによって、又は２つのメッセージを用いることによって、スケジューリング情報及びタイミングアドバンス情報を送信してよい。すなわち、スケジューリング情報及びタイミングアドバンス情報は、同じメッセージに保持されてよく、又は異なるメッセージに保持されてよい。このことは、具体的には、本明細書に限定されない。
【０３１５】
本発明の本実施形態において、任意選択的に、ネットワーク側デバイスは、以下の方式、すなわち、
ネットワーク側デバイスが、第２のＴＴＩで、アップリンク情報を受信する
という方式で、アップリンク情報を受信してよい。
【０３１６】
第２のＴＴＩ及び第１のＴＴＩは、Ｎ個のＴＴＩによって分離され、Ｎは、０より大きい又はこれに等しい。タイミングアドバンス情報は、タイミングアドバンスを調整するために用いられるので、ネットワーク側デバイスがアップリンク情報を受信する前に、方法は、以下のオペレーション、すなわち、
ネットワーク側デバイスによって、タイミングアドバンスを送信する段階
をさらに含む。
【０３１７】
ユーザ機器によって決定されたタイミングアドバンス情報は、この場合、意味を持つ。タイミングアドバンスが決定されない場合、タイミングアドバンス情報を決定することは無意味である。
【０３１８】
本発明の本実施形態において、任意選択的に、ネットワーク側デバイスは、以下の方式、すなわち、
ネットワーク側デバイスが、ＭＡＣ  ＣＥを送信し、ＭＡＣ  ＣＥが、タイミングアドバンス情報を保持する、又は、
ネットワーク側デバイスが、物理層制御シグナリングを送信し、物理層制御シグナリングが、タイミングアドバンス情報を保持する
という方式で、タイミングアドバンス情報を送信してよい。
【０３１９】
ＭＡＣ  ＣＥは、リソースの無駄を回避するために６ビットの調整値を含むので、好ましくは、ＭＡＣ  ＣＥは、タイミングアドバンス情報を保持してよい。
【０３２０】
本発明の本実施形態において、任意選択的に、ネットワーク側デバイスは、以下の方式、すなわち、
ネットワーク側デバイスが、物理層制御シグナリングを送信し、物理層制御シグナリングが、スケジューリング情報を保持する
という方式で、スケジューリング情報を送信してよい。
【０３２１】
タイミングアドバンス情報がＭＡＣ  ＣＥに保持されている場合、ユーザ機器は、ＭＡＣ  ＣＥが受信されるＴＴＩの後の第６のＴＴＩで、タイミングアドバンス情報の利用、又はタイミングアドバンス情報に従って調整されたタイミングアドバンスの利用を開始する。具体的には、例えば、ＭＡＣ  ＣＥが受信されるＴＴＩがＮと付番された場合、ユーザ機器は、Ｎ＋６と付番されたＴＴＩで、タイミングアドバンス情報の利用、又はタイミングアドバンス情報に従って調整されたタイミングアドバンスの利用を開始してよい。従って、任意選択的に、Ｎは６である。
【０３２２】
あるいは、タイミングアドバンス情報が物理層制御シグナリングに保持されている場合、ユーザ機器は、通常、タイミングアドバンス情報が決定されるＴＴＩの後の第４のＴＴＩで、タイミングアドバンス情報の利用、又はタイミングアドバンス情報に従って調整されたタイミングアドバンスの利用を開始する。具体的には、例えば、タイミングアドバンス情報が決定されるＴＴＩがＮと付番された場合、ユーザ機器は、Ｎ＋４と付番されたＴＴＩで、タイミングアドバンス情報の利用、又はタイミングアドバンス情報に従って調整されたタイミングアドバンスの利用を開始してよい。従って、任意選択的に、Ｎは６である。
【０３２３】
勿論、ユーザ機器は、他のＴＴＩで、タイミングアドバンス情報の利用、又はタイミングアドバンス情報に従って調整されたタイミングアドバンスの利用を開始してよい。このことは、本発明において限定されるものではない。
【０３２４】
本発明の本実施形態において、任意選択的に、アップリンク情報は、アップリンクデータ及び／又はアップリンクＨＡＲＱフィードバック情報を含む。
【０３２５】
本発明の本実施形態において、任意選択的に、アップリンク情報は、アップリンクＨＡＲＱフィードバック情報を含む。
【０３２６】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）の時刻で用いられる、第（Ｎ＋２）のＴＴＩで決定されたフィードバックリソースについて、他のユーザ機器と競合することがある。従って、フィードバックリソースに関する競合を回避するために、ネットワーク側デバイスがアップリンク情報を受信する前に、方法は、以下のオペレーション、すなわち、
ネットワーク側デバイスによって、リソース構成情報を送信する段階であって、リソース構成情報に対応するリソースは、フィードバックリソースであり、フィードバックリソースは、アップリンクＨＡＲＱフィードバック情報が送信される場合に利用可能なリソースである、段階
をさらに含む。
【０３２７】
この場合、ユーザ機器は、フィードバックリソースを予め定めることができるので、異なるユーザ機器が同じフィードバックリソースを占有しないことにより、リソース競合を回避する。
【０３２８】
任意選択的に、リソース構成情報は、時間ドメイン情報、周波数ドメイン情報、又はコードドメイン情報の少なくとも１つを含む。
【０３２９】
ユーザ機器が、本解決手段を用いることによって、又はランダムアクセスプロセスを用いることによって、アップリンク同期の実装を柔軟に選択することができるように、ネットワーク側デバイスがアップリンク情報を受信する前に、方法は、以下のオペレーション、すなわち、
ネットワーク側デバイスによって、アップリンクのタイミングアドバンス調整指示を送信する段階であって、タイミングアドバンス調整指示は、ユーザ機器が、タイミングアドバンス情報に従って、タイミングアドバンスを調整可能であることを示すために用いられる、段階
をさらに含む。
【０３３０】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となり、タイミングアドバンスは、ランダムアクセスプロセスにおいて取得された調整値に従ってのみ、調整可能となる。
【０３３１】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０３３２】
前述の解決手段に基づいて、図７Ａを参照すると、本発明の実施形態において、ランダムアクセス手順は、以下の通りである。
【０３３３】
段階７００：ユーザ機器は、スケジューリング情報を受信する。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３３４】
段階７１０：ユーザ機器が非同期状態にあると決定した場合に、ユーザ機器は、アップリンクリソースを用いることによって、ランダムアクセスコードを送信する。
【０３３５】
段階７２０：ユーザ機器は、ランダムアクセス応答を受信する。ランダムアクセス応答は、ランダムアクセスコードに従って送信される。
【０３３６】
本発明の本実施形態において、任意選択的に、ユーザ機器は、以下の方式、すなわち、
ユーザ機器が、少なくとも１つのターゲット物理リソースブロックを用いることによって、ランダムアクセスコードを送信する
という方式で、アップリンクリソースを用いることによって、ランダムアクセスコードを送信してよい。
【０３３７】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０３３８】
ターゲット物理リソースブロックが、リソースにおける、その周波数ドメイン位置が予め設定された閾値として用られる第１の周波数ドメイン位置より低い物理リソースブロック、又はその番号が予め設定された閾値として用いられる第１の番号より小さい物理リソースブロックである場合に、任意選択的に、ターゲット物理リソースブロックは、リソースにおける、最も低い周波数ドメイン位置の物理リソースブロック、又は最小番号の物理リソースブロックであってよい。
【０３３９】
同様に、ターゲット物理リソースブロックが、リソースにおける、その周波数ドメイン位置が予め設定された閾値として用られる第２の周波数ドメイン位置より高い物理リソースブロック、又はその番号が予め設定された閾値として用いられる第２の番号より大きい物理リソースブロックである場合に、任意選択的に、ターゲット物理リソースブロックは、リソースにおける、最も高い周波数ドメイン位置の物理リソースブロック、又は最大番号の物理リソースブロックであってよい。
【０３４０】
本発明の本実施形態において、ユーザ機器が、アップリンクリソースを用いることによってランダムアクセスコードを送信する前に、方法は、以下のオペレーション、すなわち、
ユーザ機器によって、ランダムアクセスリソース情報を決定する段階であって、ランダムアクセスリソース情報は、少なくとも１つのランダムアクセスコードを含む、段階
をさらに含む。
【０３４１】
任意選択的に、少なくとも１つのランダムアクセスコードは、同じグループに属する。
【０３４２】
ユーザ機器がランダムアクセスコードを送信する場合に生じる競合を減少させるために、任意選択的に、ユーザ機器は、以下の方法で、アップリンクリソースを用いることによって、ランダムアクセスコードを送信してよい。
ユーザ機器は、少なくとも１つのランダムアクセスコードのうちの１つを選択し、アップリンクリソースを用いることによって、選択されたランダムアクセスコードを送信する。
【０３４３】
任意選択的に、少なくとも１つのランダムアクセスコードは、少なくとも１つの専用ランダムアクセスコードを含む。
【０３４４】
ユーザ機器がランダムアクセスコードを送信する場合に生じる競合を減少させるために、ユーザ機器は、以下の方法で、アップリンクリソースを用いることによって、ランダムアクセスコードを送信してよい。
ユーザ機器は、少なくとも１つの専用ランダムアクセスコードのうちの１つを選択し、アップリンクリソースを用いることによって、選択された専用ランダムアクセスコードを送信する。
【０３４５】
既存のランダムアクセスチャネルリソースを再利用するために、ランダムアクセスチャネルリソースは、アップリンクリソースに導入されることを必要としない。複雑性を減少させるために、ランダムアクセスリソース情報は、ランダムアクセスチャネルリソース情報をさらに含む。
【０３４６】
図７Ｂに示されるように、方法は、ユーザ機器が非同期状態にあると決定した場合に、ユーザ機器によって、ランダムアクセスチャネルリソースを用いることによって、ランダムアクセスコードを送信する段階であって、ランダムアクセスチャネルリソースは、ランダムアクセスチャネルリソース情報によって示されるチャネルリソースである、段階をさらに含む。
【０３４７】
任意選択的に、ユーザ機器は、以下の方式、すなわち、
ユーザ機器が、アップリンクリソースが位置するＴＴＩのランダムアクセスチャネルリソースを用いることによって、ランダムアクセスコードを送信する、及び／又は、
ユーザ機器が、アップリンクリソースを用いることによって、ランダムアクセスコードを送信する、及び／又は、
ユーザ機器が、アップリンクリソースが位置するＴＴＩの後のランダムアクセスチャネルリソースを用いることによって、ランダムアクセスコードを送信する
という方式で、ランダムアクセスチャネルリソースを用いることによって、ランダムアクセスコードを送信する。
【０３４８】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０３４９】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、ユーザ機器がランダムアクセス応答を受信した後で、方法は、以下のオペレーション、すなわち、
ユーザ機器によって、ランダムアクセス応答に従って、アップリンク情報を送信する段階
をさらに含む。
【０３５０】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０３５１】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０３５２】
前述の解決手段に基づいて、図８を参照すると、本発明の実施形態において、他のランダムアクセス手順は、以下の通りである。
【０３５３】
段階８００：ネットワーク側デバイスは、スケジューリング情報を送信する。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３５４】
段階８１０：ネットワーク側デバイスは、ランダムアクセスコードを受信する。ランダムアクセスコードは、アップリンクリソースに従って送信される。
【０３５５】
段階８２０：ネットワーク側デバイスは、ランダムアクセスコードに従って、ランダムアクセス応答を送信する。
【０３５６】
本発明の本実施形態において、任意選択的に、ネットワーク側デバイスがランダムアクセスコードを受信する前に、方法は、以下のオペレーション、すなわち、
ネットワーク側デバイスによって、ランダムアクセスリソース情報を送信する段階であって、ランダムアクセスリソース情報は、少なくとも１つのランダムアクセスコードを含む、段階
をさらに含む。
【０３５７】
本発明の本実施形態において、任意選択的に、少なくとも１つのランダムアクセスコードは、同じグループに属する。
【０３５８】
ランダムアクセス競合を減少させるために、本発明の本実施形態において、任意選択的に、ネットワーク側デバイスは、以下の方式、すなわち、
ネットワーク側デバイスが、少なくとも１つのランダムアクセスコードのうちの１つを受信する
という方式で、ランダムアクセスコードを受信してよい。
【０３５９】
本発明の本実施形態において、任意選択的に、少なくとも１つのランダムアクセスコードは、少なくとも１つの専用ランダムアクセスコードを含む。
【０３６０】
ランダムアクセス競合を減少させるために、任意選択的に、ネットワーク側デバイスは、以下の方式、すなわち、
ネットワーク側デバイスが、少なくとも１つの専用ランダムアクセスコードのうちの１つを受信する
という方式で、ランダムアクセスコードを受信してよい。
【０３６１】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０３６２】
本発明の本実施形態において、任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０３６３】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、ネットワーク側デバイスが、ランダムアクセスコードに従って、ランダムアクセス応答を送信した後で、方法は、以下のオペレーション、すなわち、
ネットワーク側デバイスによって、アップリンク情報を受信する段階
をさらに含む。
【０３６４】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０３６５】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０３６６】
さらに、通信システムでは、より広い伝送帯域幅が、システムにおけるデータ伝送レートを向上させる主な要因である。従って、伝送帯域幅を拡大するために、ＣＡ（Ｃａｒｒｉｅｒ  Ａｇｇｒｅｇａｔｉｏｎ、キャリアアグリゲーション）技術が提供される。キャリアアグリゲーションでは、少なくとも２つのキャリアが、より広い伝送帯域幅をサポートするために集約される。Ｓｃｅｌｌ（Ｓｅｃｏｎｄａｒｙ  Ｃｅｌｌ、セカンダリセル）においてＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）を送信する概念が、ＬＴＥ  Ｒ１３  ＣＡ拡張プロジェクトに追加されることで合意されている。
【０３６７】
ＡＣＫ（Ａｃｋｎｏｗｌｅｄｇｅｍｅｎｔ、肯定応答）、ＣＳＩ（Ｃｈａｎｎｅｌ  Ｓｔａｔｅ  Ｉｎｄｉｃａｔｏｒ、チャネル状態インジケータ）、及びＳＲ（ｓｃｈｅｄｕｌｉｎｇ  ｒｅｑｕｅｓｔ、スケジューリング要求）は、ＳＣｅｌｌに保持されるＰＵＣＣＨで送信されてよい。ＰＵＣＣＨがＳＣｅｌｌにおいて送信される場合であっても、ＳＣｅｌｌは、非アクティブ化されてよい。
【０３６８】
このように、このような場合が存在する。ユーザ機器が、ＳＣｅｌｌ及びＰＣｅｌｌ（Ｐｒｉｍａｒｙ  Ｃｅｌｌ、プライマリセル）の両方に対してＳＲを構成する場合に、ＳＲがトリガされているが、この場合にＳＣｅｌｌが非アクティブ化されていると、ユーザ機器は、ＳＣｅｌｌにおいてＳＲを送信することができない。さらに、ＰＣｅｌｌに対して構成されるＳＲの期間が長い場合、ユーザ機器は、ＰＣｅｌｌにおけるＳＲリソースが到達した場合にのみ、アップリンクリソースを要求するために、ＰＣｅｌｌにおいてＳＲを送信することを必要とする。結果として、アップリンクデータ送信遅延は、比較的長くなる。
【０３６９】
図９を参照すると、ユーザ機器によって、アップリンクデータを送信する遅延を減少させるために、アップリンクデータ送信方法が、以下、提供される。具体的なプロセスは、以下の通りである。
【０３７０】
プロセスの適用状況は、以下の通りである。ユーザ機器は、構成シグナリングを決定し、構成シグナリングは、ＰＣｅｌｌに対して構成されるＳＲリソースを含み、ネットワークの構成シグナリングにおいて構成されるＳＲリソースが、用いられる。
【０３７１】
段階９００：ユーザ機器は、アップリンクデータ又はＢＳＲ（Ｂｕｆｆｅｒ  Ｓｔａｔｕｓ  Ｒｅｐｏｒｔ、バッファステータスレポート）が送信されることを必要としている、又はＳＲがトリガされることを必要としていると決定する。
【０３７２】
段階９１０：予め設定された条件が満たされたと決定した場合、ユーザ機器は、ＰＣｅｌｌにおけるランダムアクセスプロセスをトリガする。
【０３７３】
前述の解決手段によれば、アップリンクデータ又はＢＳＲは、ＳＣｅｌｌにおけるＳＲリソースが利用可能ではなく、ＰＣｅｌｌにある、ユーザ機器によって利用可能である有効なＳＲリソースの時刻がもっと後である場合には、遅延しない。
【０３７４】
任意選択的に、ユーザ機器は、以下の方式、すなわち、
ユーザ機器が、アップリンクデータ又はＢＳＲが送信されることを必要とする時刻、又はＳＲがトリガされることを必要とする時刻と、ＰＣｅｌｌにある、ユーザ機器によって利用可能である有効なＳＲリソースの時刻との間の時間間隔を決定する
という方式で、予め設定された条件が満たされたと決定してよい。
【０３７５】
任意選択的に、時間閾値は、２０ｍｓ、３０ｍｓ等であってよい。
【０３７６】
時間間隔が時間閾値より小さい、又はこれに等しい場合、ランダムアクセスプロセスが開始されないことに留意されたい。代わりに、構成されるＳＲリソースは、アップリンクデータを送信するためのアップリンクリソースを要求するために用いられる。
【０３７７】
すなわち、時間間隔を決定することによって、アップリンクリソースが、ランダムアクセスプロセス又はＳＲリソースのいずれを用いることによって要求されるかが決定され、アップリンクデータ又はＢＳＲの遅延を減少させてよい。
【０３７８】
任意選択的に、ユーザ機器は、以下の方式、すなわち、
ユーザ機器が、ＳＲリソースの期間が時間閾値より大きいと決定する
という方式で、予め設定された条件が満たされたと決定してよい。
【０３７９】
任意選択的に、時間閾値は、２０ｍｓ、４０ｍｓ等であってよい。
【０３８０】
任意選択的に、ユーザ機器は、以下の方式、すなわち、
ユーザ機器が、アップリンクデータ又はＢＳＲが送信されることを必要とする、又はＳＲがトリガされることを必要とすると決定する
という方式で、予め設定された条件が満たされたと決定してよい。
【０３８１】
前述のプロセスは、ＳＲリソースが構成されるが、アップリンクリソースは、アップリンクデータが送信されることを必要とする時刻、ＢＳＲが送信されることを必要とする時刻、又はＳＲがトリガされることを必要とする時刻をユーザ機器が決定したことに基づいて、ランダムアクセスプロセスを用いることによって要求され、有効なＳＲリソースがＳＣｅｌｌに存在しない場合を説明していることに留意されたい。
【０３８２】
有効なＳＲリソースが存在しないことは、以下の場合、すなわち、ＳＲリソースがＳＣｅｌｌに対して構成されない場合、ＳＲリソースがＳＣｅｌｌに対して構成されるが、ＳＣｅｌｌが非アクティブ化されている場合、又は、ＳＲリソースがＳＣｅｌｌに対して構成されるが、ＳＣｅｌｌがアップリンク非同期である場合の少なくとも１つである。
【０３８３】
ユーザ機器は、ＰＣｅｌｌにおいてランダムアクセスプロセスをトリガする。従って、アップリンクデータ又はＢＳＲは、ＳＣｅｌｌにおけるＳＲリソースが利用できず、ＰＣｅｌｌに対して構成される有効なＳＲリソースの時刻がもっと後である場合には、遅延しない。さらに、リソースの無駄を回避するために、予め設定された条件が満たされたと決定した後で、ユーザ機器は、アップリンクデータのデータ量がデータ量閾値に到達したか否かをさらに決定する。ランダムアクセスプロセスは、データ量閾値に到達した場合にのみ、ＰＣｅｌｌにおいて開始される。
【０３８４】
任意選択的に、データ量閾値は、１０００バイト、３０００バイト等であってよい。
【０３８５】
アップリンクデータのデータ量を決定することは、アップリンクデータ又はＢＳＲのオーバヘッドを減少させることができる。
【０３８６】
任意選択的に、段階９１０を実行する前に、ユーザ機器は、以下のオペレーション、すなわち、
ランダムアクセスプロセス構成指示を受信するオペレーションであって、指示は、ユーザ機器が、予め設定された条件が満たされたと決定した場合に、ＰＣｅｌｌにおいてランダムアクセスプロセスをトリガする機能を有効化させるために用いられる、段階
をさらに実行する。
【０３８７】
すなわち、ランダムアクセスプロセス構成指示が受信された後で、ユーザ機器が、予め設定された条件が満たされたと決定した場合にのみ、ランダムアクセスプロセスは、ＰＣｅｌｌにおいてトリガされる。ランダムアクセスプロセス構成指示が受信されない場合、ユーザ機器が、予め設定された条件が満たされたと決定した場合であっても、ランダムアクセスプロセスは、ＰＣｅｌｌにおいてトリガされない。
【０３８８】
前述の解決手段に対する理解を容易にするために、図１０を参照すると、アップリンク情報送信の実施形態が提供される。
【０３８９】
段階１０００：基地局は、スケジューリング情報及びタイミングアドバンス情報を送信する。この段階において、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０３９０】
段階１１００：ユーザ機器は、スケジューリング情報及びタイミングアドバンス情報を受信する。
【０３９１】
段階１２００：ユーザ機器は、タイミングアドバンス情報に従って、タイミングアドバンスを調整する。
【０３９２】
段階１３００：ユーザ機器は、調整されたタイミングアドバンスを用いることによって、スケジューリング情報に従って、基地局にアップリンク情報を送信する。
【０３９３】
前述の解決手段に対する理解を容易にするために、図１１を参照すると、他のアップリンク情報送信の実施形態が提供される。
【０３９４】
段階１１００：基地局は、スケジューリング情報をユーザ機器に送信する。
【０３９５】
この段階において、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３９６】
段階１１１０：ユーザ機器は、スケジューリング情報を受信し、ユーザ機器が非同期状態にあると決定した場合に、アップリンクリソースを用いることによって、基地局にランダムアクセスコードを送信する。
【０３９７】
段階１１２０：基地局は、ランダムアクセスコードを受信し、ランダムアクセスコードに従って、ランダムアクセス応答をユーザ機器に送信する。
【０３９８】
段階１１３０：ユーザ機器は、ランダムアクセス応答に従って、アップリンク情報を基地局に送信する。
【０３９９】
当業者であれば、本発明の実施形態が、方法、システム、又はコンピュータプログラム製品として提供されてよいことを理解しよう。従って、本発明は、ハードウェアのみの実施形態、ソフトウェアのみの実施形態、又はソフトウェア及びハードウェアの組み合わせによる実施形態の形式を用いてよい。さらに、本発明は、コンピュータ利用可能プログラムコードを含む１つ又は複数のコンピュータ利用可能ストレージメディア（限定されるものではないが、ディスクメモリ、ＣＤ−ＲＯＭ、光メモリ等を含む）において実装されるコンピュータプログラム製品の形式を用いてよい。
【０４００】
本発明は、本発明の実施形態に係る方法、デバイス（システム）、及びコンピュータプログラム製品のフローチャート及び／又はブロック図に関連して説明される。コンピュータプログラム命令は、フローチャート及び／又はブロック図における各プロセス及び／又は各ブロック、ならびにフローチャート及び／又はブロック図におけるプロセス及び／又はブロックの組み合わせを実装するために用いられてよいことを理解されたい。これらのコンピュータプログラム命令は、汎用コンピュータ、専用コンピュータ、組み込みプロセッサ、又はマシンを生成する任意の他のプログラム可能なデータ処理デバイスのプロセッサに提供されてよいことにより、コンピュータ又は任意の他のプログラム可能なデータ処理デバイスのプロセッサによって実行される命令は、フローチャートにおける１つ又は複数のプロセスの特定の機能及び／又は複数のブロック図における１つ又は複数のブロックを実装するための装置を生成する。
【０４０１】
これらのコンピュータプログラム命令は、コンピュータ又は任意の他のプログラム可能なデータ処理デバイスに、特定の方式で動作するように命令可能なコンピュータ可読メモリに格納されてよいことにより、コンピュータ可読メモリに格納された命令は、命令装置を含む中間物を生成する。命令装置は、フローチャートにおける１つ又は複数のプロセス及び／又はブロック図における１つ又は複数のブロックの特定の機能を実装する。
【０４０２】
これらのコンピュータプログラム命令は、コンピュータ又は他のプログラム可能データ処理デバイスにロードされてよいことにより、一連のオペレーション及び段階がコンピュータ又は他のプログラム可能デバイス上で実行され、これにより、コンピュータ実装処理を生成する。従って、コンピュータ又は他のプログラム可能デバイスにおいて実行される命令は、フローチャートにおける１つ又は複数のプロセス及び／又はブロック図における１つ又は複数のブロックにおける特定の機能を実装するための段階を提供する。
【０４０３】
本発明のいくつかの好適な実施形態が説明されたが、当業者であれば、基本的な発明の概念を認識すれば、これらの実施形態に変更及び変形を施すことができよう。従って、以下の特許請求の範囲は、好適な実施形態ならびに本発明の範囲に属する全ての変更及び変形を包含するものと解釈されることを意図するものである。
【０４０４】
当業者であれば、本発明の実施形態の趣旨及び範囲から逸脱することなく、本発明の実施形態に様々な変形及びバリエーションを施すことができることは明らかである。本発明は、これらの変形及びバリエーションが以下の特許請求の範囲によって定義される保護範囲及びこれらの均等技術に属する場合には、係る変形及びバリエーションを包含することを意図するものである。
【図１Ａ】
2018523415.tif 000003
【図１Ｂ】
2018523415.tif 000004
【図２Ａ】
2018523415.tif 000005
【図２Ｂ】
2018523415.tif 000006
【図３Ａ】
2018523415.tif 000007
【図３Ｂ】
2018523415.tif 000008
【図４Ａ】
2018523415.tif 000009
【図４Ｂ】
2018523415.tif 000010
【図５Ａ】
2018523415.tif 000011
【図５Ｂ】
2018523415.tif 000012
【図５Ｃ】
2018523415.tif 000013
【図５Ｄ】
2018523415.tif 000014
【図６】
2018523415.tif 000015
【図７Ａ】
2018523415.tif 000016
【図７Ｂ】
2018523415.tif 000017
【図８】
2018523415.tif 000018
【図９】
2018523415.tif 000019
【図１０】
2018523415.tif 000020
【図１１】
2018523415.tif 000021
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ユーザ機器であって、
スケジューリング情報及びタイミングアドバンス情報を決定する決定モジュールであって、前記スケジューリング情報は、アップリンク情報を送信するよう前記ユーザ機器に命令するために用いられ、前記タイミングアドバンス情報は、前記ユーザ機器が前記アップリンク情報を送信する場合に用いられるタイミングアドバンスを調整するために用いられる、決定モジュールと、
前記タイミングアドバンス情報に従って、前記タイミングアドバンスを調整する調整モジュールと、
調整されたタイミングアドバンスを用いることによって、前記スケジューリング情報に従って、前記アップリンク情報を送信する送信モジュールと、
を備えるユーザ機器。
【請求項２】
決定モジュールがスケジューリング情報及びタイミングアドバンス情報を決定することは、具体的には、
前記決定モジュールが、第１の伝送時間間隔（ＴＴＩ）で、前記スケジューリング情報及び前記タイミングアドバンス情報を決定すること
である、請求項１に記載のユーザ機器。
【請求項３】
送信モジュールが、調整されたタイミングアドバンスを用いることによって、前記スケジューリング情報に従って、前記アップリンク情報を送信することは、具体的には、
前記送信モジュールが、第２のＴＴＩで、前記調整されたタイミングアドバンスを用いることによって、前記スケジューリング情報に従って、前記アップリンク情報を送信すること
であり、
前記第２のＴＴＩ及び前記第１のＴＴＩは、Ｎ個のＴＴＩによって分離され、Ｎは、０より大きい又はこれに等しい、
請求項２に記載のユーザ機器。
【請求項４】
前記決定モジュールは、さらに、前記タイミングアドバンスを決定する、請求項１から３のいずれか１項に記載のユーザ機器。
【請求項５】
前記ユーザ機器は、タイミングアドバンス調整指示を受信する受信モジュールをさらに備え、前記タイミングアドバンス調整指示は、前記ユーザ機器が、前記タイミングアドバンス情報に従って、前記タイミングアドバンスを調整可能であることを示すために用いられる、請求項１から４のいずれか１項に記載のユーザ機器。
【請求項６】
前記決定モジュールは、さらに、前記ユーザ機器が非同期状態にあると決定する、請求項１から５のいずれか１項に記載のユーザ機器。
【請求項７】
スケジューリング情報及びタイミングアドバンス情報を送信する送信モジュールであって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、送信モジュールと、
前記アップリンク情報を受信する受信モジュールであって、前記アップリンク情報は、前記スケジューリング情報及び前記タイミングアドバンス情報に従って送信される、受信モジュールと、
を備えるネットワーク側デバイス。
【請求項８】
送信モジュールがスケジューリング情報及びタイミングアドバンス情報を送信することは、具体的には、
前記送信モジュールが、第１の伝送時間間隔（ＴＴＩ）で、前記スケジューリング情報及び前記タイミングアドバンス情報を送信すること
である、請求項７に記載のネットワーク側デバイス。
【請求項９】
前記送信モジュールは、さらに、アップリンクのタイミングアドバンス調整指示を送信し、前記タイミングアドバンス調整指示は、前記ユーザ機器が、前記タイミングアドバンス情報に従って、前記タイミングアドバンスを調整可能であることを示すために用いられる、請求項７又は８のに記載のネットワーク側デバイス。
【請求項１０】
アップリンク情報送信方法であって、
ユーザ機器によって、スケジューリング情報及びタイミングアドバンス情報を決定する段階であって、前記スケジューリング情報は、アップリンク情報を送信するよう前記ユーザ機器に命令するために用いられ、前記タイミングアドバンス情報は、前記ユーザ機器が前記アップリンク情報を送信する場合に用いられるタイミングアドバンスを調整するために用いられる、段階と、
前記ユーザ機器によって、前記タイミングアドバンス情報に従って、前記タイミングアドバンスを調整する段階と、
前記ユーザ機器によって、調整されたタイミングアドバンスを用いることによって、前記スケジューリング情報に従って、前記アップリンク情報を送信する段階と、
を備える方法。
【請求項１１】
ユーザ機器によって、スケジューリング情報及びタイミングアドバンス情報を決定する前記段階は、
前記ユーザ機器によって、第１の伝送時間間隔（ＴＴＩ）で、前記スケジューリング情報及び前記タイミングアドバンス情報を決定する段階
を含む、
請求項１０に記載の方法。
【請求項１２】
前記ユーザ機器によって、調整されたタイミングアドバンスを用いることによって、前記スケジューリング情報に従って、前記アップリンク情報を送信する前記段階の前に、前記方法は、
前記ユーザ機器によって、タイミングアドバンス調整指示を受信する段階であって、前記タイミングアドバンス調整指示は、前記ユーザ機器が、前記タイミングアドバンス情報に従って、前記タイミングアドバンスを調整可能であることを示すために用いられる、段階
をさらに備える、
請求項１０又は１１に記載の方法。
【請求項１３】
前記ユーザ機器によって、前記タイミングアドバンスを決定する前記段階の前に、前記方法は、
前記ユーザ機器によって、前記ユーザ機器が非同期状態にあると決定する段階
をさらに備える、
請求項１０から１２のいずれか１項に記載の方法。
【請求項１４】
アップリンク情報送信方法であって、
ネットワーク側デバイスによって、スケジューリング情報及びタイミングアドバンス情報を送信する段階であって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、段階と、
前記ネットワーク側デバイスによって、前記アップリンク情報を受信する段階であって、前記アップリンク情報は、前記スケジューリング情報及び前記タイミングアドバンス情報に従って送信される、段階と、
を備える方法。
【請求項１５】
前記ネットワーク側デバイスによって、前記アップリンク情報を受信する前記段階の前に、前記方法は、
前記ネットワーク側デバイスによって、アップリンクのタイミングアドバンス調整指示を送信する段階であって、前記タイミングアドバンス調整指示は、前記ユーザ機器が、前記タイミングアドバンス情報に従って、前記タイミングアドバンスを調整可能であることを示すために用いられる、段階
をさらに備える、
請求項１４に記載の方法。
【請求項１６】
実行命令を格納する非一時的メモリに結合されるプロセッサを備える通信デバイスであって、前記プロセッサが前記実行命令を実行した場合に、前記実行命令は、前記通信デバイスに、
スケジューリング情報及びタイミングアドバンス情報を決定する段階であって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、段階と、
前記タイミングアドバンス情報に従って、前記タイミングアドバンスを調整する段階と、
調整されたタイミングアドバンスを用いることによって、前記スケジューリング情報に従って、前記アップリンク情報を送信する段階と、
を実行させる、通信デバイス。
【請求項１７】
実行命令を格納する非一時的メモリに結合されるプロセッサを備えるネットワークデバイスであって、前記プロセッサが前記実行命令を実行した場合に、前記実行命令は、前記ネットワークデバイスに、
スケジューリング情報及びタイミングアドバンス情報を送信する段階であって、前記スケジューリング情報は、アップリンク情報を送信するようユーザ機器に命令するために用いられ、前記タイミングアドバンス情報は、前記ユーザ機器が前記アップリンク情報を送信する場合に用いられるタイミングアドバンスを調整するために用いられる、段階と、
前記アップリンク情報を受信する段階であって、前記アップリンク情報は、前記スケジューリング情報及び前記タイミングアドバンス情報に従って送信される、段階と、
を実行させる、ネットワークデバイス。
【請求項１８】
請求項１０から１３のいずれか１項に記載の方法を、コンピュータデバイスに実行させるプログラム。
【請求項１９】
請求項１４又は１５に記載の方法を、コンピュータデバイスに実行させるプログラム。
【請求項２０】
プログラムを格納するコンピュータ可読記憶媒体であって、プログラムがプロセッサによって実行された場合に、請求項１０から１３のいずれか１項に記載の方法が実行される、コンピュータ可読記憶媒体。
【請求項２１】
プログラムを格納するコンピュータ可読記憶媒体であって、プログラムがプロセッサによって実行された場合に、請求項１４又は１５に記載の方法が実行される、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信技術分野に関し、詳細には、アップリンク情報送信方法及び装置に関する。
【背景技術】
【０００２】
従来技術では、ＵＥ（Ｕｓｅｒ  Ｅｑｕｉｐｍｅｎｔ、ユーザ機器）がＲＲＣ（Ｒａｄｉｏ  Ｒｅｓｏｕｒｃｅ  Ｃｏｎｔｒｏｌ、無線リソース制御）接続状態にある場合、ＵＥがアップリンク非同期となった後で、ＵＥは、割り当てられたアップリンクリソース、例えば、ＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）リソース、ＳＲＳ（Ｓｏｕｎｄｉｎｇ  Ｒｅｆｅｒｅｎｃｅ  Ｓｉｇｎａｌ、サウンディング参照信号）リソース、又は半静的ＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）リソースを解放する。ＵＥがアップリンク非同期となった後、ＵＥは、ランダムアクセスコードを除き、あらゆる他の情報を、ネットワーク側に送信しない。例えば、ＵＥは、アップリンクデータを送信しない。他の例では、ＵＥが、ネットワーク側によって送信されたダウンリンクデータを受信した場合であっても、ＵＥは、ダウンリンクデータのアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバックを実行しない。
【０００３】
ＵＥがアップリンク非同期となった後で、ＵＥが、アップリンクデータを送信すること又はアップリンクＨＡＲＱフィードバックを実行することを必要とする場合、ＵＥは、最初に、ランダムアクセスプロセスを実行し、アップリンク同期を実装することを必要とする。そこで、アップリンク同期を実装した後で、ＵＥは、アップリンクデータを送信又はアップリンクＨＡＲＱフィードバックを実行する。
【０００４】
例えば、アップリンクデータがＵＥに到達した場合、ＵＥはアップリンク非同期であり、アップリンク送信を実行できないので、ＵＥは、ランダムアクセスを実行する。ランダムアクセスの完了後、ＵＥは、アップリンク同期を実装し、次に、アップリンクデータを送信することができる。同様に、ダウンリンクデータがネットワーク側に到達した後、ＵＥはアップリンク非同期であり、アップリンク送信を実行できない、すなわち、ダウンリンクデータに対するフィードバックを実行できないので、ネットワーク側は、ランダムアクセスを実行するようＵＥをトリガする。ランダムアクセスの完了後、ＵＥは、アップリンク同期を実装する。ネットワーク側デバイスは、ダウンリンクデータをＵＥに送信し、ＵＥは、受信されたダウンリンクデータに対してアップリンクＨＡＲＱフィードバックを実行する。
【０００５】
しかしながら、現在のところ、ＵＥがアップリンク同期を実行するプロセスは比較的複雑なので、アップリンクデータが送信される場合、又はダウンリンクデータのアップリンクＨＡＲＱフィードバックが送信される場合、遅延は比較的長く、効率は比較的低い。
【発明の概要】
【０００６】
本発明の実施形態は、アップリンク情報送信方法及び装置を提供することにより、アップリンクデータ送信又はダウンリンクデータのアップリンクＨＡＲＱフィードバック送信における長遅延及び低効率という、従来技術の欠点を克服する。
【０００７】
第１の態様によれば、ユーザ機器が提供される。ユーザ機器は、
スケジューリング情報及びタイミングアドバンス情報を決定するように構成される決定モジュールであって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、決定モジュールと、
タイミングアドバンス情報に従って、タイミングアドバンスを調整するように構成される調整モジュールと、
調整されたタイミングアドバンスを用いることによって、スケジューリング情報に従って、アップリンク情報を送信するように構成される送信モジュールと、
を含む。
【０００８】
第１の態様に関連して、第１の可能な実装において、決定モジュールがスケジューリング情報及びタイミングアドバンス情報を決定することは、具体的には、
決定モジュールが、第１の伝送時間間隔ＴＴＩで、スケジューリング情報及びタイミングアドバンス情報を決定すること
である。
【０００９】
第１の態様の第１の可能な実装に関連して、第２の可能な実装において、送信モジュールが、調整されたタイミングアドバンスを用いることによって、スケジューリング情報に従って、アップリンク情報を送信することは、具体的には、
送信モジュールが、第２のＴＴＩで、調整されたタイミングアドバンスを用いることによって、スケジューリング情報に従って、アップリンク情報を送信すること
であり、
第２のＴＴＩ及び第１のＴＴＩは、Ｎ個のＴＴＩによって分離され、Ｎは、０より大きい又はこれに等しい。
【００１０】
第１の態様、及び第１の態様の第１から第２の可能な実装に関連して、第３の可能な実装において、決定モジュールは、タイミングアドバンスを決定するようにさらに構成される。
【００１１】
第１の態様、及び第１の態様の第１から第３の可能な実装に関連して、第４の可能な実装において、ユーザ機器は、メディアアクセス制御ＭＡＣ制御要素ＣＥ又は物理層制御シグナリングを受信するように構成される受信モジュールをさらに含み、
決定モジュールがタイミングアドバンス情報を決定することは、具体的には、
決定モジュールが、ＭＡＣ  ＣＥからタイミングアドバンス情報を取得すること、又は、
ユーザ機器が、物理層制御シグナリングからタイミングアドバンス情報を取得すること
である。
【００１２】
第１の態様、及び第１の態様の第１から第４の可能な実装に関連して、第５の可能な実装において、ユーザ機器は、物理層制御シグナリングを受信するように構成される受信モジュールをさらに含み、
決定モジュールがスケジューリング情報を決定することは、具体的には、
決定モジュールが、物理層制御シグナリングからスケジューリング情報を取得すること
である。
【００１３】
第１の態様、及び第１の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００１４】
第１の態様、及び第１の態様の第１から第６の可能な実装に関連して、第７の可能な実装において、アップリンク情報は、アップリンクＨＡＲＱフィードバック情報を含み、
決定モジュールは、アップリンクＨＡＲＱフィードバック情報が送信される場合に利用可能なフィードバックリソースを決定するようにさらに構成され、
送信モジュールが、調整されたタイミングアドバンスを用いることによって、スケジューリング情報に従って、アップリンク情報を送信することは、具体的には、
送信モジュールが、調整されたタイミングアドバンスを用いることによって、スケジューリング情報に従って、フィードバックリソースにおいて、アップリンク情報を送信すること
である。
【００１５】
第１の態様の第７の可能な実装に関連して、第８の可能な実装において、決定モジュールが、アップリンクＨＡＲＱフィードバック情報が送信される場合に利用可能なフィードバックリソースを決定することは、具体的には、
決定モジュールが、リソース構成情報を決定し、リソース構成情報に対応するリソースをフィードバックリソースとして用いること
である。
【００１６】
第１の態様の第８の可能な実装に関連して、第９の可能な実装において、リソース構成情報は、時間ドメイン情報、周波数ドメイン情報、又はコードドメイン情報の少なくとも１つを含む。
【００１７】
第１の態様、及び第１の態様の第１から第９の可能な実装に関連して、第１０の可能な実装において、ユーザ機器は、タイミングアドバンス調整指示を受信するように構成される受信モジュールをさらに含み、タイミングアドバンス調整指示は、ユーザ機器が、タイミングアドバンス情報に従って、タイミングアドバンスを調整可能であることを示すために用いられる。
【００１８】
第１の態様、及び第１の態様の第１から第１０の可能な実装に関連して、第１１の可能な実装において、決定モジュールは、ユーザ機器が非同期状態にあると決定するようにさらに構成される。
【００１９】
第２の態様によれば、ネットワーク側デバイスが提供される。ネットワーク側デバイスは、
スケジューリング情報及びタイミングアドバンス情報を送信するように構成される送信モジュールであって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、送信モジュールと、
アップリンク情報を受信するように構成される受信モジュールであって、アップリンク情報は、スケジューリング情報及びタイミングアドバンス情報に従って送信される、受信モジュールと、
を含む。
【００２０】
第２の態様に関連して、第１の可能な実装において、送信モジュールがスケジューリング情報及びタイミングアドバンス情報を送信することは、具体的には、
送信モジュールが、第１の伝送時間間隔ＴＴＩで、スケジューリング情報及びタイミングアドバンス情報を送信すること
である。
【００２１】
第２の態様の第１の可能な実装に関連して、第２の可能な実装において、受信モジュールがアップリンク情報を受信することは、具体的には、
受信モジュールが、第２のＴＴＩでアップリンク情報を受信すること
であり、
第２のＴＴＩ及び第１のＴＴＩは、Ｎ個のＴＴＩによって分離され、Ｎは、０より大きい又はこれに等しい。
【００２２】
第２の態様、及び第２の態様の第１から第２の可能な実装に関連して、第３の可能な実装において、送信モジュールは、タイミングアドバンスを送信するようにさらに構成される。
【００２３】
第２の態様、及び第２の態様の第１から第３の可能な実装に関連して、第４の可能な実装において、送信モジュールがタイミングアドバンス情報を送信することは、具体的には、
送信モジュールが、メディアアクセス制御ＭＡＣ制御要素ＣＥを送信することであって、ＭＡＣ  ＣＥが、タイミングアドバンス情報を保持する、送信すること、又は、
送信モジュールが、物理層制御シグナリングを送信することであって、物理層制御シグナリングが、タイミングアドバンス情報を保持する、送信すること
である。
【００２４】
第２の態様、及び第２の態様の第１から第４の可能な実装に関連して、第５の可能な実装において、送信モジュールがスケジューリング情報を送信することは、具体的には、
送信モジュールが、物理層制御シグナリングを送信することであって、物理層制御シグナリングは、スケジューリング情報を保持する、送信すること
である。
【００２５】
第２の態様、及び第２の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００２６】
第２の態様、及び第２の態様の第１から第６の可能な実装に関連して、第７の可能な実装において、アップリンク情報は、アップリンクＨＡＲＱフィードバック情報を含み、
送信モジュールは、リソース構成情報を送信するようにさらに構成され、リソース構成情報に対応するリソースは、フィードバックリソースであり、フィードバックリソースは、アップリンクＨＡＲＱフィードバック情報が送信される場合に利用可能なリソースである。
【００２７】
第２の態様の第７の可能な実装に関連して、第８の可能な実装において、リソース構成情報は、時間ドメイン情報、周波数ドメイン情報、又はコードドメイン情報の少なくとも１つを含む。
【００２８】
第２の態様、及び第２の態様の第１から第８の可能な実装に関連して、第９の可能な実装において、送信モジュールは、アップリンクのタイミングアドバンス調整指示を送信するようにさらに構成され、タイミングアドバンス調整指示は、ユーザ機器が、タイミングアドバンス情報に従って、タイミングアドバンスを調整可能であることを示すために用いられる。
【００２９】
第３の態様によれば、ユーザ機器が提供される。ユーザ機器は、
スケジューリング情報を受信するように構成される受信モジュールであって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、受信モジュールと、
ユーザ機器が非同期状態にあると決定するように構成される決定モジュールと、
決定モジュールが、ユーザ機器が非同期状態にあると決定した場合に、アップリンクリソースを用いることによって、ランダムアクセスコードを送信するように構成される送信モジュールと、
を含み、
受信モジュールは、ランダムアクセス応答を受信するようにさらに構成され、ランダムアクセス応答は、ランダムアクセスコードに従って送信される。
【００３０】
第３の態様に関連して、第１の可能な実装において、送信モジュールが、アップリンクリソースを用いることによってランダムアクセスコードを送信することは、具体的には、
送信モジュールが、少なくとも１つのターゲット物理リソースブロックを用いることによってランダムアクセスコードを送信すること
であり、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている。
【００３１】
第３の態様、及び第３の態様の第１の可能な実装に関連して、第２の可能な実装において、決定モジュールは、ランダムアクセスリソース情報を決定するようにさらに構成され、ランダムアクセスリソース情報は、少なくとも１つのランダムアクセスコードを含む。
【００３２】
第３の態様の第２の可能な実装に関連して、第３の可能な実装において、少なくとも１つのランダムアクセスコードは、同じグループに属し、
送信モジュールが、アップリンクリソースを用いることによってランダムアクセスコードを送信することは、具体的には、
送信モジュールが、少なくとも１つのランダムアクセスコードのうちの１つを選択し、アップリンクリソースを用いることによって、選択されたランダムアクセスコードを送信すること
である。
【００３３】
第３の態様の第２又は第３の可能な実装に関連して、第４の可能な実装において、少なくとも１つのランダムアクセスコードは、少なくとも１つの専用ランダムアクセスコードを含み、
送信モジュールが、アップリンクリソースを用いることによってランダムアクセスコードを送信することは、具体的には、
送信モジュールが、少なくとも１つの専用ランダムアクセスコードのうちの１つを選択し、アップリンクリソースを用いることによって選択された専用ランダムアクセスコードを送信すること
である。
【００３４】
第３の態様、及び第３の態様の第１から第４の可能な実装に関連して、第５の可能な実装において、ランダムアクセスリソース情報は、ランダムアクセスチャネルリソース情報を含み、
決定モジュールが、ユーザ機器が非同期状態にあると決定した場合に、送信モジュールは、ランダムアクセスチャネルリソースを用いることによって、ランダムアクセスコードを送信するようにさらに構成され、ランダムアクセスチャネルリソースは、ランダムアクセスチャネルリソース情報によって示されるチャネルリソースである。
【００３５】
第３の態様の第５の可能な実装に関連して、第６の可能な実装において、送信モジュールが、ランダムアクセスチャネルリソースを用いることによってランダムアクセスコードを送信することは、具体的には、
送信モジュールが、アップリンクリソースが位置するＴＴＩのランダムアクセスチャネルリソースを用いることによって、ランダムアクセスコードを送信すること、及び／又は、
送信モジュールが、アップリンクリソースを用いることによってランダムアクセスコードを送信すること、及び／又は、
送信モジュールが、アップリンクリソースが位置するＴＴＩの後のＴＴＩのランダムアクセスチャネルリソースを用いることによって、ランダムアクセスコードを送信すること
である。
【００３６】
第３の態様の第５又は第６の可能な実装態様に関連して、第７の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００３７】
第３の態様、及び第３の態様の第１から第７の可能な実装に関連して、第８の可能な実装において、送信モジュールは、ランダムアクセス応答に従って、アップリンク情報を送信するようにさらに構成される。
【００３８】
第４の態様によれば、ネットワーク側デバイスが提供される。ネットワーク側デバイスは、
スケジューリング情報を送信するように構成される送信モジュールであって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、送信モジュールと、
ランダムアクセスコードを受信するように構成される受信モジュールであって、ランダムアクセスコードは、アップリンクリソースに従って送信される、受信モジュールと、
を含み、
送信モジュールは、ランダムアクセスコードに従って、ランダムアクセス応答を送信するようにさらに構成される。
【００３９】
第４の態様に関連して、第１の可能な実装において、送信モジュールは、ランダムアクセスリソース情報を送信するようにさらに構成され、ランダムアクセスリソース情報は、少なくとも１つのランダムアクセスコードを含む。
【００４０】
第４の態様の第１の可能な実装に関連して、第２の可能な実装において、少なくとも１つのランダムアクセスコードは、同じグループに属し、
受信モジュールがランダムアクセスコードを受信することは、具体的には、
受信モジュールが、少なくとも１つのランダムアクセスコードのうちの１つを受信すること
である。
【００４１】
第４の態様の第１又は第２の可能な実装態様に関連して、第３の可能な実装において、少なくとも１つのランダムアクセスコードは、少なくとも１つの専用ランダムアクセスコードを含み、
受信モジュールがランダムアクセスコードを受信することは、具体的には、
受信モジュールが、少なくとも１つの専用ランダムアクセスコードのうちの１つを受信すること
である。
【００４２】
第４の態様、及び第４の態様の第１から第３の可能な実装に関連して、第４の可能な実装において、ランダムアクセスリソース情報は、ランダムアクセスチャネルリソース情報を含む。
【００４３】
第４の態様の第４の可能な実装に関連して、第５の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００４４】
第４の態様、及び第４の態様の第１から第５の可能な実装に関連して、第６の可能な実装において、受信モジュールは、アップリンク情報を受信するようにさらに構成される。
【００４５】
第５の態様によれば、アップリンク情報送信方法が提供される。アップリンク情報送信方法は、
ユーザ機器によって、スケジューリング情報及びタイミングアドバンス情報を決定する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ユーザ機器によって、タイミングアドバンス情報に従って、タイミングアドバンスを調整する段階と、
ユーザ機器によって、調整されたタイミングアドバンスを用いることによって、スケジューリング情報に従って、アップリンク情報を送信する段階と、
を含む。
【００４６】
第５の態様に関連して、第１の可能な実装において、ユーザ機器によって、スケジューリング情報及びタイミングアドバンス情報を決定する段階は、
ユーザ機器によって、第１の伝送時間間隔ＴＴＩで、スケジューリング情報及びタイミングアドバンス情報を決定する段階
を含む。
【００４７】
第５の態様の第１の可能な実装に関連して、第２の可能な実装において、ユーザ機器によって、調整されたタイミングアドバンスを用いることによって、スケジューリング情報に従って、アップリンク情報を送信する段階は、
ユーザ機器によって、第２のＴＴＩで、調整されたタイミングアドバンスを用いることによって、スケジューリング情報に従って、アップリンク情報を送信する段階であって、第２のＴＴＩ及び第１のＴＴＩは、Ｎ個のＴＴＩによって分離され、Ｎは、０より大きい又はこれに等しい、段階
を含む。
【００４８】
第５の態様、及び第５の態様の第１から第２の可能な実装に関連して、第３の可能な実装において、ユーザ機器によって、タイミングアドバンス情報に従って、タイミングアドバンスを調整する段階の前に、方法は、
ユーザ機器によって、タイミングアドバンスを決定する段階
をさらに含む。
【００４９】
第５の態様、及び第５の態様の第１から第３の可能な実装に関連して、第４の可能な実装において、ユーザ機器によって、タイミングアドバンス情報を決定する段階は、
ユーザ機器によって、メディアアクセス制御ＭＡＣ制御要素ＣＥを受信し、ＭＡＣ  ＣＥからタイミングアドバンス情報を取得する段階、又は、
ユーザ機器によって、物理層制御シグナリングを受信し、物理層制御シグナリングからタイミングアドバンス情報を取得する段階
を含む。
【００５０】
第５の態様、及び第５の態様の第１から第４の可能な実装に関連して、第５の可能な実装において、ユーザ機器によって、スケジューリング情報を決定する段階は、
ユーザ機器によって、物理層制御シグナリングを受信し、物理層制御シグナリングからスケジューリング情報を取得する段階
を含む。
【００５１】
第５の態様、及び第５の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００５２】
第５の態様、及び第５の態様の第１から第６の可能な実装に関連して、第７の可能な実装において、アップリンク情報は、アップリンクＨＡＲＱフィードバック情報を含み、
ユーザ機器によって、アップリンク情報を送信する段階の前に、方法は、
ユーザ機器によって、アップリンクＨＡＲＱフィードバック情報が送信される場合に利用可能なフィードバックリソースを決定する段階
をさらに含み、
ユーザ機器によって、調整されたタイミングアドバンスを用いることによって、スケジューリング情報に従って、アップリンク情報を送信する段階は、
ユーザ機器によって、調整されたタイミングアドバンスを用いることによって、スケジューリング情報に従って、フィードバックリソースにおいて、アップリンク情報を送信する段階
を含む。
【００５３】
第５の態様の第７の可能な実装に関連して、第８の可能な実装において、ユーザ機器によって、アップリンクＨＡＲＱフィードバック情報が送信される場合に利用可能なフィードバックリソースを決定する段階は、
ユーザ機器によって、リソース構成情報を決定し、リソース構成情報に対応するリソースをフィードバックリソースとして用いる段階
を含む。
【００５４】
第５の態様の第８の可能な実装に関連して、第９の可能な実装において、リソース構成情報は、時間ドメイン情報、周波数ドメイン情報、又はコードドメイン情報の少なくとも１つを含む。
【００５５】
第５の態様、及び第５の態様の第１から第９の可能な実装に関連して、第１０の可能な実装において、ユーザ機器によって、調整されたタイミングアドバンスを用いることによって、スケジューリング情報に従って、アップリンク情報を送信する段階の前に、方法は、
ユーザ機器によって、タイミングアドバンス調整指示を受信する段階であって、タイミングアドバンス調整指示は、ユーザ機器が、タイミングアドバンス情報に従って、タイミングアドバンスを調整可能であることを示すために用いられる、段階
をさらに含む。
【００５６】
第５の態様、及び第５の態様の第１から第１０の可能な実装に関連して、第１１の可能な実装において、ユーザ機器によって、タイミングアドバンスを決定する段階の前に、方法は、
ユーザ機器によって、ユーザ機器が非同期状態にあると決定する段階
をさらに含む。
【００５７】
第６の態様によれば、アップリンク情報送信方法が提供される。アップリンク情報送信方法は、
ネットワーク側デバイスによって、スケジューリング情報及びタイミングアドバンス情報を送信する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ネットワーク側デバイスによって、アップリンク情報を受信する段階であって、アップリンク情報は、スケジューリング情報及びタイミングアドバンス情報に従って送信される、段階と、
を含む。
【００５８】
第６の態様に関連して、第１の可能な実装において、ネットワーク側デバイスによって、スケジューリング情報及びタイミングアドバンス情報を送信する段階は、
ネットワーク側デバイスによって、第１の伝送時間間隔ＴＴＩで、スケジューリング情報及びタイミングアドバンス情報を送信する段階
を含む。
【００５９】
第６の態様の第１の可能な実装に関連して、第２の可能な実装において、ネットワーク側デバイスによって、アップリンク情報を受信する段階は、
ネットワーク側デバイスによって、第２のＴＴＩで、アップリンク情報を受信する段階
を含み、
第２のＴＴＩ及び第１のＴＴＩは、Ｎ個のＴＴＩによって分離され、Ｎは、０より大きい又はこれに等しい。
【００６０】
第６の態様、及び第６の態様の第１から第２の可能な実装に関連して、第３の可能な実装において、ネットワーク側デバイスによって、アップリンク情報を受信する段階の前に、方法は、
ネットワーク側デバイスによって、タイミングアドバンスを送信する段階
をさらに含む。
【００６１】
第６の態様、及び第６の態様の第１から第３の可能な実装に関連して、第４の可能な実装において、ネットワーク側デバイスによって、タイミングアドバンス情報を送信する段階は、
ネットワーク側デバイスによって、メディアアクセス制御ＭＡＣ制御要素ＣＥを送信する段階であって、ＭＡＣ  ＣＥは、タイミングアドバンス情報を保持する、段階、又は、
ネットワーク側デバイスによって、物理層制御シグナリングを送信する段階であって、物理層制御シグナリングは、タイミングアドバンス情報を保持する、段階
を含む。
【００６２】
第６の態様、及び第６の態様の第１から第４の可能な実装に関連して、第５の可能な実装において、ネットワーク側デバイスによって、スケジューリング情報を送信する段階は、
ネットワーク側デバイスによって、物理層制御シグナリングを送信する段階であって、物理層制御シグナリングは、スケジューリング情報を保持する、段階
を含む。
【００６３】
第６の態様、及び第６の態様の第１から第５の可能な実装に関連して、第６の可能な実装において、アップリンク情報は、アップリンクデータ及び／又はアップリンクハイブリッド自動再送要求ＨＡＲＱフィードバック情報を含む。
【００６４】
第６の態様、及び第６の態様の第１から第６の可能な実装に関連して、第７の可能な実装において、アップリンク情報は、アップリンクＨＡＲＱフィードバック情報を含み、
ネットワーク側デバイスによって、アップリンク情報を受信する段階の前に、方法は、
ネットワーク側デバイスによって、リソース構成情報を送信する段階であって、リソース構成情報に対応するリソースは、フィードバックリソースであり、フィードバックリソースは、アップリンクＨＡＲＱフィードバック情報が送信される場合に利用可能なリソースである、段階
をさらに含む。
【００６５】
第６の態様の第７の可能な実装に関連して、第８の可能な実装において、リソース構成情報は、時間ドメイン情報、周波数ドメイン情報、又はコードドメイン情報の少なくとも１つを含む。
【００６６】
第６の態様、及び第６の態様の第１から第８の可能な実装に関連して、第９の可能な実装において、ネットワーク側デバイスによって、アップリンク情報を受信する段階の前に、方法は、
ネットワーク側デバイスによって、アップリンクのタイミングアドバンス調整指示を送信する段階であって、タイミングアドバンス調整指示は、ユーザ機器が、タイミングアドバンス情報に従って、タイミングアドバンスを調整可能であることを示すために用いられる、段階
をさらに含む。
【００６７】
第７の態様によれば、ランダムアクセス方法が提供される。ランダムアクセス方法は、
ユーザ機器によって、スケジューリング情報を受信する段階であって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、段階と、
ユーザ機器が非同期状態にあると決定した場合に、ユーザ機器によって、アップリンクリソースを用いることによって、ランダムアクセスコードを送信する段階と、
ユーザ機器によって、ランダムアクセス応答を受信する段階であって、ランダムアクセス応答は、ランダムアクセスコードに従って送信される、段階と、
を含む。
【００６８】
第７の態様に関連して、第１の可能な実装において、ユーザ機器によって、アップリンクリソースを用いることによって、ランダムアクセスコードを送信する段階は、
ユーザ機器によって、少なくとも１つのターゲット物理リソースブロックを用いることによって、ランダムアクセスコードを送信する段階
を含み、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている。
【００６９】
第７の態様、及び第７の態様の第１の可能な実装に関連して、第２の可能な実装において、ユーザ機器によって、アップリンクリソースを用いることによって、ランダムアクセスコードを送信する段階の前に、方法は、
ユーザ機器によって、ランダムアクセスリソース情報を決定する段階であって、ランダムアクセスリソース情報は、少なくとも１つのランダムアクセスコードを含む、段階
をさらに含む。
【００７０】
第７の態様の第２の可能な実装に関連して、第３の可能な実装において、少なくとも１つのランダムアクセスコードは、同じグループに属し、
ユーザ機器によって、アップリンクリソースを用いることによって、ランダムアクセスコードを送信する段階は、
ユーザ機器によって、少なくとも１つのランダムアクセスコードのうちの１つを選択し、アップリンクリソースを用いることによって、選択されたランダムアクセスコードを送信する段階
を含む。
【００７１】
第７の態様の第２又は第３の可能な実装に関連して、第４の可能な実装において、少なくとも１つのランダムアクセスコードは、少なくとも１つの専用ランダムアクセスコードを含み、
ユーザ機器によって、アップリンクリソースを用いることによって、ランダムアクセスコードを送信する段階は、
ユーザ機器によって、少なくとも１つの専用ランダムアクセスコードのうちの１つを選択し、アップリンクリソースを用いることによって、選択された専用ランダムアクセスコードを送信する段階
を含む。
【００７２】
第７の態様、及び第７の態様の第１から第４の可能な実装に関連して、第５の可能な実装において、ランダムアクセスリソース情報は、ランダムアクセスチャネルリソース情報を含み、
方法は、
ユーザ機器が非同期状態にあると決定した場合に、ユーザ機器によって、ランダムアクセスチャネルリソースを用いることによって、ランダムアクセスコードを送信する段階であって、ランダムアクセスチャネルリソースは、ランダムアクセスチャネルリソース情報によって示されるチャネルリソースである、段階
をさらに含む。
【００７３】
第７の態様の第５の可能な実装に関連して、第６の可能な実装において、ユーザ機器によって、ランダムアクセスチャネルリソースを用いることによって、ランダムアクセスコードを送信する段階は、
ユーザ機器によって、アップリンクリソースが位置するＴＴＩのランダムアクセスチャネルリソースを用いることによって、ランダムアクセスコードを送信する段階、及び／又は、
ユーザ機器によって、アップリンクリソースを用いることによって、ランダムアクセスコードを送信する段階、及び／又は、
ユーザ機器によって、アップリンクリソースが位置するＴＴＩの後のＴＴＩのランダムアクセスチャネルリソースを用いることによって、ランダムアクセスコードを送信する段階
を含む。
【００７４】
第７の態様の第５又は第６の可能な実装態様に関連して、第７の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００７５】
第７の態様、及び第７の態様の第１から第７の可能な実装に関連して、第８の可能な実装において、ユーザ機器によって、ランダムアクセス応答を受信する段階の後で、方法は、
ユーザ機器によって、ランダムアクセス応答に従って、アップリンク情報を送信する段階
をさらに含む。
【００７６】
第８の態様によれば、ランダムアクセス方法が提供される。ランダムアクセス方法は、
ネットワーク側デバイスによって、スケジューリング情報を送信する段階であって、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる、段階と、
ネットワーク側デバイスによって、ランダムアクセスコードを受信する段階であって、ランダムアクセスコードは、アップリンクリソースに従って送信される、段階と、
ネットワーク側デバイスによって、ランダムアクセスコードに従って、ランダムアクセス応答を送信する段階と、
を含む。
【００７７】
第８の態様に関連して、第１の可能な実装において、ネットワーク側デバイスによって、ランダムアクセスコードを受信する段階の前に、方法は、
ネットワーク側デバイスによって、ランダムアクセスリソース情報を送信する段階であって、ランダムアクセスリソース情報は、少なくとも１つのランダムアクセスコードを含む、段階
をさらに含む。
【００７８】
第８の態様の第１の可能な実装に関連して、第２の可能な実装において、少なくとも１つのランダムアクセスコードは、同じグループに属し、
ネットワーク側デバイスによって、ランダムアクセスコードを受信する段階は、
ネットワーク側デバイスによって、少なくとも１つのランダムアクセスコードのうちの１つを受信する段階
を含む。
【００７９】
第８の態様の第１又は第２の可能な実装態様に関連して、第３の可能な実装において、少なくとも１つのランダムアクセスコードは、少なくとも１つの専用ランダムアクセスコードを含み、
ネットワーク側デバイスによって、ランダムアクセスコードを受信する段階は、
ネットワーク側デバイスによって、少なくとも１つの専用ランダムアクセスコードのうちの１つを受信する段階
を含む。
【００８０】
第８の態様、及び第８の態様の第１から第３の可能な実装に関連して、第４の可能な実装において、ランダムアクセスリソース情報は、ランダムアクセスチャネルリソース情報を含む。
【００８１】
第８の態様の第４の可能な実装に関連して、第５の可能な実装において、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【００８２】
第８の態様、及び第８の態様の第１から第５の可能な実装に関連して、第６の可能な実装において、ネットワーク側デバイスによって、ランダムアクセスコードに従って、ランダムアクセス応答を送信する段階の後で、方法は、
ネットワーク側デバイスによって、アップリンク情報を受信する段階
をさらに含む。
【００８３】
本発明の実施形態は、アップリンク情報送信方法を提供し、方法は、
ユーザ機器によって、スケジューリング情報及びタイミングアドバンス情報を決定する段階であって、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる、段階と、
ユーザ機器によって、タイミングアドバンス情報に従って、タイミングアドバンスを調整する段階と、
ユーザ機器によって、調整されたタイミングアドバンスを用いることによって、スケジューリング情報に従って、アップリンク情報を送信する段階と、
を含む。従来技術では、ユーザ機器がアップリンク非同期である場合、ユーザ機器は、ランダムアクセスプロセスを用いることによってのみ、アップリンク同期を実装することができる。ランダムアクセスプロセスを実行する場合に、ユーザ機器は、ランダムアクセスコードをネットワーク側デバイスに送信し、次に、ネットワーク側デバイスが、タイミングアドバンス情報をユーザ機器に戻す必要がある。しかしながら、本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、次に、ユーザ機器は、タイミングアドバンス情報に従って、アップリンク同期を実装することができる。このように、アップリンクデータの送信又はダウンリンクデータのアップリンクＨＡＲＱフィードバックの送信における長遅延及び低効率という従来技術の欠点が、克服される。
【図面の簡単な説明】
【００８４】
【図１Ａ】本発明の実施形態に係るユーザ機器の模式図である。
【００８５】
【図１Ｂ】本発明の実施形態に係るユーザ機器の他の模式図である。
【００８６】
【図２Ａ】本発明の実施形態に係るネットワーク側デバイスの模式図である。
【００８７】
【図２Ｂ】本発明の実施形態に係るネットワーク側デバイスの他の模式図である。
【００８８】
【図３Ａ】本発明の実施形態に係るユーザ機器の他の模式図である。
【００８９】
【図３Ｂ】本発明の実施形態に係るユーザ機器の他の模式図である。
【００９０】
【図４Ａ】本発明の実施形態に係るネットワーク側デバイスの他の模式図である。
【００９１】
【図４Ｂ】本発明の実施形態に係るネットワーク側デバイスの他の模式図である。
【００９２】
【図５Ａ】本発明の実施形態に係るアップリンク情報送信の模式的フローチャートである。
【００９３】
【図５Ｂ】本発明の実施形態に係る、タイミングアドバンスが調整されることを必要としない模式図である。
【００９４】
【図５Ｃ】本発明の実施形態に係る、タイミングアドバンスが前に調整されることを必要とする模式図である。
【００９５】
【図５Ｄ】本発明の実施形態に係る、タイミングアドバンスが後ろに調整されることを必要とする模式図である。
【００９６】
【図６】本発明の実施形態に係るアップリンク情報送信の他の模式的フローチャートである。
【００９７】
【図７Ａ】本発明の実施形態に係るランダムアクセスの模式的フローチャートである。
【００９８】
【図７Ｂ】本発明の実施形態に係るのランダムアクセスチャネルリソースの模式図である。
【００９９】
【図８】本発明の実施形態に係るランダムアクセスの他の模式的フローチャートである。
【０１００】
【図９】本発明の実施形態に係るアップリンク情報送信の模式的フローチャートである。
【０１０１】
【図１０】本発明の実施形態に係るアップリンク情報送信の実施形態である。
【０１０２】
【図１１】本発明の実施形態に係るアップリンク情報送信の他の実施形態である。
【発明を実施するための形態】
【０１０３】
本発明の目的、技術的解決手段、及び利点をより明確にするために、以下、本発明を、さらに添付図面を参照して詳細に説明する。説明される実施形態は、本発明の実施形態の全てではなく、その一部に過ぎないことは明らかである。当業者によって、創造的努力なく、本発明の実施形態に基づいて取得される全ての他の実施形態は、本発明の保護範囲に属するものとする。
【０１０４】
以下、本発明のいくつかの実装が、添付図面を参照して詳細に説明される。本明細書において説明されるいくつかの実施形態は、本発明を例示及び説明するために用いられるに過ぎず、本発明を限定することを意図するものではないことを理解されたい。さらに、本願の実施形態及び実施形態における特徴は、これらが互いに競合しない場合、相互に組み合わせられてよい。
【０１０５】
図１Ａを参照すると、ユーザ機器が提供される。ユーザ機器は、決定モジュール１０、調整モジュール１１、及び送信モジュール１２を含む。
【０１０６】
決定モジュール１０は、スケジューリング情報及びタイミングアドバンス情報を決定するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１０７】
調整モジュール１１は、タイミングアドバンス情報に従って、タイミングアドバンスを調整するように構成される。
【０１０８】
送信モジュール１２は、調整されたタイミングアドバンスを用いることによって、スケジューリング情報に従って、アップリンク情報を送信するように構成される。
【０１０９】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１１０】
任意選択的に、決定モジュール１０がスケジューリング情報及びタイミングアドバンス情報を決定することは、具体的には、
決定モジュール１０が、第１のＴＴＩ（Ｔｒａｎｓｍｉｓｓｉｏｎ  Ｔｉｍｅ  Ｉｎｔｅｒｖａｌ、伝送時間間隔）で、スケジューリング情報及びタイミングアドバンス情報を決定すること
である。
【０１１１】
任意選択的に、送信モジュール１２が、調整されたタイミングアドバンスを用いることによって、スケジューリング情報に従って、アップリンク情報を送信することは、具体的には、
送信モジュール１２が、第２のＴＴＩで、調整されたタイミングアドバンスを用いることによって、スケジューリング情報に従って、アップリンク情報を送信すること
である。
【０１１２】
第２のＴＴＩ及び第１のＴＴＩは、Ｎ個のＴＴＩによって分離され、Ｎは、０より大きい又はこれに等しい。
【０１１３】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたアップリンク情報を、正確に受信してよい。
【０１１４】
タイミングアドバンス情報は、タイミングアドバンスを調整するために用いられるので、決定モジュール１０は、タイミングアドバンスを決定するようにさらに構成される。
【０１１５】
この場合、決定されたタイミングアドバンス情報が意味を持つ。タイミングアドバンスが決定されない場合、タイミングアドバンス情報を決定することは無意味である。
【０１１６】
さらに、ユーザ機器は、ＭＡＣ（Ｍｅｄｉａ  Ａｃｃｅｓｓ  Ｃｏｎｔｒｏｌ、メディアアクセス制御）ＣＥ（Ｃｏｎｔｒｏｌ  Ｅｌｅｍｅｎｔ、制御要素）又は物理層制御シグナリングを受信するように構成される受信モジュール１３をさらに含む。
【０１１７】
この場合、決定モジュール１０がタイミングアドバンス情報を決定することは、具体的には、
決定モジュール１０が、ＭＡＣ  ＣＥからタイミングアドバンス情報を取得すること、又は、
ユーザ機器が、物理層制御シグナリングからタイミングアドバンス情報を取得すること
である。
【０１１８】
ＭＡＣ  ＣＥは、リソースの無駄を回避するために６ビットの調整値を含むので、好ましくは、ＭＡＣ  ＣＥは、タイミングアドバンス情報を保持してよい。
【０１１９】
ユーザ機器は、物理層制御シグナリングを受信するように構成される受信モジュール１３をさらに含む。
【０１２０】
決定モジュール１０がスケジューリング情報を決定することは、具体的には、
決定モジュール１０が、物理層制御シグナリングからスケジューリング情報を取得すること
である。
【０１２１】
任意選択的に、アップリンク情報は、アップリンクデータ及び／又はアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバック情報を含む。
【０１２２】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１２３】
アップリンク情報は、アップリンクＨＡＲＱフィードバック情報を含む。
【０１２４】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、決定モジュール１０は、アップリンクＨＡＲＱフィードバック情報が送信される場合に利用可能なフィードバックリソースを決定するようにさらに構成される。
【０１２５】
送信モジュール１２が、調整されたタイミングアドバンスを用いることによって、スケジューリング情報に従って、アップリンク情報を送信することは、具体的には、
送信モジュール１２が、調整されたタイミングアドバンスを用いることによって、スケジューリング情報に従って、フィードバックリソースにおいて、アップリンク情報を送信すること
である。
【０１２６】
この場合、ユーザ機器は、フィードバックリソースを予め定めることができるので、異なるユーザ機器が同じフィードバックリソースを占有しないことにより、リソース競合を回避する。
【０１２７】
任意選択的に、決定モジュール１０が、アップリンクＨＡＲＱフィードバック情報が送信される場合に利用可能なフィードバックリソースを決定することは、具体的には、
決定モジュール１０が、リソース構成情報を決定し、リソース構成情報に対応するリソースをフィードバックリソースとして用いること
である。
【０１２８】
任意選択的に、リソース構成情報は、時間ドメイン情報、周波数ドメイン情報、又はコードドメイン情報の少なくとも１つを含む。
【０１２９】
ユーザ機器が、本解決手段を用いることによって、又はランダムアクセスプロセスを用いることによって、アップリンク同期の実装を柔軟に選択することができるように、ユーザ機器は、タイミングアドバンス調整指示を受信するように構成される受信モジュール１３をさらに含む。タイミングアドバンス調整指示は、ユーザ機器が、タイミングアドバンス情報に従って、タイミングアドバンスを調整可能であることを示すために用いられる。
【０１３０】
すなわち、本解決手段に従って、アップリンク同期を実装する機能は、受信モジュール１３がタイミングアドバンス調整指示を受信した後でのみ、有効化される。受信モジュール１３がタイミングアドバンス調整指示を受信しない場合、アップリンク同期は、ランダムアクセスプロセスを用いることによってのみ実装可能となる。
【０１３１】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、決定モジュール１０は、ユーザ機器が非同期状態にあると決定するようにさらに構成される。
【０１３２】
図１Ｂを参照すると、本発明の実施形態は、ユーザ機器を提供する。ユーザ機器は、プロセッサ１００及び送信機１１０を含む。
【０１３３】
プロセッサ１００は、スケジューリング情報及びタイミングアドバンス情報を決定するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１３４】
プロセッサ１００は、タイミングアドバンス情報に従って、タイミングアドバンスを調整するようにさらに構成される。
【０１３５】
送信機１１０は、調整されたタイミングアドバンスを用いることによって、スケジューリング情報に従って、アップリンク情報を送信するように構成される。
【０１３６】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１３７】
任意選択的に、プロセッサ１００がスケジューリング情報及びタイミングアドバンス情報を決定することは、具体的には、
プロセッサ１００が、第１のＴＴＩ（Ｔｒａｎｓｍｉｓｓｉｏｎ  Ｔｉｍｅ  Ｉｎｔｅｒｖａｌ、伝送時間間隔）で、スケジューリング情報及びタイミングアドバンス情報を決定すること
である。
【０１３８】
任意選択的に、送信機１１０が、調整されたタイミングアドバンスを用いることによって、スケジューリング情報に従って、アップリンク情報を送信することは、具体的には、
送信機１１０が、第２のＴＴＩで、調整されたタイミングアドバンスを用いることによって、スケジューリング情報に従って、アップリンク情報を送信すること
である。
【０１３９】
第２のＴＴＩ及び第１のＴＴＩは、Ｎ個のＴＴＩによって分離され、Ｎは、０より大きい又はこれに等しい。
【０１４０】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたアップリンク情報を、正確に受信してよい。
【０１４１】
タイミングアドバンス情報は、タイミングアドバンスを調整するために用いられるので、プロセッサ１００は、タイミングアドバンスを決定するようにさらに構成される。
【０１４２】
この場合、決定されたタイミングアドバンス情報が意味を持つ。タイミングアドバンスが決定されない場合、タイミングアドバンス情報を決定することは無意味である。
【０１４３】
さらに、ユーザ機器は、ＭＡＣ（Ｍｅｄｉａ  Ａｃｃｅｓｓ  Ｃｏｎｔｒｏｌ、メディアアクセス制御）ＣＥ（Ｃｏｎｔｒｏｌ  Ｅｌｅｍｅｎｔ、制御要素）又は物理層制御シグナリングを受信するように構成される受信機１２０をさらに含む。
【０１４４】
この場合、プロセッサ１００がタイミングアドバンス情報を決定することは、具体的には、
プロセッサ１００が、ＭＡＣ  ＣＥからタイミングアドバンス情報を取得すること、又は、
ユーザ機器が、物理層制御シグナリングからタイミングアドバンス情報を取得すること
である。
【０１４５】
ＭＡＣ  ＣＥは、リソースの無駄を回避するために６ビットの調整値を含むので、好ましくは、ＭＡＣ  ＣＥは、タイミングアドバンス情報を保持してよい。
【０１４６】
ユーザ機器は、物理層制御シグナリングを受信するように構成される受信機１２０をさらに含む。
【０１４７】
プロセッサ１００がスケジューリング情報を決定することは、具体的には、
プロセッサ１００が、物理層制御シグナリングからスケジューリング情報を取得すること
である。
【０１４８】
任意選択的に、アップリンク情報は、アップリンクデータ及び／又はアップリンクＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバック情報を含む。
【０１４９】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１５０】
アップリンク情報は、アップリンクＨＡＲＱフィードバック情報を含む。
【０１５１】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、プロセッサ１００は、アップリンクＨＡＲＱフィードバック情報が送信される場合に利用可能なフィードバックリソースを決定するようにさらに構成される。
【０１５２】
送信機１１０が、調整されたタイミングアドバンスを用いることによって、スケジューリング情報に従って、アップリンク情報を送信することは、具体的には、
送信機１１０が、調整されたタイミングアドバンスを用いることによって、スケジューリング情報に従って、フィードバックリソースにおいて、アップリンク情報を送信すること
である。
【０１５３】
この場合、ユーザ機器は、フィードバックリソースを予め定めることができるので、異なるユーザ機器が同じフィードバックリソースを占有しないことにより、リソース競合を回避する。
【０１５４】
任意選択的に、プロセッサ１００が、アップリンクＨＡＲＱフィードバック情報が送信される場合に利用可能なフィードバックリソースを決定することは、具体的には、
プロセッサ１００が、リソース構成情報を決定し、リソース構成情報に対応するリソースをフィードバックリソースとして用いること
である。
【０１５５】
任意選択的に、リソース構成情報は、時間ドメイン情報、周波数ドメイン情報、又はコードドメイン情報の少なくとも１つを含む。
【０１５６】
ユーザ機器が、本解決手段を用いることによって、又はランダムアクセスプロセスを用いることによって、アップリンク同期の実装を柔軟に選択することができるように、ユーザ機器は、タイミングアドバンス調整指示を受信するように構成される受信機１２０をさらに含む。タイミングアドバンス調整指示は、ユーザ機器が、タイミングアドバンス情報に従って、タイミングアドバンスを調整可能であることを示すために用いられる。
【０１５７】
すなわち、本解決手段に従って、アップリンク同期を実装する機能は、受信機１２０がタイミングアドバンス調整指示を受信した後でのみ、有効化される。受信機１２０がタイミングアドバンス調整指示を受信しない場合、アップリンク同期は、ランダムアクセスプロセスを用いることによってのみ実装可能となる。
【０１５８】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、プロセッサ１００は、ユーザ機器が非同期状態にあると決定するようにさらに構成される。
【０１５９】
図２Ａを参照すると、ネットワーク側デバイスが提供される。ネットワーク側デバイスは、送信モジュール２０及び受信モジュール２１を含む。
【０１６０】
送信モジュール２０は、スケジューリング情報及びタイミングアドバンス情報を送信するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１６１】
受信モジュール２１は、アップリンク情報を受信するように構成される。アップリンク情報は、スケジューリング情報及びタイミングアドバンス情報に従って送信される。
【０１６２】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１６３】
任意選択的に、送信モジュール２０がスケジューリング情報及びタイミングアドバンス情報を送信することは、具体的には、
送信モジュール２０が、第１の伝送時間間隔ＴＴＩで、スケジューリング情報及びタイミングアドバンス情報を送信すること
である。
【０１６４】
任意選択的に、受信モジュール２１がアップリンク情報を受信することは、具体的には、
受信モジュール２１が、第２のＴＴＩで、アップリンク情報を受信すること
である。
【０１６５】
第２のＴＴＩ及び第１のＴＴＩは、Ｎ個のＴＴＩによって分離され、Ｎは、０より大きい又はこれに等しい。
【０１６６】
スケジューリングコマンドに従って、アップリンク情報を送信する場合に、ユーザ機器は、第２のＴＴＩで、調整されたタイミングアドバンスを用いることによって、アップリンク情報を送信してよく、ユーザ機器は、ネットワーク側デバイスと同期される。勿論、第２のＴＴＩ及び第１のＴＴＩは、任意の数のＴＴＩによって分離されてよい。この場合、ネットワーク側デバイスは、ユーザ機器によって送信されたアップリンク情報を、正確に受信してよい。従って、ネットワーク側デバイスによって、アップリンク情報を受信する精度が、向上する。
【０１６７】
タイミングアドバンス情報は、タイミングアドバンスを調整するために用いられるので、送信モジュール２０は、タイミングアドバンスを送信するようにさらに構成される。
【０１６８】
ユーザ機器によって決定されたタイミングアドバンス情報は、この場合、意味を持つ。タイミングアドバンスが決定されない場合、タイミングアドバンス情報を決定することは無意味である。
【０１６９】
さらに、送信モジュール２０がタイミングアドバンス情報を送信することは、具体的には、
送信モジュール２０が、ＭＡＣ  ＣＥを送信することであって、ＭＡＣ  ＣＥが、タイミングアドバンス情報を保持する、送信すること、又は、
送信モジュール２０が、物理層制御シグナリングを送信することであって、物理層制御シグナリングが、タイミングアドバンス情報を保持する、送信すること
である。
【０１７０】
ＭＡＣ  ＣＥは、リソースの無駄を回避するために６ビットの調整値を含むので、好ましくは、ＭＡＣ  ＣＥは、タイミングアドバンス情報を保持してよい。
【０１７１】
任意選択的に、送信モジュール２０がスケジューリング情報を送信することは、具体的には、
送信モジュール２０が、物理層制御シグナリングを送信することであって、物理層制御シグナリングが、スケジューリング情報を保持する、送信すること
である。
【０１７２】
任意選択的に、アップリンク情報は、アップリンクデータ及び／又はアップリンクＨＡＲＱフィードバック情報を含む。
【０１７３】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１７４】
アップリンク情報は、アップリンクＨＡＲＱフィードバック情報を含む。
【０１７５】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、送信モジュール２０は、リソース構成情報を送信するようにさらに構成される。リソース構成情報に対応するリソースは、フィードバックリソースであり、フィードバックリソースは、アップリンクＨＡＲＱフィードバック情報が送信される場合に利用可能なリソースである。
【０１７６】
この場合、ユーザ機器は、フィードバックリソースを予め定めることができるので、異なるユーザ機器が同じフィードバックリソースを占有しないことにより、リソース競合を回避する。
【０１７７】
任意選択的に、リソース構成情報は、時間ドメイン情報、周波数ドメイン情報、又はコードドメイン情報の少なくとも１つを含む。
【０１７８】
ユーザ機器が、本解決手段を用いることによって、又は従来技術を用いることによって、アップリンク同期の実装を柔軟に選択することができるように、送信モジュール２０は、アップリンクのタイミングアドバンス調整指示を送信するようにさらに構成される。タイミングアドバンス調整指示は、ユーザ機器が、タイミングアドバンス情報に従って、タイミングアドバンスを調整可能であることを示すために用いられる。
【０１７９】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となる。
【０１８０】
図２Ｂを参照すると、本発明の実施形態は、ネットワーク側デバイスを提供する。ネットワーク側デバイスは、送信機２００及び受信機２１０を含む。
【０１８１】
送信機２００は、スケジューリング情報及びタイミングアドバンス情報を送信するように構成される。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０１８２】
受信機２１０は、アップリンク情報を受信するように構成される。アップリンク情報は、スケジューリング情報及びタイミングアドバンス情報に従って送信される。
【０１８３】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０１８４】
任意選択的に、送信機２００がスケジューリング情報及びタイミングアドバンス情報を送信することは、具体的には、
送信機２００が、第１の伝送時間間隔ＴＴＩで、スケジューリング情報及びタイミングアドバンス情報を送信すること
である。
【０１８５】
任意選択的に、受信機２１０がアップリンク情報を受信することは、具体的には、
受信機２１０が、第２のＴＴＩで、アップリンク情報を受信すること
である。
【０１８６】
第２のＴＴＩ及び第１のＴＴＩは、Ｎ個のＴＴＩによって分離され、Ｎは、０より大きい又はこれに等しい。
【０１８７】
スケジューリングコマンドに従って、アップリンク情報を送信する場合に、ユーザ機器は、第２のＴＴＩで、調整されたタイミングアドバンスを用いることによって、アップリンク情報を送信してよく、ユーザ機器は、ネットワーク側デバイスと同期される。勿論、第２のＴＴＩ及び第１のＴＴＩは、任意の数のＴＴＩによって分離されてよい。この場合、ネットワーク側デバイスは、ユーザ機器によって送信されたアップリンク情報を、正確に受信してよい。従って、ネットワーク側デバイスによって、アップリンク情報を受信する精度が、向上する。
【０１８８】
タイミングアドバンス情報は、タイミングアドバンスを調整するために用いられるので、送信機２００は、タイミングアドバンスを送信するようにさらに構成される。
【０１８９】
ユーザ機器によって決定されたタイミングアドバンス情報は、この場合、意味を持つ。タイミングアドバンスが決定されない場合、タイミングアドバンス情報を決定することは無意味である。
【０１９０】
さらに、送信機２００がタイミングアドバンス情報を送信することは、具体的には、
送信機２００が、ＭＡＣ  ＣＥを送信することであって、ＭＡＣ  ＣＥが、タイミングアドバンス情報を保持する、送信すること、又は、
送信機２００が、物理層制御シグナリングを送信することであって、物理層制御シグナリングが、タイミングアドバンス情報を保持する、送信すること
である。
【０１９１】
ＭＡＣ  ＣＥは、リソースの無駄を回避するために６ビットの調整値を含むので、好ましくは、ＭＡＣ  ＣＥは、タイミングアドバンス情報を保持してよい。
【０１９２】
任意選択的に、送信機２００がスケジューリング情報を送信することは、具体的には、
送信機２００が、物理層制御シグナリングを送信することであって、物理層制御シグナリングが、スケジューリング情報を保持する、送信すること
である。
【０１９３】
任意選択的に、アップリンク情報は、アップリンクデータ及び／又はアップリンクＨＡＲＱフィードバック情報を含む。
【０１９４】
すなわち、アップリンク情報は、アップリンクデータであってよい。あるいは、ダウンリンクデータが受信された場合、アップリンクＨＡＲＱフィードバックは、ダウンリンクデータに対して実行されることを必要とし、この場合、アップリンク情報は、アップリンクＨＡＲＱフィードバック情報であってよい。
【０１９５】
アップリンク情報は、アップリンクＨＡＲＱフィードバック情報を含む。
【０１９６】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、送信機２００は、リソース構成情報を送信するようにさらに構成される。リソース構成情報に対応するリソースは、フィードバックリソースであり、フィードバックリソースは、アップリンクＨＡＲＱフィードバック情報が送信される場合に利用可能なリソースである。
【０１９７】
この場合、ユーザ機器は、フィードバックリソースを予め定めることができるので、異なるユーザ機器が同じフィードバックリソースを占有しないことにより、リソース競合を回避する。
【０１９８】
任意選択的に、リソース構成情報は、時間ドメイン情報、周波数ドメイン情報、又はコードドメイン情報の少なくとも１つを含む。
【０１９９】
ユーザ機器が、本解決手段を用いることによって、又は従来技術を用いることによって、アップリンク同期の実装を柔軟に選択することができるように、送信機２００は、アップリンクのタイミングアドバンス調整指示を送信するようにさらに構成される。タイミングアドバンス調整指示は、ユーザ機器が、タイミングアドバンス情報に従って、タイミングアドバンスを調整可能であることを示すために用いられる。
【０２００】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となる。
【０２０１】
図３Ａを参照すると、ユーザ機器が提供される。ユーザ機器は、受信モジュール３０、決定モジュール３１、及び送信モジュール３２を含む。
【０２０２】
受信モジュール３０は、スケジューリング情報を受信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２０３】
決定モジュール３１は、ユーザ機器が非同期状態にあると決定するように構成される。
【０２０４】
送信モジュール３２は、ユーザ機器が非同期状態にあると決定モジュール３１が決定した場合に、アップリンクリソースを用いることによって、ランダムアクセスコードを送信するように構成される。
【０２０５】
受信モジュール３０は、ランダムアクセス応答を受信するようにさらに構成される。ランダムアクセス応答は、ランダムアクセスコードに従って送信される。
【０２０６】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０２０７】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２０８】
任意選択的に、送信モジュール３２が、アップリンクリソースを用いることによって、ランダムアクセスコードを送信することは、具体的には、
送信モジュール３２が、少なくとも１つのターゲット物理リソースブロックを用いることによって、ランダムアクセスコードを送信すること
である。
【０２０９】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０２１０】
任意選択的に、決定モジュール３１は、ランダムアクセスリソース情報を決定するようにさらに構成される。ランダムアクセスリソース情報は、少なくとも１つのランダムアクセスコードを含む。
【０２１１】
任意選択的に、少なくとも１つのランダムアクセスコードは、同じグループに属する。
【０２１２】
ユーザ機器がランダムアクセスコードを送信する場合に生じる競合を減少させるために、送信モジュール３２が、アップリンクリソースを用いることによって、ランダムアクセスコードを送信することは、具体的には、
送信モジュール３２が、少なくとも１つのランダムアクセスコードのうちの１つを選択し、アップリンクリソースを用いることによって、選択されたランダムアクセスコードを送信すること
である。
【０２１３】
任意選択的に、少なくとも１つのランダムアクセスコードは、少なくとも１つの専用ランダムアクセスコードを含む。
【０２１４】
ユーザ機器がランダムアクセスコードを送信する場合に生じる競合を減少させるために、送信モジュール３２が、アップリンクリソースを用いることによって、ランダムアクセスコードを送信することは、具体的には、
送信モジュール３２が、少なくとも１つの専用ランダムアクセスコードのうちの１つを選択し、アップリンクリソースを用いることによって、選択された専用ランダムアクセスコードを送信すること
である。
【０２１５】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２１６】
決定モジュール３１が、ユーザ機器が非同期状態にあると決定した場合に、送信モジュール３２は、ランダムアクセスチャネルリソースを用いることによって、ランダムアクセスコードを送信するようにさらに構成される。ランダムアクセスチャネルリソースは、ランダムアクセスチャネルリソース情報によって示されるチャネルリソースである。
【０２１７】
このように、アップリンクデータの送信又はダウンリンクデータのアップリンクＨＡＲＱフィードバックの送信における長遅延及び低効率という従来技術の欠点が、克服される。さらに、既存のランダムアクセスチャネルリソースが再利用可能であり、ランダムアクセスチャネルリソースがアップリンクリソースに導入されることを必要としないことにより、複雑性を減少させる。
【０２１８】
さらに、ランダムアクセス競合を減少させるために、任意選択的に、送信モジュール３２が、ランダムアクセスチャネルリソースを用いることによって、ランダムアクセスコードを送信することは、具体的には、
送信モジュール３２が、アップリンクリソースが位置するＴＴＩのランダムアクセスチャネルリソースを用いることによって、ランダムアクセスコードを送信すること、及び／又は、
送信モジュール３２が、アップリンクリソースを用いることによって、ランダムアクセスコードを送信すること、及び／又は、
送信モジュール３２が、アップリンクリソースが位置するＴＴＩの後のＴＴＩのランダムアクセスチャネルリソースを用いることによって、ランダムアクセスコードを送信すること
である。
【０２１９】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２２０】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、送信モジュール３２は、ランダムアクセス応答に従って、アップリンク情報を送信するようにさらに構成される。
【０２２１】
このように、アップリンク情報がランダムアクセス応答に従って送信される場合、ネットワーク側デバイスは、アップリンク情報を正確に受信することができる。
【０２２２】
図３Ｂを参照すると、本発明の実施形態は、ユーザ機器を提供する。ユーザ機器は、受信機３００、プロセッサ３１０、及び送信機３２０を含む。
【０２２３】
受信機３００は、スケジューリング情報を受信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２２４】
プロセッサ３１０は、ユーザ機器が非同期状態にあると決定するように構成される。
【０２２５】
送信機３２０は、ユーザ機器が非同期状態にあるとプロセッサ３１０が決定した場合に、アップリンクリソースを用いることによって、ランダムアクセスコードを送信するように構成される。
【０２２６】
受信機３００は、ランダムアクセス応答を受信するようにさらに構成される。ランダムアクセス応答は、ランダムアクセスコードに従って送信される。
【０２２７】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０２２８】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２２９】
任意選択的に、送信機３２０が、アップリンクリソースを用いることによって、ランダムアクセスコードを送信することは、具体的には、
送信機３２０が、少なくとも１つのターゲット物理リソースブロックを用いることによって、ランダムアクセスコードを送信すること
である。
【０２３０】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０２３１】
任意選択的に、プロセッサ３１０は、ランダムアクセスリソース情報を決定するようにさらに構成される。ランダムアクセスリソース情報は、少なくとも１つのランダムアクセスコードを含む。
【０２３２】
任意選択的に、少なくとも１つのランダムアクセスコードは、同じグループに属する。
【０２３３】
ユーザ機器がランダムアクセスコードを送信する場合に生じる競合を減少させるために、送信機３２０が、アップリンクリソースを用いることによって、ランダムアクセスコードを送信することは、具体的には、
送信機３２０が、少なくとも１つのランダムアクセスコードのうちの１つを選択し、アップリンクリソースを用いることによって、選択されたランダムアクセスコードを送信すること
である。
【０２３４】
任意選択的に、少なくとも１つのランダムアクセスコードは、少なくとも１つの専用ランダムアクセスコードを含む。
【０２３５】
ユーザ機器がランダムアクセスコードを送信する場合に生じる競合を減少させるために、送信機３２０が、アップリンクリソースを用いることによって、ランダムアクセスコードを送信することは、具体的には、
送信機３２０が、少なくとも１つの専用ランダムアクセスコードのうちの１つを選択し、アップリンクリソースを用いることによって、選択された専用ランダムアクセスコードを送信すること
である。
【０２３６】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２３７】
プロセッサ３１０が、ユーザ機器が非同期状態にあると決定した場合に、送信機３２０は、ランダムアクセスチャネルリソースを用いることによって、ランダムアクセスコードを送信するようにさらに構成される。ランダムアクセスチャネルリソースは、ランダムアクセスチャネルリソース情報によって示されるチャネルリソースである。
【０２３８】
このように、アップリンクデータの送信又はダウンリンクデータのアップリンクＨＡＲＱフィードバックの送信における長遅延及び低効率という従来技術の欠点が、克服される。さらに、既存のランダムアクセスチャネルリソースが再利用可能であり、ランダムアクセスチャネルリソースがアップリンクリソースに導入されることを必要としないことにより、複雑性を減少させる。
【０２３９】
さらに、ランダムアクセス競合を減少させるために、任意選択的に、送信機３２０が、ランダムアクセスチャネルリソースを用いることによって、ランダムアクセスコードを送信することは、具体的には、
送信機３２０が、アップリンクリソースが位置するＴＴＩのランダムアクセスチャネルリソースを用いることによって、ランダムアクセスコードを送信すること、及び／又は、
送信機３２０が、アップリンクリソースを用いることによって、ランダムアクセスコードを送信すること、及び／又は、
送信機３２０が、アップリンクリソースが位置するＴＴＩの後のＴＴＩのランダムアクセスチャネルリソースを用いることによって、ランダムアクセスコードを送信すること
である。
【０２４０】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２４１】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、送信機３２０は、ランダムアクセス応答に従って、アップリンク情報を送信するようにさらに構成される。
【０２４２】
このように、アップリンク情報がランダムアクセス応答に従って送信される場合、ネットワーク側デバイスは、アップリンク情報を正確に受信することができる。
【０２４３】
図４Ａを参照すると、ネットワーク側デバイスが提供される。ネットワーク側デバイスは、送信モジュール４０及び受信モジュール４１を含む。
【０２４４】
送信モジュール４０は、スケジューリング情報を送信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２４５】
受信モジュール４１は、ランダムアクセスコードを受信するように構成される。ランダムアクセスコードは、アップリンクリソースに従って送信される。
【０２４６】
送信モジュール４０は、ランダムアクセスコードに従って、ランダムアクセス応答を送信するようにさらに構成される。
【０２４７】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０２４８】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２４９】
送信モジュール４０は、ランダムアクセスリソース情報を送信するようにさらに構成される。ランダムアクセスリソース情報は、少なくとも１つのランダムアクセスコードを含む。
【０２５０】
任意選択的に、少なくとも１つのランダムアクセスコードは、同じグループに属する。
【０２５１】
受信モジュール４１がランダムアクセスコードを受信することは、具体的には、
ランダムアクセス競合を減少させるために、受信モジュール４１が、少なくとも１つのランダムアクセスコードのうちの１つを受信すること
である。
【０２５２】
任意選択的に、少なくとも１つのランダムアクセスコードは、少なくとも１つの専用ランダムアクセスコードを含む。
【０２５３】
受信モジュール４１がランダムアクセスコードを受信することは、具体的には、
ランダムアクセス競合を減少させるために、受信モジュール４１が、少なくとも１つの専用ランダムアクセスコードのうちの１つを受信すること
である。
【０２５４】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２５５】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２５６】
受信モジュール４１は、アップリンク情報を受信するようにさらに構成される。
【０２５７】
図４Ｂを参照すると、本発明の実施形態は、ネットワーク側デバイスを提供する。ネットワーク側デバイスは、送信機４００及び受信機４１０を含む。
【０２５８】
送信機４００は、スケジューリング情報を送信するように構成される。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０２５９】
受信機４１０は、ランダムアクセスコードを受信するように構成される。ランダムアクセスコードは、アップリンクリソースに従って送信される。
【０２６０】
送信機４００は、ランダムアクセスコードに従って、ランダムアクセス応答を送信するようにさらに構成される。
【０２６１】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０２６２】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０２６３】
送信機４００は、ランダムアクセスリソース情報を送信するようにさらに構成される。ランダムアクセスリソース情報は、少なくとも１つのランダムアクセスコードを含む。
【０２６４】
任意選択的に、少なくとも１つのランダムアクセスコードは、同じグループに属する。
【０２６５】
受信機４１０がランダムアクセスコードを受信することは、具体的には、
ランダムアクセス競合を減少させるために、受信機４１０が、少なくとも１つのランダムアクセスコードのうちの１つを受信すること
である。
【０２６６】
任意選択的に、少なくとも１つのランダムアクセスコードは、少なくとも１つの専用ランダムアクセスコードを含む。
【０２６７】
受信機４１０がランダムアクセスコードを受信することは、具体的には、
ランダムアクセス競合を減少させるために、受信機４１０が、少なくとも１つの専用ランダムアクセスコードのうちの１つを受信すること
である。
【０２６８】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０２６９】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０２７０】
受信機４１０は、アップリンク情報を受信するようにさらに構成される。
【０２７１】
前述の解決手段に基づいて、本発明の実施形態は、アップリンク情報送信システムをさらに提供する。システムは、図１Ａ又は図１Ｂに示されるユーザ機器及び図２Ａ又は図２Ｂに示されるネットワーク側デバイスを含む。
【０２７２】
前述の解決手段に基づいて、本発明の実施形態は、他のアップリンク情報送信システムをさらに提供する。システムは、図３Ａ又は図３Ｂに示されるユーザ機器及び図４Ａ又は図４Ｂに示されるネットワーク側デバイスを含む。
【０２７３】
前述の解決手段に基づいて、図５Ａを参照すると、本発明の実施形態において、アップリンクデータ送信手順は、以下の通りである。
【０２７４】
段階５００：ユーザ機器は、スケジューリング情報及びタイミングアドバンス情報を決定する。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０２７５】
段階５１０：ユーザ機器は、タイミングアドバンス情報に従って、タイミングアドバンスを調整する。
【０２７６】
段階５２０：ユーザ機器は、調整されたタイミングアドバンスを用いることによって、スケジューリング情報に従って、アップリンク情報を送信する。
【０２７７】
本発明の本実施形態において、タイミングアドバンスは、アップリンク情報がネットワーク側デバイスに到達する時刻を調整するために用いられる。調整の目的は、ネットワーク側の受信タイミング要件を満たすことである。
【０２７８】
本発明の本実施形態において、タイミングアドバンス情報によって示される値は、正であってよい。この場合、タイミングアドバンスは、前に調整されることを必要とする。あるいは、タイミングアドバンス情報によって示される値は、負であってよい。この場合、タイミングアドバンスは、後ろに調整されることを必要とする。しかしながら、調整されたタイミングアドバンスは、タイミングアドバンス情報によって示される値の正負に関係なく、なお正である。すなわち、タイミングアドバンス情報に従って、タイミングアドバンスをどのように調整するかに関係なく、ユーザ機器によって送信されたアップリンク情報は、ネットワーク側デバイスに正確に到達することを必要とすることにより、ネットワーク側デバイスは、アップリンク情報を正確に受信することができる。
【０２７９】
図５Ｂは、タイミングアドバンスが調整されることを必要としない模式図を示す。図５Ｃは、タイミングアドバンスが前に調整されることを必要とする模式図を示す。図５Ｄは、タイミングアドバンスが後ろに調整されることを必要とする模式図を示す。図５Ｃは、タイミングアドバンス情報によって示される値が正である状況を示し、図５Ｄは、タイミングアドバンス情報によって示される値が負である状況を示す。
【０２８０】
本発明の本実施形態において、任意選択的に、ユーザ機器は、以下の方式、すなわち、
ユーザ機器が、第１のＴＴＩで、スケジューリング情報及びタイミングアドバンス情報を決定する
という方式で、スケジューリング情報及びタイミングアドバンス情報を決定してよい。
【０２８１】
ユーザ機器は、１つのメッセージを用いることによって、又は２つのメッセージを用いることによって、スケジューリング情報及びタイミングアドバンス情報を決定してよい。すなわち、スケジューリング情報及びタイミングアドバンス情報は、同じメッセージに保持されてよく、又は異なるメッセージに保持されてよい。このことは、具体的には、本明細書に限定されない。
【０２８２】
本発明の本実施形態において、任意選択的に、ユーザ機器は、以下の方式、すなわち、
ユーザ機器が、第２のＴＴＩで、調整されたタイミングアドバンスを用いることによって、スケジューリング情報に従って、アップリンク情報を送信する
という方式で、調整されたタイミングアドバンスを用いることによって、スケジューリング情報に従って、アップリンク情報を送信してよい。
【０２８３】
第２のＴＴＩ及び第１のＴＴＩは、Ｎ個のＴＴＩによって分離され、Ｎは、０より大きい又はこれに等しい。
【０２８４】
スケジューリングコマンドに従って、アップリンク情報を送信する場合に、ユーザ機器は、第２のＴＴＩで、調整されたタイミングアドバンスを用いることによって、アップリンク情報を送信してよい。従って、ユーザ機器がネットワーク側デバイスと同期されることにより、ネットワーク側は、ユーザ機器によって送信されたアップリンク情報を、正確に受信してよい。
【０２８５】
タイミングアドバンス情報は、タイミングアドバンスを調整するために用いられるので、ユーザ機器が、タイミングアドバンス情報に従って、タイミングアドバンスを調整する前に、方法は、
ユーザ機器によって、タイミングアドバンスを決定する段階
をさらに含む。
【０２８６】
この場合、決定されたタイミングアドバンス情報が意味を持つ。タイミングアドバンスが決定されない場合、タイミングアドバンス情報を決定することは無意味である。
【０２８７】
本発明の本実施形態において、任意選択的に、ユーザ機器は、以下の方式、すなわち、
ユーザ機器が、ＭＡＣ  ＣＥを受信し、ＭＡＣ  ＣＥからタイミングアドバンス情報を取得する、又は、
ユーザ機器が、物理層制御シグナリングを受信し、物理層制御シグナリングからタイミングアドバンス情報を取得する
という方式で、タイミングアドバンス情報を決定してよい。
【０２８８】
ＭＡＣ  ＣＥは、リソースの無駄を回避するために６ビットの調整値を含むので、好ましくは、ＭＡＣ  ＣＥは、タイミングアドバンス情報を保持してよい。
【０２８９】
タイミングアドバンス情報がＭＡＣ  ＣＥに保持されている場合、ユーザ機器は、ＭＡＣ  ＣＥが受信されるＴＴＩの後の第６のＴＴＩで、タイミングアドバンス情報の利用、又はタイミングアドバンス情報に従って調整されたタイミングアドバンスの利用を開始する。具体的には、例えば、ＭＡＣ  ＣＥが受信されるＴＴＩがＮと付番された場合、ユーザ機器は、Ｎ＋６と付番されたＴＴＩで、タイミングアドバンス情報の利用、又はタイミングアドバンス情報に従って調整されたタイミングアドバンスの利用を開始してよい。従って、任意選択的に、Ｎは６である。
【０２９０】
あるいは、タイミングアドバンス情報が物理層制御シグナリングに保持されている場合、ユーザ機器は、通常、タイミングアドバンス情報が決定されるＴＴＩの後の第４のＴＴＩで、タイミングアドバンス情報の利用、又はタイミングアドバンス情報に従って調整されたタイミングアドバンスの利用を開始する。具体的には、例えば、タイミングアドバンス情報が決定されるＴＴＩがＮと付番された場合、ユーザ機器は、Ｎ＋４と付番されたＴＴＩで、タイミングアドバンス情報の利用、又はタイミングアドバンス情報に従って調整されたタイミングアドバンスの利用を開始してよい。従って、任意選択的に、Ｎは６である。
【０２９１】
勿論、ユーザ機器は、他のＴＴＩで、タイミングアドバンス情報の利用、又はタイミングアドバンス情報に従って調整されたタイミングアドバンスの利用を開始してよい。このことは、本発明において限定されるものではない。
【０２９２】
本発明の本実施形態において、任意選択的に、ユーザ機器は、以下の方式、すなわち、
ユーザ機器が、物理層制御シグナリングを受信し、物理層制御シグナリングからスケジューリング情報を取得する
という方式で、スケジューリング情報を決定してよい。
【０２９３】
本発明の本実施形態において、任意選択的に、スケジューリング情報は、通常、ユーザアイデンティティＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｔｙ、セル無線ネットワークテンポラリアイデンティティ）によってマスクされ、物理リソース、変調及び符号化スキーム、又はユーザ機器に割り当てられた新たなデータインジケータのような情報を含む内容を保持する。
【０２９４】
任意選択的に、スケジューリング情報は、アップリンクデータを送信するようユーザ機器に命令するために用いられるアップリンク許可であってよく、又は、ダウンリンクデータを受信するようユーザ機器に命令するために用いられるダウンリンク割り当てであってよい。
【０２９５】
本発明の本実施形態において、任意選択的に、アップリンク情報は、アップリンクデータ及び／又はアップリンクＨＡＲＱフィードバック情報を含む。
【０２９６】
本発明の本実施形態において、任意選択的に、アップリンク情報は、アップリンクＨＡＲＱフィードバック情報を含む。
【０２９７】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、ユーザ機器がアップリンク情報を送信する前に、方法は、以下のオペレーション、すなわち、
ユーザ機器によって、アップリンクＨＡＲＱフィードバック情報が送信される場合に利用可能なフィードバックリソースを決定する段階
をさらに含む。
【０２９８】
この場合、任意選択的に、ユーザ機器は、以下の方式、すなわち、
ユーザ機器が、調整されたタイミングアドバンスを用いることによって、スケジューリング情報に従って、フィードバックリソースにおいて、アップリンク情報を送信する
という方式で、調整されたタイミングアドバンスを用いることによって、スケジューリング情報に従って、アップリンク情報を送信してよい。
【０２９９】
この場合、ユーザ機器は、フィードバックリソースを予め定めることができるので、異なるユーザ機器が同じフィードバックリソースを占有しないことにより、リソース競合を回避する。
【０３００】
本発明の本実施形態において、任意選択的に、ユーザ機器は、以下の方式、すなわち、
ユーザ機器が、リソース構成情報を決定し、リソース構成情報に対応するリソースをフィードバックリソースとして用いる
という方式で、アップリンクＨＡＲＱフィードバック情報が送信される場合に利用可能なフィードバックリソースを決定してよい。
【０３０１】
本発明の本実施形態において、任意選択的に、リソース構成情報は、時間ドメイン情報、周波数ドメイン情報、又はコードドメイン情報の少なくとも１つを含む。
【０３０２】
ユーザ機器が、本解決手段を用いることによって、又はランダムアクセスプロセスを用いることによって、アップリンク同期の実装を柔軟に選択することができるように、ユーザ機器が調整されたタイミングアドバンスを用いることによって、スケジューリング情報に従って、アップリンク情報を送信する前に、方法は、以下のオペレーション、すなわち、
ユーザ機器によって、タイミングアドバンス調整指示を受信する段階であって、タイミングアドバンス調整指示は、ユーザ機器が、タイミングアドバンス情報に従って、タイミングアドバンスを調整可能であることを示すために用いられる、段階
をさらに含む。
【０３０３】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となり、タイミングアドバンスは、ランダムアクセスプロセスにおいて取得された調整値に従ってのみ、調整可能となる。
【０３０４】
本解決手段は、ユーザ機器が非同期状態にある状況を前提として説明されている。すなわち、本解決手段は、この状況においてのみ、意味を持つ。ユーザ機器が同期状態にある場合に、ネットワーク側デバイスは、タイミングアドバンスを用いることなく、ユーザ機器のアップリンク情報を、又はタイミングアドバンス情報でさえ、正確に受信してよい。従って、ユーザ機器がタイミングアドバンスを決定する段階の前に、方法は、以下のオペレーション、すなわち、
ユーザ機器によって、ユーザ機器が非同期状態にあると決定する段階
をさらに含む。
【０３０５】
タイミングアドバンス情報を決定する場合、ユーザ機器は、アライメントタイマを有効化してよい。この場合、ユーザ機器は、以下の方式、すなわち、
アライメントタイマが満了しないと決定した場合に、ユーザ機器が、ユーザ機器が非同期状態にあると決定する
という方式で、ユーザ機器が非同期状態にあると決定してよい。
【０３０６】
本解決手段において、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができ、これにより、ユーザ機器とネットワーク側デバイスとの間のランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０３０７】
前述の解決手段に基づいて、図６を参照すると、本発明の実施形態において、他のアップリンクデータ送信手順は、以下の通りである。
【０３０８】
段階６００：ネットワーク側デバイスは、スケジューリング情報及びタイミングアドバンス情報を送信する。スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０３０９】
段階６１０：ネットワーク側デバイスは、アップリンク情報を受信する。アップリンク情報は、スケジューリング情報及びタイミングアドバンス情報に従って送信される。
【０３１０】
本発明の本実施形態において、タイミングアドバンスは、アップリンク情報がネットワーク側デバイスに到達する時刻を調整するために用いられる。調整の目的は、ネットワーク側の受信タイミング要件を満たすことである。
【０３１１】
本発明の本実施形態において、タイミングアドバンス情報によって示される値は、正であってよい。この場合、タイミングアドバンスは、前に調整されることを必要とする。あるいは、タイミングアドバンス情報によって示される値は、負であってよい。この場合、タイミングアドバンスは、後ろに調整されることを必要とする。しかしながら、調整されたタイミングアドバンスは、タイミングアドバンス情報によって示される値の正負に関係なく、なお正である。すなわち、タイミングアドバンス情報に従って、タイミングアドバンスをどのように調整するかに関係なく、ユーザ機器によって送信されたアップリンク情報は、ネットワーク側デバイスに正確に到達することを必要とすることにより、ネットワーク側デバイスは、アップリンク情報を正確に受信することができる。
【０３１２】
図５Ｂは、タイミングアドバンスが調整されることを必要としない模式図を示す。図５Ｃは、タイミングアドバンスが前に調整されることを必要とする模式図を示す。図５Ｄは、タイミングアドバンスが後ろに調整されることを必要とする模式図を示す。図５Ｃは、タイミングアドバンス情報によって示される値が正である状況を示し、図５Ｄは、タイミングアドバンス情報によって示される値が負である状況を示す。
【０３１３】
本発明の本実施形態において、任意選択的に、ネットワーク側デバイスは、以下の方式、すなわち、
ネットワーク側デバイスが、第１の伝送時間間隔ＴＴＩで、スケジューリング情報及びタイミングアドバンス情報を送信する
という方式で、スケジューリング情報及びタイミングアドバンス情報を送信してよい。
【０３１４】
ネットワーク側デバイスは、１つのメッセージを用いることによって、又は２つのメッセージを用いることによって、スケジューリング情報及びタイミングアドバンス情報を送信してよい。すなわち、スケジューリング情報及びタイミングアドバンス情報は、同じメッセージに保持されてよく、又は異なるメッセージに保持されてよい。このことは、具体的には、本明細書に限定されない。
【０３１５】
本発明の本実施形態において、任意選択的に、ネットワーク側デバイスは、以下の方式、すなわち、
ネットワーク側デバイスが、第２のＴＴＩで、アップリンク情報を受信する
という方式で、アップリンク情報を受信してよい。
【０３１６】
第２のＴＴＩ及び第１のＴＴＩは、Ｎ個のＴＴＩによって分離され、Ｎは、０より大きい又はこれに等しい。タイミングアドバンス情報は、タイミングアドバンスを調整するために用いられるので、ネットワーク側デバイスがアップリンク情報を受信する前に、方法は、以下のオペレーション、すなわち、
ネットワーク側デバイスによって、タイミングアドバンスを送信する段階
をさらに含む。
【０３１７】
ユーザ機器によって決定されたタイミングアドバンス情報は、この場合、意味を持つ。タイミングアドバンスが決定されない場合、タイミングアドバンス情報を決定することは無意味である。
【０３１８】
本発明の本実施形態において、任意選択的に、ネットワーク側デバイスは、以下の方式、すなわち、
ネットワーク側デバイスが、ＭＡＣ  ＣＥを送信し、ＭＡＣ  ＣＥが、タイミングアドバンス情報を保持する、又は、
ネットワーク側デバイスが、物理層制御シグナリングを送信し、物理層制御シグナリングが、タイミングアドバンス情報を保持する
という方式で、タイミングアドバンス情報を送信してよい。
【０３１９】
ＭＡＣ  ＣＥは、リソースの無駄を回避するために６ビットの調整値を含むので、好ましくは、ＭＡＣ  ＣＥは、タイミングアドバンス情報を保持してよい。
【０３２０】
本発明の本実施形態において、任意選択的に、ネットワーク側デバイスは、以下の方式、すなわち、
ネットワーク側デバイスが、物理層制御シグナリングを送信し、物理層制御シグナリングが、スケジューリング情報を保持する
という方式で、スケジューリング情報を送信してよい。
【０３２１】
タイミングアドバンス情報がＭＡＣ  ＣＥに保持されている場合、ユーザ機器は、ＭＡＣ  ＣＥが受信されるＴＴＩの後の第６のＴＴＩで、タイミングアドバンス情報の利用、又はタイミングアドバンス情報に従って調整されたタイミングアドバンスの利用を開始する。具体的には、例えば、ＭＡＣ  ＣＥが受信されるＴＴＩがＮと付番された場合、ユーザ機器は、Ｎ＋６と付番されたＴＴＩで、タイミングアドバンス情報の利用、又はタイミングアドバンス情報に従って調整されたタイミングアドバンスの利用を開始してよい。従って、任意選択的に、Ｎは６である。
【０３２２】
あるいは、タイミングアドバンス情報が物理層制御シグナリングに保持されている場合、ユーザ機器は、通常、タイミングアドバンス情報が決定されるＴＴＩの後の第４のＴＴＩで、タイミングアドバンス情報の利用、又はタイミングアドバンス情報に従って調整されたタイミングアドバンスの利用を開始する。具体的には、例えば、タイミングアドバンス情報が決定されるＴＴＩがＮと付番された場合、ユーザ機器は、Ｎ＋４と付番されたＴＴＩで、タイミングアドバンス情報の利用、又はタイミングアドバンス情報に従って調整されたタイミングアドバンスの利用を開始してよい。従って、任意選択的に、Ｎは６である。
【０３２３】
勿論、ユーザ機器は、他のＴＴＩで、タイミングアドバンス情報の利用、又はタイミングアドバンス情報に従って調整されたタイミングアドバンスの利用を開始してよい。このことは、本発明において限定されるものではない。
【０３２４】
本発明の本実施形態において、任意選択的に、アップリンク情報は、アップリンクデータ及び／又はアップリンクＨＡＲＱフィードバック情報を含む。
【０３２５】
本発明の本実施形態において、任意選択的に、アップリンク情報は、アップリンクＨＡＲＱフィードバック情報を含む。
【０３２６】
従来技術では、現在のＴＴＩでダウンリンクデータを受信した後、ユーザ機器は、通常、現在のＴＴＩの後の第４のＴＴＩで、受信されたダウンリンクデータに対してアップリンクＨＡＲＱフィードバックを実行する。アップリンクＨＡＲＱフィードバックを実行するために用いられるフィードバックリソースは、通常、スケジューリングコマンドによって占有されるリソースの位置に従って、取得される。しかしながら、現在のＴＴＩの後の第６のＴＴＩで、アップリンクＨＡＲＱフィードバック情報を送信する場合、ユーザ機器は、第（Ｎ＋６）のＴＴＩで用いられる、第（Ｎ＋２）のＴＴＩで決定されたフィードバックリソースについて、他のユーザ機器と競合することがある。従って、フィードバックリソースに関する競合を回避するために、ネットワーク側デバイスがアップリンク情報を受信する前に、方法は、以下のオペレーション、すなわち、
ネットワーク側デバイスによって、リソース構成情報を送信する段階であって、リソース構成情報に対応するリソースは、フィードバックリソースであり、フィードバックリソースは、アップリンクＨＡＲＱフィードバック情報が送信される場合に利用可能なリソースである、段階
をさらに含む。
【０３２７】
この場合、ユーザ機器は、フィードバックリソースを予め定めることができるので、異なるユーザ機器が同じフィードバックリソースを占有しないことにより、リソース競合を回避する。
【０３２８】
任意選択的に、リソース構成情報は、時間ドメイン情報、周波数ドメイン情報、又はコードドメイン情報の少なくとも１つを含む。
【０３２９】
ユーザ機器が、本解決手段を用いることによって、又はランダムアクセスプロセスを用いることによって、アップリンク同期の実装を柔軟に選択することができるように、ネットワーク側デバイスがアップリンク情報を受信する前に、方法は、以下のオペレーション、すなわち、
ネットワーク側デバイスによって、アップリンクのタイミングアドバンス調整指示を送信する段階であって、タイミングアドバンス調整指示は、ユーザ機器が、タイミングアドバンス情報に従って、タイミングアドバンスを調整可能であることを示すために用いられる、段階
をさらに含む。
【０３３０】
すなわち、本解決手段に従って、アップリンク同期を実装する機能は、ユーザ機器がタイミングアドバンス調整指示を受信した後でのみ、有効化される。ユーザ機器がタイミングアドバンス調整指示を受信しない場合、アップリンク同期は、ランダムアクセスプロセスを用いることによってのみ実装可能となり、タイミングアドバンスは、ランダムアクセスプロセスにおいて取得された調整値に従ってのみ、調整可能となる。
【０３３１】
本解決手段では、ユーザ機器は、ランダムアクセスプロセスを用いることなく、アップリンク同期を実装することができる。すなわち、ユーザ機器は、ランダムアクセスコードを送信することなく、タイミングアドバンス情報を決定することができる。すなわち、ネットワーク側デバイスは、ランダムアクセスコードを受信した場合のみ、タイミングアドバンス情報をユーザ機器に送信することを必要としないが、リアルタイムで、又は具体的な周期に従って、タイミングアドバンス情報を送信することができることにより、ユーザ機器とネットワーク側デバイスとの間におけるランダムアクセスコードのインタラクションを減少させる。このことが、アップリンクデータの送信又はダウンリンクデータのアップリンクＨＡＲＱフィードバックの送信における長遅延及び低効率という従来技術の欠点を克服する。
【０３３２】
前述の解決手段に基づいて、図７Ａを参照すると、本発明の実施形態において、ランダムアクセス手順は、以下の通りである。
【０３３３】
段階７００：ユーザ機器は、スケジューリング情報を受信する。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３３４】
段階７１０：ユーザ機器が非同期状態にあると決定した場合に、ユーザ機器は、アップリンクリソースを用いることによって、ランダムアクセスコードを送信する。
【０３３５】
段階７２０：ユーザ機器は、ランダムアクセス応答を受信する。ランダムアクセス応答は、ランダムアクセスコードに従って送信される。
【０３３６】
本発明の本実施形態において、任意選択的に、ユーザ機器は、以下の方式、すなわち、
ユーザ機器が、少なくとも１つのターゲット物理リソースブロックを用いることによって、ランダムアクセスコードを送信する
という方式で、アップリンクリソースを用いることによって、ランダムアクセスコードを送信してよい。
【０３３７】
ランダムアクセスコードを送信するために用いられるターゲット物理リソースブロックを指定し、ネットワーク側デバイスによるランダムアクセスコード検出の複雑性を減少させるために、任意選択的に、ターゲット物理リソースブロックは、以下の形式、すなわち、
ターゲット物理リソースブロックは、リソース内にあり、かつ、その周波数ドメイン位置が予め設定された閾値として用いられる第１の周波数ドメイン位置より低い、又はその番号が予め設定された閾値として用いられる第１の番号より小さい物理リソースブロックである、又は、
ターゲット物理リソースブロックは、リソース内にあり、かつ、その周波数ドメイン位置が予め設定された閾値として用いられる第２の周波数ドメイン位置より高い、又はその番号が予め設定された閾値として用いられる第２の番号より大きい物理リソースブロックである、又は、
ターゲット物理リソースブロックは、予め設定されている
という形式であってよい。
【０３３８】
ターゲット物理リソースブロックが、リソースにおける、その周波数ドメイン位置が予め設定された閾値として用られる第１の周波数ドメイン位置より低い物理リソースブロック、又はその番号が予め設定された閾値として用いられる第１の番号より小さい物理リソースブロックである場合に、任意選択的に、ターゲット物理リソースブロックは、リソースにおける、最も低い周波数ドメイン位置の物理リソースブロック、又は最小番号の物理リソースブロックであってよい。
【０３３９】
同様に、ターゲット物理リソースブロックが、リソースにおける、その周波数ドメイン位置が予め設定された閾値として用られる第２の周波数ドメイン位置より高い物理リソースブロック、又はその番号が予め設定された閾値として用いられる第２の番号より大きい物理リソースブロックである場合に、任意選択的に、ターゲット物理リソースブロックは、リソースにおける、最も高い周波数ドメイン位置の物理リソースブロック、又は最大番号の物理リソースブロックであってよい。
【０３４０】
本発明の本実施形態において、ユーザ機器が、アップリンクリソースを用いることによってランダムアクセスコードを送信する前に、方法は、以下のオペレーション、すなわち、
ユーザ機器によって、ランダムアクセスリソース情報を決定する段階であって、ランダムアクセスリソース情報は、少なくとも１つのランダムアクセスコードを含む、段階
をさらに含む。
【０３４１】
任意選択的に、少なくとも１つのランダムアクセスコードは、同じグループに属する。
【０３４２】
ユーザ機器がランダムアクセスコードを送信する場合に生じる競合を減少させるために、任意選択的に、ユーザ機器は、以下の方法で、アップリンクリソースを用いることによって、ランダムアクセスコードを送信してよい。
ユーザ機器は、少なくとも１つのランダムアクセスコードのうちの１つを選択し、アップリンクリソースを用いることによって、選択されたランダムアクセスコードを送信する。
【０３４３】
任意選択的に、少なくとも１つのランダムアクセスコードは、少なくとも１つの専用ランダムアクセスコードを含む。
【０３４４】
ユーザ機器がランダムアクセスコードを送信する場合に生じる競合を減少させるために、ユーザ機器は、以下の方法で、アップリンクリソースを用いることによって、ランダムアクセスコードを送信してよい。
ユーザ機器は、少なくとも１つの専用ランダムアクセスコードのうちの１つを選択し、アップリンクリソースを用いることによって、選択された専用ランダムアクセスコードを送信する。
【０３４５】
既存のランダムアクセスチャネルリソースを再利用するために、ランダムアクセスチャネルリソースは、アップリンクリソースに導入されることを必要としない。複雑性を減少させるために、ランダムアクセスリソース情報は、ランダムアクセスチャネルリソース情報をさらに含む。
【０３４６】
図７Ｂに示されるように、方法は、ユーザ機器が非同期状態にあると決定した場合に、ユーザ機器によって、ランダムアクセスチャネルリソースを用いることによって、ランダムアクセスコードを送信する段階であって、ランダムアクセスチャネルリソースは、ランダムアクセスチャネルリソース情報によって示されるチャネルリソースである、段階をさらに含む。
【０３４７】
任意選択的に、ユーザ機器は、以下の方式、すなわち、
ユーザ機器が、アップリンクリソースが位置するＴＴＩのランダムアクセスチャネルリソースを用いることによって、ランダムアクセスコードを送信する、及び／又は、
ユーザ機器が、アップリンクリソースを用いることによって、ランダムアクセスコードを送信する、及び／又は、
ユーザ機器が、アップリンクリソースが位置するＴＴＩの後のＴＴＩのランダムアクセスチャネルリソースを用いることによって、ランダムアクセスコードを送信する
という方式で、ランダムアクセスチャネルリソースを用いることによって、ランダムアクセスコードを送信する。
【０３４８】
任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０３４９】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、ユーザ機器がランダムアクセス応答を受信した後で、方法は、以下のオペレーション、すなわち、
ユーザ機器によって、ランダムアクセス応答に従って、アップリンク情報を送信する段階
をさらに含む。
【０３５０】
ユーザ機器がスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ランダムアクセスコードを送信するために用いられることにより、ランダムアクセスプロセスを開始し、アップリンク同期を実装してよい。このことは、リソースの無駄を回避し、リソース利用を向上させることができる。
【０３５１】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０３５２】
前述の解決手段に基づいて、図８を参照すると、本発明の実施形態において、他のランダムアクセス手順は、以下の通りである。
【０３５３】
段階８００：ネットワーク側デバイスは、スケジューリング情報を送信する。スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３５４】
段階８１０：ネットワーク側デバイスは、ランダムアクセスコードを受信する。ランダムアクセスコードは、アップリンクリソースに従って送信される。
【０３５５】
段階８２０：ネットワーク側デバイスは、ランダムアクセスコードに従って、ランダムアクセス応答を送信する。
【０３５６】
本発明の本実施形態において、任意選択的に、ネットワーク側デバイスがランダムアクセスコードを受信する前に、方法は、以下のオペレーション、すなわち、
ネットワーク側デバイスによって、ランダムアクセスリソース情報を送信する段階であって、ランダムアクセスリソース情報は、少なくとも１つのランダムアクセスコードを含む、段階
をさらに含む。
【０３５７】
本発明の本実施形態において、任意選択的に、少なくとも１つのランダムアクセスコードは、同じグループに属する。
【０３５８】
ランダムアクセス競合を減少させるために、本発明の本実施形態において、任意選択的に、ネットワーク側デバイスは、以下の方式、すなわち、
ネットワーク側デバイスが、少なくとも１つのランダムアクセスコードのうちの１つを受信する
という方式で、ランダムアクセスコードを受信してよい。
【０３５９】
本発明の本実施形態において、任意選択的に、少なくとも１つのランダムアクセスコードは、少なくとも１つの専用ランダムアクセスコードを含む。
【０３６０】
ランダムアクセス競合を減少させるために、任意選択的に、ネットワーク側デバイスは、以下の方式、すなわち、
ネットワーク側デバイスが、少なくとも１つの専用ランダムアクセスコードのうちの１つを受信する
という方式で、ランダムアクセスコードを受信してよい。
【０３６１】
既存のランダムアクセスチャネルリソースを再利用するために、ランダムアクセスチャネルリソースは、アップリンクリソースに導入されることを必要としない。複雑性を減少させるために、任意選択的に、ランダムアクセスリソース情報は、ランダムアクセスチャネルリソース情報を含む。
【０３６２】
本発明の本実施形態において、任意選択的に、ランダムアクセスチャネルリソース情報は、ランダムアクセスチャネルの時間−周波数情報及び／又は周波数ドメイン位置情報、又はランダムアクセスチャネルの時間−周波数情報及び／又は周波数ドメイン位置情報を示すための情報である。
【０３６３】
ランダムアクセスプロセスが開始され、アップリンク同期を実装する。アップリンク同期を実装する目的は、ネットワーク側デバイスが、ユーザ機器によって送信されたアップリンク情報を正確に受信できるようにすることである。従って、ネットワーク側デバイスが、ランダムアクセスコードに従って、ランダムアクセス応答を送信した後で、方法は、以下のオペレーション、すなわち、
ネットワーク側デバイスによって、アップリンク情報を受信する段階
をさらに含む。
【０３６４】
ユーザ機器が、ネットワーク側デバイスによって送信されたスケジューリング情報を受信した後で、ユーザ機器が非同期状態にある場合、ユーザ機器は、アップリンク情報を送信することができないが、スケジューリング情報は、アップリンクリソース情報を保持する。従って、アップリンクリソース情報によって示されるリソースは、無駄になることがある。本解決手段において、アップリンクリソース情報によって示されるリソースは、ネットワーク側デバイスによって受信されたランダムアクセスコードを送信するために用いられることにより、ランダムアクセスプロセスを開始し、アップリンク同期を実装してよい。このことは、リソースの無駄を回避し、リソース利用を向上させることができる。
【０３６５】
さらに、従来技術では、ユーザ機器は、アップリンクデータがユーザ機器に到達した場合にのみ、ランダムアクセスプロセスを開始する。本解決手段において、スケジューリングコマンドを受信した場合に、ユーザ機器は、ランダムアクセスプロセスを開始し、アップリンクデータ又はダウンリンクデータがユーザ機器に到達した場合に、ユーザ機器は、データを送信又はアップリンクＨＡＲＱフィードバックを実行することができる。従って、本解決手段は、アップリンクデータの送信又はダウンリンクデータのアップリンクＨＡＲＱフィードバックの送信における長遅延及び低効率という従来技術の欠点を、さらに克服することができる。
【０３６６】
さらに、通信システムでは、より広い伝送帯域幅が、システムにおけるデータ伝送レートを向上させる主な要因である。従って、伝送帯域幅を拡大するために、ＣＡ（キャリアアグリゲーション）技術が提供される。キャリアアグリゲーションでは、少なくとも２つのキャリアが、より広い伝送帯域幅をサポートするために集約される。Ｓｃｅｌｌ（セカンダリセル）においてＰＵＣＣＨ（物理アップリンク制御チャネル）を送信する概念が、ＬＴＥ  Ｒ１３  ＣＡ拡張プロジェクトに追加されることで合意されている。
【０３６７】
ＡＣＫ（肯定応答）、ＣＳＩ（チャネル状態インジケータ）、及びＳＲ（スケジューリング要求）は、ＳＣｅｌｌに保持されるＰＵＣＣＨで送信されてよい。ＰＵＣＣＨがＳＣｅｌｌにおいて送信される場合であっても、ＳＣｅｌｌは、非アクティブ化されてよい。
【０３６８】
このように、このような場合が存在する。ユーザ機器が、ＳＣｅｌｌ及びＰＣｅｌｌ（プライマリセル）の両方に対してＳＲを構成する場合に、ＳＲがトリガされているが、この場合にＳＣｅｌｌが非アクティブ化されていると、ユーザ機器は、ＳＣｅｌｌにおいてＳＲを送信することができない。さらに、ＰＣｅｌｌに対して構成されるＳＲの期間が長い場合、ユーザ機器は、ＰＣｅｌｌにおけるＳＲリソースが到達した場合にのみ、アップリンクリソースを要求するために、ＰＣｅｌｌにおいてＳＲを送信することを必要とする。結果として、アップリンクデータ送信遅延は、比較的長くなる。
【０３６９】
図９を参照すると、ユーザ機器によって、アップリンクデータを送信する遅延を減少させるために、アップリンクデータ送信方法が、以下、提供される。具体的なプロセスは、以下の通りである。
【０３７０】
プロセスの適用状況は、以下の通りである。ユーザ機器は、構成シグナリングを決定し、構成シグナリングは、ＰＣｅｌｌに対して構成されるＳＲリソースを含み、ネットワークの構成シグナリングにおいて構成されるＳＲリソースが、用いられる。
【０３７１】
段階９００：ユーザ機器は、アップリンクデータ又はＢＳＲ（バッファステータスレポート）が送信されることを必要としている、又はＳＲがトリガされることを必要としていると決定する。
【０３７２】
段階９１０：予め設定された条件が満たされたと決定した場合、ユーザ機器は、ＰＣｅｌｌにおけるランダムアクセスプロセスをトリガする。
【０３７３】
前述の解決手段によれば、アップリンクデータ又はＢＳＲは、ＳＣｅｌｌにおけるＳＲリソースが利用可能ではなく、ＰＣｅｌｌにある、ユーザ機器によって利用可能である有効なＳＲリソースの時刻がもっと後である場合には、遅延しない。
【０３７４】
任意選択的に、ユーザ機器は、以下の方式、すなわち、
ユーザ機器が、アップリンクデータ又はＢＳＲが送信されることを必要とする時刻、又はＳＲがトリガされることを必要とする時刻と、ＰＣｅｌｌにある、ユーザ機器によって利用可能である有効なＳＲリソースの時刻との間の時間間隔を決定する
という方式で、予め設定された条件が満たされたと決定してよい。
【０３７５】
任意選択的に、時間閾値は、２０ｍｓ、３０ｍｓ等であってよい。
【０３７６】
時間間隔が時間閾値より小さい、又はこれに等しい場合、ランダムアクセスプロセスが開始されないことに留意されたい。代わりに、構成されるＳＲリソースは、アップリンクデータを送信するためのアップリンクリソースを要求するために用いられる。
【０３７７】
すなわち、時間間隔を決定することによって、アップリンクリソースが、ランダムアクセスプロセス又はＳＲリソースのいずれを用いることによって要求されるかが決定され、アップリンクデータ又はＢＳＲの遅延を減少させてよい。
【０３７８】
任意選択的に、ユーザ機器は、以下の方式、すなわち、
ユーザ機器が、ＳＲリソースの期間が時間閾値より大きいと決定する
という方式で、予め設定された条件が満たされたと決定してよい。
【０３７９】
任意選択的に、時間閾値は、２０ｍｓ、４０ｍｓ等であってよい。
【０３８０】
任意選択的に、ユーザ機器は、以下の方式、すなわち、
ユーザ機器が、アップリンクデータ又はＢＳＲが送信されることを必要とする、又はＳＲがトリガされることを必要とすると決定する
という方式で、予め設定された条件が満たされたと決定してよい。
【０３８１】
前述のプロセスは、ＳＲリソースが構成されるが、アップリンクリソースは、アップリンクデータが送信されることを必要とする時刻、ＢＳＲが送信されることを必要とする時刻、又はＳＲがトリガされることを必要とする時刻をユーザ機器が決定したことに基づいて、ランダムアクセスプロセスを用いることによって要求され、有効なＳＲリソースがＳＣｅｌｌに存在しない場合を説明していることに留意されたい。
【０３８２】
有効なＳＲリソースが存在しないことは、以下の場合、すなわち、ＳＲリソースがＳＣｅｌｌに対して構成されない場合、ＳＲリソースがＳＣｅｌｌに対して構成されるが、ＳＣｅｌｌが非アクティブ化されている場合、又は、ＳＲリソースがＳＣｅｌｌに対して構成されるが、ＳＣｅｌｌがアップリンク非同期である場合の少なくとも１つである。
【０３８３】
ユーザ機器は、ＰＣｅｌｌにおいてランダムアクセスプロセスをトリガする。従って、アップリンクデータ又はＢＳＲは、ＳＣｅｌｌにおけるＳＲリソースが利用できず、ＰＣｅｌｌに対して構成される有効なＳＲリソースの時刻がもっと後である場合には、遅延しない。さらに、リソースの無駄を回避するために、予め設定された条件が満たされたと決定した後で、ユーザ機器は、アップリンクデータのデータ量がデータ量閾値に到達したか否かをさらに決定する。ランダムアクセスプロセスは、データ量閾値に到達した場合にのみ、ＰＣｅｌｌにおいて開始される。
【０３８４】
任意選択的に、データ量閾値は、１０００バイト、３０００バイト等であってよい。
【０３８５】
アップリンクデータのデータ量を決定することは、アップリンクデータ又はＢＳＲのオーバヘッドを減少させることができる。
【０３８６】
任意選択的に、段階９１０を実行する前に、ユーザ機器は、以下のオペレーション、すなわち、
ランダムアクセスプロセス構成指示を受信するオペレーションであって、指示は、ユーザ機器が、予め設定された条件が満たされたと決定した場合に、ＰＣｅｌｌにおいてランダムアクセスプロセスをトリガする機能を有効化させるために用いられる、段階
をさらに実行する。
【０３８７】
すなわち、ランダムアクセスプロセス構成指示が受信された後で、ユーザ機器が、予め設定された条件が満たされたと決定した場合にのみ、ランダムアクセスプロセスは、ＰＣｅｌｌにおいてトリガされる。ランダムアクセスプロセス構成指示が受信されない場合、ユーザ機器が、予め設定された条件が満たされたと決定した場合であっても、ランダムアクセスプロセスは、ＰＣｅｌｌにおいてトリガされない。
【０３８８】
前述の解決手段に対する理解を容易にするために、図１０を参照すると、アップリンク情報送信の実施形態が提供される。
【０３８９】
段階１０００：基地局は、スケジューリング情報及びタイミングアドバンス情報を送信する。この段階において、スケジューリング情報は、アップリンク情報を送信するようユーザ機器に命令するために用いられ、タイミングアドバンス情報は、ユーザ機器がアップリンク情報を送信する場合に用いられるタイミングアドバンスを調整するために用いられる。
【０３９０】
段階１１００：ユーザ機器は、スケジューリング情報及びタイミングアドバンス情報を受信する。
【０３９１】
段階１２００：ユーザ機器は、タイミングアドバンス情報に従って、タイミングアドバンスを調整する。
【０３９２】
段階１３００：ユーザ機器は、調整されたタイミングアドバンスを用いることによって、スケジューリング情報に従って、基地局にアップリンク情報を送信する。
【０３９３】
前述の解決手段に対する理解を容易にするために、図１１を参照すると、他のアップリンク情報送信の実施形態が提供される。
【０３９４】
段階１１００：基地局は、スケジューリング情報をユーザ機器に送信する。
【０３９５】
この段階において、スケジューリング情報は、アップリンクリソース情報を保持し、アップリンクリソース情報は、アップリンク情報が送信される場合に利用可能なリソースを示すために用いられ、スケジューリング情報は、アップリンク情報を送信するようユーザ機器に命令するために用いられる。
【０３９６】
段階１１１０：ユーザ機器は、スケジューリング情報を受信し、ユーザ機器が非同期状態にあると決定した場合に、アップリンクリソースを用いることによって、基地局にランダムアクセスコードを送信する。
【０３９７】
段階１１２０：基地局は、ランダムアクセスコードを受信し、ランダムアクセスコードに従って、ランダムアクセス応答をユーザ機器に送信する。
【０３９８】
段階１１３０：ユーザ機器は、ランダムアクセス応答に従って、アップリンク情報を基地局に送信する。
【０３９９】
当業者であれば、本発明の実施形態が、方法、システム、又はコンピュータプログラム製品として提供されてよいことを理解しよう。従って、本発明は、ハードウェアのみの実施形態、ソフトウェアのみの実施形態、又はソフトウェア及びハードウェアの組み合わせによる実施形態の形式を用いてよい。さらに、本発明は、コンピュータ利用可能プログラムコードを含む１つ又は複数のコンピュータ利用可能ストレージメディア（限定されるものではないが、ディスクメモリ、ＣＤ−ＲＯＭ、光メモリ等を含む）において実装されるコンピュータプログラム製品の形式を用いてよい。
【０４００】
本発明は、本発明の実施形態に係る方法、デバイス（システム）、及びコンピュータプログラム製品のフローチャート及び／又はブロック図に関連して説明される。コンピュータプログラム命令は、フローチャート及び／又はブロック図における各プロセス及び／又は各ブロック、ならびにフローチャート及び／又はブロック図におけるプロセス及び／又はブロックの組み合わせを実装するために用いられてよいことを理解されたい。これらのコンピュータプログラム命令は、汎用コンピュータ、専用コンピュータ、組み込みプロセッサ、又はマシンを生成する任意の他のプログラム可能なデータ処理デバイスのプロセッサに提供されてよいことにより、コンピュータ又は任意の他のプログラム可能なデータ処理デバイスのプロセッサによって実行される命令は、フローチャートにおける１つ又は複数のプロセスの特定の機能及び／又は複数のブロック図における１つ又は複数のブロックを実装するための装置を生成する。
【０４０１】
これらのコンピュータプログラム命令は、コンピュータ又は任意の他のプログラム可能なデータ処理デバイスに、特定の方式で動作するように命令可能なコンピュータ可読メモリに格納されてよいことにより、コンピュータ可読メモリに格納された命令は、命令装置を含む中間物を生成する。命令装置は、フローチャートにおける１つ又は複数のプロセス及び／又はブロック図における１つ又は複数のブロックの特定の機能を実装する。
【０４０２】
これらのコンピュータプログラム命令は、コンピュータ又は他のプログラム可能データ処理デバイスにロードされてよいことにより、一連のオペレーション及び段階がコンピュータ又は他のプログラム可能デバイス上で実行され、これにより、コンピュータ実装処理を生成する。従って、コンピュータ又は他のプログラム可能デバイスにおいて実行される命令は、フローチャートにおける１つ又は複数のプロセス及び／又はブロック図における１つ又は複数のブロックにおける特定の機能を実装するための段階を提供する。
【０４０３】
本発明のいくつかの実施形態が説明されたが、当業者であれば、基本的な発明の概念を認識すれば、これらの実施形態に変更及び変形を施すことができよう。従って、以下の特許請求の範囲は、実施形態ならびに本発明の範囲に属する全ての変更及び変形を包含するものと解釈されることを意図するものである。
【０４０４】
当業者であれば、本発明の実施形態の範囲から逸脱することなく、本発明の実施形態に様々な変形及びバリエーションを施すことができることは明らかである。本発明は、これらの変形及びバリエーションが以下の特許請求の範囲によって定義される保護範囲及びこれらの均等技術に属する場合には、係る変形及びバリエーションを包含することを意図するものである。
【手続補正３】
【補正対象書類名】図面
【補正対象項目名】図１Ａ
【補正方法】変更
【補正の内容】
【図１Ａ】
2018523415.tif 000022
【国際調査報告】
2018523415.tif 000023
2018523415.tif 000024
2018523415.tif 000025
2018523415.tif 000026